(57)【特許請求の範囲】
【請求項１】
方法であって、
第１の基地局（１２０Ａ）が、第２の基地局（１２０Ｂ）から、前記第２の基地局の第２の無線アクセスネットワーク（ＲＡＮ）エリア識別子を含む第２のメッセージを受信することと、
前記第１の基地局が、無線デバイス（１１０）に、前記第１の基地局の第１のセルと関連付けられた第１のＲＡＮエリア識別子を含む少なくとも１つの第３のメッセージを伝送することであって、前記少なくとも１つの第３のメッセージは、無線リソース制御停止状態への前記無線デバイスの状態遷移を示す、ことと、
前記第１の基地局が、前記無線デバイスに向かう１つ以上のパケットを受信することと、
前記第１の基地局が、前記第１のＲＡＮエリア識別子が前記第２のＲＡＮエリア識別子と同一であるときに、前記１つ以上のパケットを受信することに応答して、前記第２の基地局に、ＲＡＮページングメッセージを伝送することであって、前記ＲＡＮページングメッセージは、前記無線デバイスの識別子と、前記第１のＲＡＮエリア識別子とを含む、ことと
を含む、方法。
【請求項２】
前記第１の基地局が、少なくとも前記無線デバイスが前記無線リソース制御停止状態である時間中に、前記無線デバイスの無線デバイスコンテキストを保持することをさらに含み、前記無線デバイスコンテキストは、
ベアラ構成情報、
論理チャネル構成情報、または
セキュリティ情報
のうちの少なくとも１つを含む、請求項１に記載の方法。
【請求項３】
前記第２のＲＡＮエリア識別子は、前記第２の基地局の第２のセルと関連付けられる、請求項１または請求項２に記載の方法。
【請求項４】
前記第１の基地局が、前記第２の基地局に、前記第１の基地局の前記第１のＲＡＮエリア識別子を含む第１のメッセージを伝送することをさらに含む、請求項１〜３のいずれかに記載の方法。
【請求項５】
前記第１のメッセージは、
インターフェース設定要求メッセージ、
インターフェース設定応答メッセージ、または
基地局構成更新メッセージを含む、請求項４に記載の方法。
【請求項６】
第１の基地局（１２０Ａ）であって、
１つ以上のプロセッサと、
命令を格納するメモリと
を備え、
前記命令は、前記１つ以上のプロセッサによって実行されると、前記第１の基地局に、
第２の基地局（１２０Ｂ）から、前記第２の基地局の第２の無線アクセスネットワーク（ＲＡＮ）  エリア識別子を含む第２のメッセージを受信することと、
無線デバイス（１１０）に、前記第１の基地局の第１のセルと関連付けられた第１のＲＡＮエリア識別子を含む少なくとも１つの第３のメッセージを伝送することであって、前記少なくとも１つの第３のメッセージは、無線リソース制御停止状態への前記無線デバイスの状態遷移を示す、ことと、
前記無線デバイスに向かう１つ以上のパケットを受信することと、
前記第１のＲＡＮエリア識別子が前記第２のＲＡＮエリア識別子と同一であるときに、前記１つ以上のパケットを受信することに応答して、前記第２の基地局に、ＲＡＮページングメッセージを伝送することであって、前記ＲＡＮページングメッセージは、前記無線デバイスの識別子と、前記第１のＲＡＮエリア識別子とを含む、ことと
を行わせる、第１の基地局。
【請求項７】
前記命令は、前記１つ以上のプロセッサによって実行されると、前記第１の基地局に、少なくとも前記無線デバイスが前記無線リソース制御停止状態である時間中に、前記無線デバイスの無線デバイスコンテキストを保持することをさらに行わせ、前記無線デバイスコンテキストは、
ベアラ構成情報、
論理チャネル構成情報、または
セキュリティ情報
のうちの少なくとも１つを含む、請求項６に記載の第１の基地局。
【請求項８】
前記第２のＲＡＮエリア識別子は、前記第２の基地局の第２のセルと関連付けられる、請求項６または請求項７に記載の第１の基地局。
【請求項９】
前記命令は、前記１つ以上のプロセッサによって実行されるとき、前記第１の基地局によって、前記第２の基地局へ前記第１の基地局の第１のＲＡＮエリア識別子を含む第１のメッセージを伝送することをさらに行わせ、
第１のメッセージは、
インターフェース設定要求メッセージ、
インターフェース設定応答メッセージ、または
基地局構成更新メッセージ
を含む、請求項６〜８のいずれかに記載の第１の基地局。
【請求項１０】
方法であって、
第２の基地局（１２０Ｂ）が、第１の基地局（１２０Ａ）から、前記第１の基地局の第１のセルと関連付けられた第１の無線アクセスネットワーク（ＲＡＮ）エリア識別子を含む第１のメッセージを受信することと、
前記第２の基地局が、前記第１の基地局に、前記第２の基地局の第２のＲＡＮエリア識別子を含む第２のメッセージを伝送することと、
前記第２の基地局が、前記第１のＲＡＮエリア識別子が前記第２のＲＡＮエリア識別子と同一であるときに、前記第１の基地局から、ＲＡＮページングメッセージを受信することであって、前記ＲＡＮページングメッセージは、無線リソース制御停止状態にある無線デバイス（１１０）の識別子と、前記第１のＲＡＮエリア識別子とを含む、ことと
を含む、方法。
【請求項１１】
前記第２のＲＡＮエリア識別子は、前記第２の基地局の第２のセルと関連付けられる、請求項１０に記載の方法。
【請求項１２】
前記無線デバイスは、前記第１のＲＡＮエリア識別子を割り当てられる、請求項１０または請求項１１に記載の方法。
【請求項１３】
第２の基地局（１２０Ｂ）であって、
１つ以上のプロセッサと、
命令を格納するメモリと
を備え、
前記命令は、前記１つ以上のプロセッサによって実行されると、前記第２の基地局に、
第１の基地局（１２０Ａ）から、前記第１の基地局の第１のセルと関連付けられた第１の無線アクセスネットワーク（ＲＡＮ）エリア識別子を含む第１のメッセージを受信することと、
前記第１の基地局に、前記第２の基地局の第２のＲＡＮエリア識別子を含む第２のメッセージを伝送することと、
前記第１の基地局の第１のＲＡＮエリア識別子が前記第２のＲＡＮエリア識別子と同一であるときに、前記第１の基地局から、ＲＡＮページングメッセージを受信することであって、前記ＲＡＮページングメッセージは、無線リソース制御停止状態にある無線デバイス（１１０）の識別子と、前記第１のＲＡＮエリア識別子とを含む、ことと
を行わせる、第２の基地局。
【請求項１４】
前記第２のＲＡＮエリア識別子は、前記第２の基地局の第２のセルを識別する、請求項１３に記載の第２の基地局。
【請求項１５】
前記無線デバイスは、前記第１のＲＡＮエリア識別子を割り当てられる、請求項１３または請求項１４に記載の第２の基地局。
【発明の詳細な説明】
【背景技術】
【０００１】
関連出願の相互参照
本出願途は、２０１７年３月１７日に出願された米国仮出願第６２／４７３，０１０号の利点を主張し、その特許仮出願は、参照によりその全体が本明細書に組み込まれる。
【発明の概要】
【課題を解決するための手段】
【０００２】
本開示の例示的な実施形態により、通信ネットワーク（複数可）の動作が可能になる。ここに開示する技術の複数の実施形態を、マルチキャリア通信システムの技術分野において用いることが可能である。より詳しくは、ここに開示する技術の実施形態は、マルチキャリア通信システムにおける無線アクセスネットワーク（複数可）に関係し得る。
本発明は、例えば、以下を提供する。
（項目１）
第１の基地局によって、無線リソース制御（ＲＲＣ）接続状態からＲＲＣ停止状態への無線デバイスのＲＲＣ状態遷移を示す少なくとも１つの第１のメッセージを前記無線デバイスに伝送することであって、前記少なくとも１つの第１のメッセージが、周期的無線アクセスネットワーク（ＲＡＮ）通知エリア更新プロシージャの無線デバイスＲＡＮ通知エリア更新タイマと関連付けられた値を示すパラメータを含む、伝送することと、
前記第１の基地局によって、前記無線デバイスＲＡＮ通知エリア更新タイマの満了に応答して、前記無線デバイスによるＲＡＮ通知エリア更新を示す第２のメッセージを受信することと、
前記第１の基地局によって、前記第２のメッセージを前記受信することに応答して、ネットワークＲＡＮ通知エリア更新タイマを開始することと、
前記第１の基地局によって、前記ネットワークＲＡＮ通知エリア更新タイマの満了に応答して、前記無線デバイスの無線デバイスコンテキスト解放要求を示す第３のメッセージをコアネットワークエンティティに伝送することであって、前記第３のメッセージが、前記無線デバイスの識別子を含む、伝送することと、を含む、方法。
（項目２）
前記少なくとも１つの第１のメッセージが、前記無線デバイスと関連付けられたＲＡＮ通知エリア情報をさらに含み、前記ＲＡＮ通知エリア情報が、
ＲＡＮエリア識別子、または
セル識別子のうちの少なくとも１つを含む、項目１に記載の方法。
（項目３）
前記第１の基地局によって、前記ネットワークＲＡＮ通知エリア更新タイマの前記満了に基づいて、前記無線デバイスの無線デバイスコンテキストを解放することをさらに含む、項目１に記載の方法。
（項目４）
前記第３のメッセージが、前記無線デバイスが周期ＲＡＮ通知エリア更新に障害が生じたことをさらに示す、項目１に記載の方法。
（項目５）
前記コアネットワークエンティティが、前記第３のメッセージを受信することに応答して、前記無線デバイスがアイドル状態にあると判定する、項目１に記載の方法。
（項目６）
前記第１の基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目１に記載の方法。
（項目７）
前記無線デバイスＲＡＮ通知エリア更新タイマが、
前記無線デバイスの移動速度、
前記無線デバイスの無線デバイスタイプ、
前記無線デバイスのネットワークスライス、または
前記無線デバイスのベアラ、のうちの少なくとも１つに基づいて構成される、項目１に記載の方法。
（項目８）
前記コアネットワークエンティティによって、前記第３のメッセージに基づいて、前記無線デバイスのページングメッセージを第２の基地局に伝送することと、
前記コアネットワークエンティティによって、前記第２の基地局から前記ページングメッセージに対する応答メッセージを受信することと、をさらに含む、項目１に記載の方法。
（項目９）
前記無線デバイスが、周期ＲＡＮ通知エリア更新に障害が生じることに応答して、前記ＲＲＣ停止状態からＲＲＣアイドル状態にＲＲＣ状態を遷移させる、項目１に記載の方法。
（項目１０）
前記第２のメッセージが、ＲＲＣ接続再開要求メッセージを含む、項目１に記載の方法。
（項目１１）
１つ以上のプロセッサと、
命令を格納するメモリであって、該命令が、前記１つ以上のプロセッサによって実行されたときに、前記基地局に、
無線リソース制御（ＲＲＣ）接続状態からＲＲＣ停止状態への無線デバイスのＲＲＣ状態遷移を示す少なくとも１つの第１のメッセージを前記無線デバイスに伝送することであって、前記少なくとも１つの第１のメッセージが、周期的無線アクセスネットワーク（ＲＡＮ）通知エリア更新プロシージャの無線デバイスＲＡＮ通知エリア更新タイマと関連付けられた値を示すパラメータを含む、伝送することと、
前記無線デバイスＲＡＮ通知エリア更新タイマの満了に応答して、前記無線デバイスによるＲＡＮ通知エリア更新を示す第２のメッセージを受信することと、
前記第２のメッセージの前記受信することに応答して、ネットワークＲＡＮ通知エリア更新タイマを開始することと、
前記ネットワークＲＡＮ通知エリア更新タイマの満了に応答して、前記無線デバイスの無線デバイスコンテキスト解放要求を示す第３のメッセージをコアネットワークエンティティに伝送することであって、前記第３のメッセージが、前記無線デバイスの識別子を含む、伝送することと、を行わせる、メモリと、を備える、基地局。
（項目１２）
前記少なくとも１つの第１のメッセージが、前記無線デバイスと関連付けられたＲＡＮ通知エリア情報をさらに含み、前記ＲＡＮ通知エリア情報が、
ＲＡＮエリア識別子、または
セル識別子のうちの少なくとも１つを含む、項目１１に記載の基地局。
（項目１３）
前記命令が、前記１つ以上のプロセッサによって実行されたときに、前記基地局に、前記ネットワークＲＡＮ通知エリア更新タイマの満了に基づいて、前記無線デバイスの無線デバイスコンテキストを解放することをさらに行わせる、項目１１に記載の基地局。
（項目１４）
前記第３のメッセージが、前記無線デバイスが周期ＲＡＮ通知エリア更新に障害が生じたことをさらに示す、項目１１に記載の基地局。
（項目１５）
前記コアネットワークエンティティが、前記第３のメッセージを受信することに応答して、前記無線デバイスがアイドル状態にあると判定する、項目１１に記載の基地局。
（項目１６）
前記命令が、前記１つ以上のプロセッサによって実行されたときに、前記基地局に、少なくとも前記無線デバイスが前記ＲＲＣ停止状態である時間中に、前記無線デバイスの無線デバイスコンテキストを保持することをさらに行わせ、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目１１に記載の基地局。
（項目１７）
前記無線デバイスＲＡＮ通知エリア更新タイマが、
前記無線デバイスの移動速度、
前記無線デバイスの無線デバイスタイプ、
前記無線デバイスのネットワークスライス、または
前記無線デバイスのベアラ、のうちの少なくとも１つに基づいて構成される、項目１１に記載の基地局。
（項目１８）
前記コアネットワークエンティティがさらに、
前記第３のメッセージに基づいて、前記無線デバイスのページングメッセージを第２の基地局に伝送し、
前記第２の基地局から前記ページングメッセージに対する応答メッセージを受信する、項目１１に記載の基地局。
（項目１９）
前記無線デバイスが、周期ＲＡＮ通知エリア更新に障害が生じることに応答して、前記ＲＲＣ停止状態からＲＲＣアイドル状態にＲＲＣ状態を遷移させる、項目１１に記載の基地局。
（項目２０）
前記第２のメッセージが、ＲＲＣ接続再開要求メッセージを含む、項目１１に記載の基地局。
（項目２１）
第１の基地局によって、無線リソース制御（ＲＲＣ）接続状態からＲＲＣ停止状態への無線デバイスのＲＲＣ状態遷移を示す少なくとも１つの第１のメッセージを前記無線デバイスに伝送することと、
前記第１の基地局によって、前記無線デバイスから、前記無線デバイスによるＲＡＮ通知エリア更新を示す第２のメッセージを受信することと、
前記第１の基地局によって、前記第２のメッセージを前記受信することに応答して、ネットワーク無線アクセスネットワーク（ＲＡＮ）通知エリア更新タイマを開始することと、
前記第１の基地局によって、かつ前記ネットワークＲＡＮ通知エリア更新タイマの満了に応答して、前記無線デバイスの無線デバイスコンテキスト解放要求を示す第３のメッセージをコアネットワークエンティティに伝送することであって、前記第３のメッセージが、前記無線デバイスの識別子を含む、伝送することと、を含む、方法。
（項目２２）
第１の基地局によって、無線リソース制御（ＲＲＣ）接続状態からＲＲＣ停止状態への無線デバイスのＲＲＣ状態遷移を示す少なくとも１つの第１のメッセージを前記無線デバイスに伝送することであって、前記少なくとも１つの第１のメッセージが、周期的無線アクセスネットワーク（ＲＡＮ）通知エリア更新プロシージャの無線デバイスＲＡＮ通知エリア更新タイマと関連付けられた値を示すパラメータを含む、伝送することと、
前記第１の基地局によって、前記無線デバイスＲＡＮ通知エリア更新タイマの満了に応答して、前記無線デバイスによるＲＡＮ通知エリア更新を示す第２のメッセージを受信することと、
前記第１の基地局によって、コアネットワークエンティティに、かつ持続時間内にＲＡＮ通知エリア更新を受信しないことに応答して、前記無線デバイスの無線デバイスコンテキスト解放要求を示す第３のメッセージを伝送することであって、前記期間が、前記無線デバイスＲＡＮ通知エリア更新タイマと関連付けられた前記値よりも長い、伝送することと、を含む、方法。
（項目２３）
前記第３のメッセージが、前記無線デバイスの識別子を含む、項目２２に記載の方法。
（項目２４）
第１の基地局によって、無線リソース制御（ＲＲＣ）接続状態からＲＲＣ停止状態への無線デバイスのＲＲＣ状態遷移を示す少なくとも１つの第１のメッセージを前記無線デバイスに伝送することであって、前記少なくとも１つの第１のメッセージが、周期的無線アクセスネットワーク（ＲＡＮ）通知エリア更新プロシージャの無線デバイスＲＡＮ通知エリア更新タイマと関連付けられた第１の値を示すパラメータを含む、伝送することと、
前記無線デバイスによって、前記ＲＲＣ状態遷移に応答して、無線デバイスＲＡＮ通知エリア更新タイマを開始することと、
前記第１の基地局によって、前記無線デバイスＲＡＮ通知エリア更新タイマの満了に応答して、前記無線デバイスによる第２の値を有するＲＡＮ通知エリア更新を示す第２のメッセージを受信することと、
前記第１の基地局によって、前記第２のメッセージを前記受信することに応答して、ネットワークＲＡＮ通知エリア更新タイマを開始することと、
前記第１の基地局によって、コアネットワークエンティティに、かつ前記ネットワークＲＡＮ通知エリア更新タイマの満了に応答して、前記無線デバイスの無線デバイスコンテキスト解放要求を示す第３のメッセージを伝送することであって、
前記第３のメッセージが、前記無線デバイスの識別子を含み、
前記ネットワークＲＡＮ通知エリア更新タイマの前記第２の値が、前記無線デバイスＲＡＮ通知エリア更新タイマの前記第１の値よりも大きい、伝送することと、を含む、方法。
（項目２５）
方法であって、
前記第１の基地局によって、第１のコアネットワークエンティティから、無線リソース制御（ＲＲＣ）停止状態にある無線デバイスの１つ以上のパケットを受信することと、
前記第１の基地局によって、少なくとも１つのＲＡＮページングメッセージを少なくとも１つの第２の基地局に送信することを含む無線アクセスネットワーク（ＲＡＮ）ページングプロシージャを開始することであって、前記少なくとも１つのＲＡＮページングメッセージが、前記無線デバイスの第１の識別子を含む、開始することと、
前記第１の基地局によって、前記少なくとも１つのＲＡＮページングメッセージの応答を受信しないことに応答して、前記ＲＡＮページングプロシージャの障害を判定することと、
前記第１の基地局によって、前記ＲＡＮページングプロシージャの前記障害に応答して、第１のメッセージを第２のコアネットワークエンティティに送信することと、
前記第１の基地局によって、前記第２のコアネットワークエンティティから、かつ前記第１のメッセージに応答して、前記１つ以上のパケットをフォワーディングするための第３の基地局のトンネルエンドポイント識別子を含む第２のメッセージを受信することと、
前記第１の基地局によって、前記トンネルエンドポイント識別子に基づいて、前記１つ以上のパケットを前記第３の基地局に送信することと、を含む、方法。
（項目２６）
前記第２のコアネットワークエンティティによって、かつ前記第１のメッセージを受信することに応答して、第１のページングメッセージを前記第３の基地局に送信することを含むコアネットワークページングプロシージャを開始することであって、前記第１のページングメッセージが、前記無線デバイスの第２の識別子を含む、開始することと、
前記第２のコアネットワークエンティティによって、前記第３の基地局から、前記第１のページングメッセージに応答して、第３のメッセージを受信することであって、前記第３のメッセージが、前記第３の基地局の前記トンネルエンドポイント識別子を含む、受信することと、をさらに含む、項目２５に記載の方法。
（項目２７）
前記第１のコアネットワークエンティティが、制御プレーンコアネットワークノードを含み、
前記第２のコアネットワークエンティティが、ユーザプレーンコアネットワークノードを含む、項目２５に記載の方法。
（項目２８）
前記１つ以上のパケットを前記送信することが、前記第１の基地局と前記第３の基地局との間の直接トンネルを介し、前記直接トンネルが、前記トンネルエンドポイント識別子と関連付けられている、項目２５に記載の方法。
（項目２９）
前記トンネルエンドポイント識別子が、前記第３の基地局のインターネットプロトコル（ＩＰ）アドレスを含む、項目２５に記載の方法。
（項目３０）
前記第１のメッセージが、前記ＲＡＮページングプロシージャの障害を示す、項目２５に記載の方法。
（項目３１）
前記少なくとも１つのＲＡＮページングメッセージが、
ＲＡＮ通知情報、
前記無線デバイスのコンテキスト識別子、または
前記ＲＡＮページングプロシージャを開始する理由、のうちの少なくとも１つを含む、項目２５に記載の方法。
（項目３２）
前記少なくとも１つの第２の基地局が、前記少なくとも１つのＲＡＮページングメッセージを受信することに応答して、無線インターフェースを介して、第２のＲＡＮページングメッセージを伝送する、項目２５に記載の方法。
（項目３３）
１つ以上のプロセッサと、
命令を格納するメモリであって、該命令が、前記１つ以上のプロセッサによって実行されたときに、前記基地局に、
第１のコアネットワークエンティティから、無線リソース制御（ＲＲＣ）停止状態にある無線デバイスの１つ以上のパケットを受信することと、
少なくとも１つのＲＡＮページングメッセージを少なくとも１つの第２の基地局に送信することを含む無線アクセスネットワーク（ＲＡＮ）ページングプロシージャを開始することであって、前記少なくとも１つのＲＡＮページングメッセージが、前記無線デバイスの第１の識別子を含む、開始することと、
前記少なくとも１つのＲＡＮページングメッセージの応答を受信しないことに応答して、前記ＲＡＮページングプロシージャの障害を判定することと、
前記ＲＡＮページングプロシージャの前記障害に応答して、第１のメッセージを第２のコアネットワークエンティティに送信することと、
前記第２のコアネットワークエンティティから、かつ前記第１のメッセージに応答して、前記１つ以上のパケットをフォワーディングするための第３の基地局のトンネルエンドポイント識別子を含む第２のメッセージを受信することと、
前記トンネルエンドポイント識別子に基づいて、前記１つ以上のパケットを前記第３の基地局に送信することと、を行わせる、メモリと、を備える、基地局。
（項目３４）
前記第２のコアネットワークエンティティが、
前記第１のメッセージを受信することに応答して、第１のページングメッセージを前記第３の基地局に送信することを含むコアネットワークページングプロシージャを開始し、前記第１のページングメッセージが、前記無線デバイスの第２の識別子を含み、
前記第３の基地局から、前記第１のページングメッセージに応答して、第３のメッセージを受信し、前記第３のメッセージが、前記第３の基地局のトンネルエンドポイント識別子を含む、項目３３に記載の基地局。
（項目３５）
前記第１のコアネットワークエンティティが、制御プレーンコアネットワークノードを含み、
前記第２のコアネットワークエンティティが、ユーザプレーンコアネットワークノードを含む、項目３３に記載の基地局。
（項目３６）
前記１つ以上のパケットを前記送信することが、前記基地局と前記第３の基地局との間の直接トンネルを介し、前記直接トンネルが、前記トンネルエンドポイント識別子と関連付けられる、項目３３に記載の基地局。
（項目３７）
前記トンネルエンドポイント識別子が、前記第３の基地局のインターネットプロトコル（ＩＰ）アドレスを含む、項目３３に記載の基地局。
（項目３８）
前記第１のメッセージが、前記ＲＡＮページングプロシージャの障害を示す、項目３３に記載の基地局。
（項目３９）
前記少なくとも１つのＲＡＮページングメッセージが、
ＲＡＮ通知情報、
前記無線デバイスのコンテキスト識別子、または
前記ＲＡＮページングプロシージャを開始する理由、のうちの少なくとも１つを含む、項目３３に記載の基地局。
（項目４０）
前記少なくとも１つの第２の基地局が、前記少なくとも１つのＲＡＮページングメッセージを受信することに応答して、無線インターフェースを介して、第２のＲＡＮページングメッセージを伝送する、項目３３に記載の基地局。
（項目４１）
第３の基地局によって、第２のコアネットワークエンティティから、無線デバイスの第１のページングメッセージを受信することであって、前記第１のページングメッセージが、前記無線デバイスの第２の識別子を含む、受信することと、
前記第３の基地局によって、かつ前記第１のページングメッセージを受信することに応答して、無線インターフェースを介して、前記無線デバイスの第２のページングメッセージを伝送することと、
前記第３の基地局によって、前記無線デバイスから、かつ前記第１のページングメッセージに応答して、無線リソース制御（ＲＲＣ）接続のためのランダムアクセスプリアンブルを受信することと、
前記第３の基地局によって、前記第２のコアネットワークエンティティに、かつ前記ＲＲＣ接続に応答して、前記第３の基地局のトンネルエンドポイント識別子を含む第３のメッセージを伝送することと、
前記第３の基地局によって、前記トンネルエンドポイント識別子に基づいて、第１の基地局から１つ以上のパケットを受信することと、を含む、方法。
（項目４２）
前記第２のコアネットワークエンティティが、ユーザプレーンコアネットワークノードを含む、項目４１に記載の方法。
（項目４３）
前記１つ以上のパケットを前記受信することが、前記第１の基地局と前記第３の基地局との間の直接トンネルを介し、前記直接トンネルが、前記トンネルエンドポイント識別子と関連付けられる、項目４１に記載の方法。
（項目４４）
前記トンネルエンドポイント識別子が、前記第３の基地局のインターネットプロトコル（ＩＰ）アドレスを含む、項目４１に記載の方法。
（項目４５）
第１の基地局によって、第１のコアネットワークエンティティから無線デバイスの１つ以上のパケットを受信することと、
前記第１の基地局によって、少なくとも１つのページングメッセージを少なくとも１つの第２の基地局に送信することを含むページングプロシージャを開始することであって、前記少なくとも１つのページングメッセージが、前記無線デバイスの第１の識別子を含む、開始することと、
前記第１の基地局によって、前記ページングプロシージャの障害を判定することに応答して、第１のメッセージを第２のコアネットワークエンティティに送信することと、
前記第１の基地局によって、前記第２のコアネットワークエンティティから、かつ前記第１のメッセージに応答して、前記１つ以上のパケットをフォワーディングするための第３の基地局のトンネル識別子を含む第２のメッセージを受信することと、
前記第１の基地局によって、前記トンネル識別子に基づいて、前記１つ以上のパケットを前記第３の基地局に送信することと、を含む、方法。
（項目４６）
前記ページングプロシージャが、無線アクセスネットワーク（ＲＡＮ）ページングプロシージャである、項目４５に記載の方法。
（項目４７）
前記トンネル識別子が、トンネルエンドポイント識別子である、項目４５に記載の方法。
（項目４８）
前記無線デバイスが、無線リソース制御停止状態にある、項目４５に記載の方法。
（項目４９）
前記障害を前記判定することが、前記少なくとも１つのページングメッセージの応答を受信しないことに応答する、項目４５に記載の方法。
（項目５０）
前記第１のメッセージが、前記ページングプロシージャの前記障害を示す、項目４５に記載の方法。
（項目５１）
第１の基地局によって、前記第１の基地局の第１の無線アクセスネットワーク（ＲＡＮ）エリア識別子を含む第１のメッセージを第２の基地局に伝送することと、
前記第１の基地局によって、前記第２の基地局から、前記第２の基地局の第２のＲＡＮエリア識別子を含む第２のメッセージを受信することと、
前記第１の基地局によって、前記第１のＲＡＮエリア識別子を含む少なくとも１つの無線リソース制御（ＲＲＣ）メッセージを無線デバイスに伝送することであって、前記少なくとも１つのＲＲＣメッセージが、ＲＲＣ停止状態への前記無線デバイスの状態遷移を示す、伝送することと、
前記第１の基地局によって、前記無線デバイスの１つ以上のパケットを受信することと、
前記第１のＲＡＮエリア識別子が前記第２のＲＡＮエリア識別子と同一であるときに、前記第１の基地局によって、かつ前記１つ以上のパケットを受信することに応答して、ＲＡＮページングメッセージを前記第２の基地局に伝送することであって、前記ＲＡＮページングメッセージが、前記無線デバイスの識別子および前記第１のＲＡＮエリア識別子を含む、伝送することと、を含む、方法。
（項目５２）
前記第１のメッセージが、前記第１の基地局の第１のセルの第１のセル識別子をさらに含み、前記第１のセルが、前記第１のＲＡＮエリア識別子と関連付けられている、項目５１に記載の方法。
（項目５３）
前記第２のメッセージが、前記第２の基地局の第２のセルの第２のセル識別子をさらに含み、前記第２のセルが、前記第２のＲＡＮエリア識別子と関連付けられている、項目５１に記載の方法。
（項目５４）
前記ＲＡＮページングメッセージを前記伝送することが、前記無線デバイスが前記ＲＲＣ停止状態にあることにさらに応答する、項目５１に記載の方法。
（項目５５）
前記第１の基地局によって、前記ＲＡＮページングメッセージに応答して、前記第２の基地局から第３のメッセージを受信することと、
前記第１の基地局によって、前記第３のメッセージに応答して、前記無線デバイスの前記１つ以上のパケットを前記第２の基地局に伝送することと、をさらに含む、項目５１に記載の方法。
（項目５６）
前記第１の基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、または
セキュリティ情報、のうちの少なくとも１つを含む、項目５１に記載の方法。
（項目５７）
前記第１のメッセージが、
インターフェース設定要求メッセージ、
インターフェース設定応答メッセージ、または
基地局構成更新メッセージ、のうちの少なくとも１つを含む、項目５１に記載の方法。
（項目５８）
前記第１の基地局が、コアネットワークエンティティから前記１つ以上のパケットを受信する、項目５１に記載の方法。
（項目５９）
前記第１の基地局によって、１つ以上のＲＡＮページングメッセージを、前記第１のＲＡＮ識別子と関連付けられた１つ以上の第３の基地局に伝送することをさらに含む、項目５１に記載の方法。
（項目６０）
１つ以上のプロセッサと、
命令を格納するメモリであって、該命令が、前記１つ以上のプロセッサによって実行されたときに、前記基地局に、
前記基地局の第１の無線アクセスネットワーク（ＲＡＮ）エリア識別子を含む第１のメッセージを第２の基地局に伝送することと、
前記第２の基地局から前記第２の基地局の第２のＲＡＮエリア識別子を含む第２のメッセージを受信することと、
前記第１のＲＡＮエリア識別子を含む少なくとも１つの無線リソース制御（ＲＲＣ）メッセージを無線デバイスに伝送することであって、前記少なくとも１つのＲＲＣメッセージが、ＲＲＣ停止状態への前記無線デバイスの状態遷移を示す、伝送することと、
前記無線デバイスの１つ以上のパケットを受信することと、
前記第１のＲＡＮエリア識別子が前記第２のＲＡＮエリア識別子と同一であるときに、前記第２の基地局に、かつ前記１つ以上のパケットを受信することに応答して、ＲＡＮページングメッセージを伝送することであって、前記ＲＡＮページングメッセージが、前記無線デバイスの識別子および前記第１のＲＡＮエリア識別子を含む、伝送することと、を行わせる、メモリと、を備える、基地局。
（項目６１）
前記第１のメッセージが、前記基地局の第１のセルの第１のセル識別子をさらに含み、前記第１のセルが、前記第１のＲＡＮエリア識別子と関連付けられている、項目６０に記載の基地局。
（項目６２）
前記第２のメッセージが、前記第２の基地局の第２のセルの第２のセル識別子をさらに含み、前記第２のセルが、前記第２のＲＡＮエリア識別子と関連付けられている、項目６０に記載の基地局。
（項目６３）
前記ＲＡＮページングメッセージを前記伝送することが、前記無線デバイスが前記ＲＲＣ停止状態にあることにさらに応答する、項目６０に記載の基地局。
（項目６４）
前記命令が、前記１つ以上のプロセッサによって実行されたときに、前記基地局に、
前記ＲＡＮページングメッセージに応答して、前記第２の基地局から第３のメッセージを受信することと、
前記第３のメッセージに応答して、前記無線デバイスの前記１つ以上のパケットを前記第２の基地局に伝送することと、をさらに行わせる、項目６０に記載の基地局。
（項目６５）
前記基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、または
セキュリティ情報、のうちの少なくとも１つを含む、項目６０に記載の基地局。
（項目６６）
前記第１のメッセージが、
インターフェース設定要求メッセージ、
インターフェース設定応答メッセージ、または
基地局構成更新メッセージ、のうちの少なくとも１つを含む、項目６０に記載の基地局。
（項目６７）
前記基地局が、コアネットワークエンティティから前記１つ以上のパケットを受信する、項目６０に記載の基地局。
（項目６８）
前記命令が、前記１つ以上のプロセッサによって実行されたときに、前記基地局に、１つ以上のＲＡＮページングメッセージを、前記第１のＲＡＮ識別子と関連付けられた１つ以上の第３の基地局に伝送することをさらに行わせる、項目６０に記載の基地局。
（項目６９）
第２の基地局によって、第１の基地局から前記第１の基地局の第１の無線アクセスネットワーク（ＲＡＮ）エリア識別子を含む第１のメッセージを受信することと、
前記第２の基地局によって、前記第２の基地局の第２のＲＡＮエリア識別子を含む第２のメッセージを前記第１の基地局に伝送することと、
前記第２の基地局によって、前記第１のＲＡＮエリア識別子が前記第２のＲＡＮエリア識別子と同一であるときに、前記第１の基地局から無線デバイスのＲＡＮページングメッセージを受信することであって、前記無線デバイスが、
無線リソース制御（ＲＲＣ）停止状態にあり、かつ
前記第１のＲＡＮエリア識別子が割り当てられている、受信することと、を含む、方法。
（項目７０）
前記ＲＡＮページングメッセージが、前記無線デバイスの識別子および前記第１のＲＡＮエリア識別子を含む、項目６９に記載の方法。
（項目７１）
第１の基地局によって、第２の基地局から前記第２の基地局の第２の無線アクセスネットワーク（ＲＡＮ）エリア識別子を含む第２のメッセージを受信することと、
前記第１の基地局によって、第１のＲＡＮエリア識別子を含む少なくとも１つの第３のメッセージを無線デバイスに伝送することであって、前記少なくとも１つの第３のメッセージが、無線リソース制御停止状態への前記無線デバイスの状態遷移を示す、伝送することと、
前記第１の基地局によって、前記無線デバイスの１つ以上のパケットを受信することと、
前記第１の基地局によって、前記第１のＲＡＮエリア識別子が前記第２のＲＡＮエリア識別子と同一であるときに、前記１つ以上のパケットを受信することに応答して、ＲＡＮページングメッセージを前記第２の基地局に伝送することであって、前記ＲＡＮページングメッセージが、前記無線デバイスの識別子および前記第１のＲＡＮエリア識別子を含む、伝送することと、を含む、方法。
（項目７２）
前記第１の基地局によって、前記第１の基地局の第１のＲＡＮエリア識別子を含む第１のメッセージを前記第２の基地局に伝送することをさらに含む、項目７１に記載の方法。
（項目７３）
第１の基地局によって、第２の基地局から、無線デバイスと関連付けられた少なくとも１つの第１のパケットを受信することと、
前記第１の基地局によって、前記無線デバイスが無線リソース制御（ＲＲＣ）停止状態にあるときに、コアネットワークエンティティから前記無線デバイスの少なくとも１つの第２のパケットを受信することと、
前記第１の基地局によって、第１の持続時間が第１の時間値よりも大きいことに応答して、第１の無線アクセスネットワーク（ＲＡＮ）ページングメッセージを、前記無線デバイスと関連付けられたＲＡＮエリアの第３の基地局に伝送することであって、前記第１の持続時間が、前記少なくとも１つの第１のパケットを前記受信することと、前記少なくとも１つの第２のパケットを前記受信することとの間の持続時間を含む、伝送することと、
前記第１の基地局によって、前記第１の持続時間が前記第１の時間値よりも小さいか大きいかに関係なく、第２のＲＡＮページングメッセージを前記第２の基地局に伝送することと、
前記第１の基地局によって、前記第１のＲＡＮページングメッセージまたは前記第２のＲＡＮページングメッセージのうちの１つについて受信された応答に基づいて、前記少なくとも１つの第２のパケットを前記第２の基地局または前記第３の基地局のうちの１つに伝送することと、を含む、方法。
（項目７４）
前記ＲＡＮエリアが、ＲＡＮ通知エリアと関連付けられている、項目７３に記載の方法。
（項目７５）
前記第１のＲＡＮページングメッセージまたは前記第２のＲＡＮページングメッセージが、
無線デバイスの識別子と、
前記ＲＡＮエリアのＲＡＮエリア情報と、を含む、項目７３に記載の方法。
（項目７６）
前記少なくとも１つの第１のパケットが、
前記ＲＲＣ停止状態にある前記無線デバイスのアップリンクデータ伝送、
データ伝送、
ＲＡＮ通知エリア更新プロシージャ、
ＲＲＣ停止状態接続状態から前記ＲＲＣ停止状態への前記無線デバイスの状態遷移、のうちの少なくとも１つと関連付けられている、項目７３に記載の方法。
（項目７７）
前記第１の時間値が、前記無線デバイスの移動速度に基づく、項目７３に記載の方法。
（項目７８）
前記第１の基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目７３に記載の方法。
（項目７９）
前記第１の基地局が、前記ＲＡＮエリアと関連付けられている、項目７３に記載の方法。
（項目８０）
前記第１の基地局によって、前記ＲＡＮエリアのＲＡＮエリア情報を含む少なくとも１つのＲＲＣメッセージを前記無線デバイスに伝送することであって、前記少なくとも１つのＲＲＣメッセージが、前記ＲＲＣ停止状態への前記無線デバイスの状態遷移を示す、伝送することをさらに含む、項目７３に記載の方法。
（項目８１）
前記第２の基地局によって、
前記第２のＲＡＮページングメッセージを受信すること、および
第２の持続時間が第２の時間値よりも大きいことに応答して、前記無線デバイスと関連付けられた前記ＲＡＮエリアの第１のセルを介して、第１のページングメッセージを伝送することであって、前記第２の持続時間が、前記無線デバイスから前記少なくとも１つの第１のパケットを受信することと、前記第２のＲＡＮページングメッセージを前記受信することとの間の持続時間を含む、伝送することと、
前記第２の基地局によって、前記第２の持続時間が前記第２の時間値よりも小さいか大きいかに関係なく、第２のセルを介して、第２のページングメッセージを伝送することであって、前記第２の基地局が、前記第２のセルを介して、前記無線デバイスから前記少なくとも１つの第１のパケットを受信する、伝送することと、をさらに含む、項目７３に記載の方法。
（項目８２）
前記第２の基地局によって、前記第１のページングメッセージまたは前記第２のページングメッセージのうちの１つについて受信された応答に基づいて、前記第１のセルまたは前記第２のセルの１つを介して、前記少なくとも１つの第２のパケットを伝送することをさらに含む、項目８１に記載の方法。
（項目８３）
１つ以上のプロセッサと、
命令を格納するメモリであって、該命令が、前記１つ以上のプロセッサによって実行されたときに、前記基地局に、
前記第２の基地局から、無線デバイスと関連付けられた少なくとも１つの第１のパケットを受信することと、
前記無線デバイスが無線リソース制御（ＲＲＣ）停止状態にあるときに、コアネットワークエンティティから前記無線デバイスの少なくとも１つの第２のパケットを受信することと、
前記無線デバイスと関連付けられたＲＡＮエリアの第３の基地局に、かつ第１の持続時間が第１の時間値よりも大きいことに応答して、第１の無線アクセスネットワーク（ＲＡＮ）ページングメッセージを伝送することであって、前記第１の持続時間が、前記少なくとも１つの第１のパケットを前記受信することと、前記少なくとも１つの第２のパケットを前記受信することとの間の持続時間を含む、伝送することと、
前記第１の持続時間が前記第１の時間値よりも小さいか大きいかに関係なく、第２のＲＡＮページングメッセージを前記第２の基地局に伝送することと、
前記第１のＲＡＮページングメッセージまたは前記第２のＲＡＮページングメッセージのうちの１つについて受信された応答に基づいて、前記少なくとも１つの第２のパケットを前記第２の基地局または前記第３の基地局のうちの１つに伝送することと、を行わせる、メモリと、を備える基地局。
（項目８４）
前記ＲＡＮエリアが、ＲＡＮ通知エリアと関連付けられている、項目８３に記載の基地局。
（項目８５）
前記第１のＲＡＮページングメッセージまたは前記第２のＲＡＮページングメッセージが、
無線デバイスの識別子と、
前記ＲＡＮエリアのＲＡＮエリア情報と、を含む、項目８３に記載の基地局。
（項目８６）
前記少なくとも１つの第１のパケットが、
前記ＲＲＣ停止状態にある前記無線デバイスのアップリンクデータ伝送、
データ伝送、
ＲＡＮ通知エリア更新プロシージャ、
ＲＲＣ停止状態接続状態から前記ＲＲＣ停止状態への前記無線デバイスの状態遷移、のうちの少なくとも１つと関連付けられている、項目８３に記載の基地局。
（項目８７）
前記第１の時間値が、前記無線デバイスの移動速度に基づく、項目８３に記載の基地局。
（項目８８）
前記基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目８３に記載の基地局。
（項目８９）
前記基地局が、前記ＲＡＮエリアと関連付けられている、項目８３に記載の基地局。
（項目９０）
前記命令が、前記１つ以上のプロセッサによって実行されたときに、前記基地局に、前記ＲＡＮエリアのＲＡＮエリア情報を含む少なくとも１つのＲＲＣメッセージを前記無線デバイス伝送することであって、前記少なくとも１つのＲＲＣメッセージが、前記ＲＲＣ停止状態への前記無線デバイスの状態遷移を示す、伝送することをさらに行わせる、項目８３に記載の基地局。
（項目９１）
前記第２の基地局が、
前記無線デバイスと関連付けられた前記ＲＡＮエリアの第１のセルを介して、第１のページングメッセージを、
前記第２のＲＡＮページングメッセージを受信すること、および
第２の持続時間が第２の時間値よりも大きいこと、に応答して、伝送することであって、前記第２の持続時間が、前記無線デバイスから前記少なくとも１つの第１のパケットを受信することと、前記第２のＲＡＮページングメッセージを前記受信することとの間の持続時間を含む、伝送することと、
前記第２の持続時間が前記第２の時間値よりも小さいか大きいかに関係なく、第２のセルを介して、第２のページングメッセージを伝送することであって、前記第２の基地局が、前記第２のセルを介して、前記無線デバイスから前記少なくとも１つの第１のパケットを受信する、伝送することと、をさらに行う、項目８３に記載の基地局。
（項目９２）
前記第２の基地局が、前記第１のページングメッセージまたは前記第２のページングメッセージのうちの１つについて受信された応答に基づいて、前記第１のセルまたは前記第２のセルの１つを介して、前記少なくとも１つの第２のパケットをさらに伝送する、項目９１に記載の基地局。
（項目９３）
第１の基地局によって、第２の基地局から、無線デバイスと関連付けられた少なくとも１つの第１のパケットを受信することと、
前記第１の基地局によって、前記無線デバイスが無線リソース制御（ＲＲＣ）停止状態にあるときに、コアネットワークエンティティから前記無線デバイスの少なくとも１つの第２のパケットを受信することと、
前記第１の基地局によって、前記少なくとも１つの第１のパケットを前記受信することと、前記少なくとも１つの第２のパケットを前記受信することとの間の持続時間が、第１の時間値よりも大きいかどうかを判定することと、
前記持続時間が前記第１の時間値よりも大きいときに、
前記第１の基地局によって、第１の無線アクセスネットワーク（ＲＡＮ）ページングメッセージを、前記無線デバイスと関連付けられたＲＡＮエリアの第３の基地局に伝送することと、
前記持続時間が前記第１の時間値以下であるときに、
前記第１の基地局によって、第２のＲＡＮページングメッセージを前記第２の基地局に伝送することと、
前記第１の基地局によって、前記第１のＲＡＮページングメッセージまたは前記第２のＲＡＮページングメッセージのうちの１つについて受信された応答に基づいて、前記少なくとも１つの第２のパケットを前記第２の基地局または前記第３の基地局のうちの１つに伝送することと、を含む、方法。
（項目９４）
第１の基地局によって、無線デバイスから、前記第１の基地局の第１のセルを介して、少なくとも１つの第１のパケットを受信することと、
前記第１の基地局によって、前記無線デバイスが無線リソース制御停止状態であるときに、コアネットワークエンティティから前記無線デバイスの少なくとも１つの第２のパケットを受信することと、
前記第１の基地局によって、第１の持続時間が第１の時間値よりも大きいことに応答して、第１の無線アクセスネットワーク（ＲＡＮ）ページングメッセージを、前記無線デバイスと関連付けられたＲＡＮエリアの第２の基地局に伝送することであって、前記第１の持続時間が、前記少なくとも１つの第１のパケットを前記受信することと、前記少なくとも１つの第２のパケットを前記受信することとの間の持続時間を含む、伝送することと、
前記第１の基地局によって、前記第１の持続時間が前記第１の時間値よりも小さいか大きいかに関係なく、前記ＲＡＮエリアの１つ以上の第２のセルを介して、第２のＲＡＮページングメッセージを伝送することであって、前記１つ以上の第２のセルが、第１のセルを含む、伝送することと、
前記第１の基地局によって、前記第１のＲＡＮページングメッセージまたは前記第２のＲＡＮページングメッセージのうちの１つについて受信された応答に基づいて、前記１つ以上の第２のセルまたは前記第２の基地局のうちの１つを介して、前記少なくとも１つの第２のパケットを前記無線デバイスに伝送することと、を含む、方法。
（項目９５）
無線デバイスによって、基地局から、
少なくとも１つの論理チャネル、または
少なくとも１つの無線ベアラ、のうちの少なくとも１つの構成パラメータを含む少なくとも１つの第１のメッセージを受信することと、
前記無線デバイスによって、前記基地局から、無線リソース制御（ＲＲＣ）接続状態からＲＲＣ停止状態への前記無線デバイスのＲＲＣ状態遷移を示す第２のメッセージを受信することと、
前記ＲＲＣ停止状態にある前記無線デバイスによって、前記構成パラメータに基づいて、第１のセルを選択することと、
前記無線デバイスによって、前記第１のセルを介して、ランダムアクセスプリアンブルを前記基地局に伝送することと、を含む、方法。
（項目９６）
前記構成パラメータが、
前記第１のセルの第１のセル識別子、
前記少なくとも１つの論理チャネルの少なくとも１つの論理チャネル識別子、または
前記少なくとも１つの無線ベアラの少なくとも１つの無線ベアラ識別子、のうちの少なくとも１つをさらに含む、項目９５に記載の方法。
（項目９７）
前記構成パラメータが、前記少なくとも１つの論理チャネルまたは前記少なくとも１つの無線ベアラと、前記第１のセルとの関連付けを示す、項目９５に記載の方法。
（項目９８）
前記構成パラメータが、前記少なくとも１つの論理チャネル、または前記少なくとも１つの無線ベアラと、
１つ以上のセルタイプ、または
１つ以上の周波数帯域、のうちの少なくとも１つとの関連付けを示す、項目９５に記載の方法。
（項目９９）
前記構成パラメータが、第１のネットワークスライスと、
前記第１のセル、
１つ以上のセルタイプ、または
１つ以上の周波数帯域のうちの少なくとも１つとの関連付けをさらに示す、項目９５に記載の方法。
（項目１００）
前記少なくとも１つの論理チャネルまたは前記少なくとも１つの無線ベアラが、第１のネットワークスライスと関連付けられている、項目９５に記載の方法。
（項目１０１）
前記基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目９５に記載の方法。
（項目１０２）
前記第１のセルを前記選択することが、アップリンクバッファが、
前記少なくとも１つの論理チャネル、または
前記少なくとも１つの無線ベアラ、のうちの少なくとも１つと関連付けられた１つ以上のパケットを含むことに応答する、項目９５に記載の方法。
（項目１０３）
前記ランダムアクセスプリアンブルメッセージを前記伝送することが、
アップリンクバッファが１つ以上のパケットを含むこと、
前記基地局からのページング表示、
第１の無線アクセスネットワーク通知エリアへの移動、または
第１のトラッキングエリアへの移動、のうちの少なくとも１つに応答する、項目９５に記載の方法。
（項目１０４）
１つ以上のプロセッサと、
命令を格納するメモリであって、該命令が、前記１つ以上のプロセッサによって実行されたときに、前記無線デバイスに、
基地局から、
少なくとも１つの論理チャネル、または
少なくとも１つの無線ベアラ、のうちの少なくとも１つの構成パラメータを含む少なくとも１つの第１のメッセージを受信することと、
前記基地局から、無線リソース制御（ＲＲＣ）接続状態からＲＲＣ停止状態への前記無線デバイスのＲＲＣ状態遷移を示す第２のメッセージを受信することと、
前記構成パラメータに基づいて第１のセルを選択することであって、前記無線デバイスが、前記ＲＲＣ停止状態にある、選択することと、
前記第１のセルを介して、ランダムアクセスプリアンブルを前記基地局に伝送することと、を行わせる、メモリと、を備える、無線デバイス。
（項目１０５）
前記構成パラメータが、
前記第１のセルの第１のセル識別子、
前記少なくとも１つの論理チャネルの少なくとも１つの論理チャネル識別子、または
前記少なくとも１つの無線ベアラの少なくとも１つの無線ベアラ識別子、のうちの少なくとも１つをさらに含む、項目１０４に記載の無線デバイス。
（項目１０６）
前記構成パラメータが、前記少なくとも１つの論理チャネルまたは前記少なくとも１つの無線ベアラと、前記第１のセルとの関連付けを示す、項目１０４に記載の無線デバイス。
（項目１０７）
前記構成パラメータが、前記少なくとも１つの論理チャネル、または前記少なくとも１つの無線ベアラと、
１つ以上のセルタイプ、または
１つ以上の周波数帯域、のうちの少なくとも１つとの関連付けを示す、項目１０４に記載の無線デバイス。
（項目１０８）
前記構成パラメータが、第１のネットワークスライスと、
前記第１のセル、
１つ以上のセルタイプ、または
１つ以上の周波数帯域、のうちの少なくとも１つとの関連付けを示す、項目１０４に記載の無線デバイス。
（項目１０９）
前記少なくとも１つの論理チャネルまたは前記少なくとも１つの無線ベアラが、第１のネットワークスライスと関連付けられている、項目１０４に記載の無線デバイス。
（項目１１０）
前記基地局が、少なくとも前記無線デバイスが前記ＲＲＣ停止状態である時間中に、前記無線デバイスの無線デバイスコンテキストを保持し、前記無線デバイスコンテキストが、
ベアラ構成情報、
論理チャネル構成情報、
パケットデータコンバージェンスプロトコル構成情報、または
セキュリティ情報、のうちの少なくとも１つを含む、項目１０４に記載の無線デバイス。
（項目１１１）
前記第１のセルを前記選択することが、アップリンクバッファが、
前記少なくとも１つの論理チャネル、または
前記少なくとも１つの無線ベアラ、のうちの少なくとも１つと関連付けられた１つ以上のパケットを含むことに応答する、項目１０４に記載の無線デバイス。
（項目１１２）
前記ランダムアクセスプリアンブルメッセージを前記伝送することが、
アップリンクバッファが１つ以上のパケットを含むこと、
前記基地局からのページング表示、
第１の無線アクセスネットワーク通知エリアまで移動すること、または
第１のトラッキングエリアまで移動すること、のうちの少なくとも１つに応答する、項目１０４に記載の無線デバイス。
（項目１１３）
基地局によって、
少なくとも１つの論理チャネル、または
少なくとも１つの無線ベアラ、のうちの少なくとも１つの構成パラメータを含む少なくとも１つの第１のメッセージを無線デバイスに伝送することと、
前記基地局によって、無線リソース制御（ＲＲＣ）接続状態からＲＲＣ停止状態への前記無線デバイスのＲＲＣ状態遷移を示す第２のメッセージを前記無線デバイスに伝送することと、
前記基地局によって、前記無線デバイスから、前記構成パラメータに基づいて前記無線デバイスによって選択された前記第１のセルを介して、ランダムアクセスプリアンブルを受信することであって、前記無線デバイスが、前記ＲＲＣ停止状態にある、受信することと、を含む、方法。
（項目１１４）
前記構成パラメータが、
前記第１のセルの第１のセル識別子、
前記少なくとも１つの論理チャネルの少なくとも１つの論理チャネル識別子、または
前記少なくとも１つの無線ベアラの少なくとも１つの無線ベアラ識別子、のうちの少なくとも１つをさらに含む、項目１１３に記載の方法。
【図面の簡単な説明】
【０００３】
本開示の様々な実施形態のうちのいくつかの例が、図面を参照して本明細書に記載されている。
【図１】本開示の実施形態の態様に基づく、例示的なＲＡＮアーキテクチャの略図である。
【図２Ａ】本開示の実施形態の態様に基づく、例示的なユーザプレーンプロトコルスタックの略図である。
【図２Ｂ】本開示の実施形態の態様に基づく、例示的な制御ユーザプレーンプロトコルスタックの略図である。
【図３】本開示の実施形態の態様に基づく、例示的な無線デバイスおよび２つの基地局の略図である。
【図４Ａ】本開示の一実施形態の一局面に基づく、アップリンクおよびダウンリンク信号伝送の例示的な略図である。
【図４Ｂ】本開示の一実施形態の一局面に基づく、アップリンクおよびダウンリンク信号伝送の例示的な略図である。
【図４Ｃ】本開示の一実施形態の一局面に基づく、アップリンクおよびダウンリンク信号伝送の例示的な略図である。
【図４Ｄ】本開示の一実施形態の一局面に基づく、アップリンクおよびダウンリンク信号伝送の例示的な略図である。
【図５Ａ】本開示の実施形態の態様に基づく、例示的なアップリンクチャネルマッピング、および例示的アップリンク物理信号の略図である。
【図５Ｂ】本開示の実施形態の態様に基づく、例示的なダウンリンクチャネルマッピング、および例示的ダウンリンク物理信号の略図である。
【図６】本開示の実施形態の態様に基づく、例示的なフレーム構造を描いている略図である。
【図７Ａ】本開示の一実施形態の一局面によるＯＦＤＭサブキャリアの例示的なセットを描いている図である。
【図７Ｂ】本開示の一実施形態の一局面によるＯＦＤＭサブキャリアの例示的なセットを描いている図である。
【図８】本開示の実施形態の態様に基づく、例示的なＯＦＤＭ無線リソースを描いている略図である。
【図９Ａ】本開示の実施形態の態様に基づく、例示的なマルチ接続の略図である。
【図９Ｂ】本開示の実施形態の態様に基づく、例示的なマルチ接続の略図である。
【図１０】本開示の実施形態の態様に基づく、例示的なランダムアクセスプロシージャの略図である。
【図１１】本開示の実施形態の態様に基づく、例示的なＭＡＣエンティティの構造を示す図である。
【図１２】本開示の実施形態の態様に基づく、例示的なＲＡＮアーキテクチャの略図である。
【図１３】本開示の実施形態の態様に基づく、例示的なＲＲＣ状態の略図である。
【図１４】本開示の実施形態の態様に基づく、例示的な略図である。
【図１５】本開示の実施形態の態様に基づく、例示的な流れ図である。
【図１６】本開示の実施形態の態様に基づく、例示的な略図である。
【図１７】本開示の実施形態の態様に基づく、例示的な流れ図である。
【図１８】本開示の実施形態の態様に基づく、例示的な略図である。
【図１９】本開示の実施形態の態様に基づく、例示的な流れ図である。
【図２０】本開示の実施形態の態様に基づく、例示的な略図である。
【図２１】本開示の実施形態の態様に基づく、例示的な流れ図である。
【図２２】本開示の実施形態の態様に基づく、例示的な略図である。
【図２３】本開示の実施形態の態様に基づく、例示的な略図である。
【図２４】本開示の実施形態の態様に基づく、例示的な流れ図である。
【図２５】本開示の実施形態の態様に基づく、例示的な略図である。
【図２６】本開示の実施形態の態様に基づく、例示的な流れ図である。
【図２７】本開示の実施形態の態様に基づく、例示的な流れ図である。
【図２８】本開示の実施形態の態様に基づく、例示的な略図である。
【図２９】本開示の実施形態の態様に基づく、例示的な流れ図である。
【図３０】本開示の実施形態の態様に基づく、例示的な略図である。
【図３１】本開示の実施形態の態様に基づく、例示的な流れ図である。
【図３２】本開示の実施形態の態様に基づく、例示的な略図である。
【図３３】本開示の実施形態の態様に基づく、例示的な流れ図である。
【図３４】本開示の実施形態の態様に基づく、例示的な略図である。
【図３５】本開示の実施形態の態様に基づく、例示的な流れ図である。
【図３６】本開示の実施形態の態様に基づく、例示的な略図である。
【図３７】本開示の実施形態の態様に基づく、例示的な略図である。
【図３８】本開示の実施形態の態様に基づく、例示的な流れ図である。
【図３９】本開示の実施形態の態様に基づく、例示的略図である。
【図４０】本開示の実施形態の態様に基づく、例示的な流れ図である。
【図４１】本開示の実施形態の態様に基づく、例示的な流れ図である。
【発明を実施するための形態】
【０００４】
本開示を通じ、以下の略称が使用される。
【表１−１】
0006865849.tif 000002
【表１−２】
0006865849.tif 000003
【表１−３】
0006865849.tif 000004
【表１−４】
0006865849.tif 000005
【表１−５】
0006865849.tif 000006
【０００５】
本開示の例示的な実施形態は、様々な物理層変調および伝送メカニズムを使用して実施され得る。例示的な伝送メカニズムとしては、以下に限定されないが、符号分割多元接続（ＣＤＭＡ）、直交周波数分割多元接続（ＯＦＤＭＡ）、時分割多元接続（ＴＤＭＡ）、ウェーブレット技術、および／または同様のものが挙げられ得る。また、ＴＤＭＡ／ＣＤＭＡ、およびＯＦＤＭ／ＣＤＭＡなどのハイブリッド伝送メカニズムも用いられ得る。様々な変調方式を、物理層内の信号伝送に適用することができる。変調方式の例としては、以下に限定されないが、位相、振幅、符号、これらの組み合わせ、および／または同様のものが挙げられる。例示的な無線伝送方法は、２相位相変調（ＢＰＳＫ）を用いた直交振幅変調（ＱＡＭ）、４相位相変調（ＱＰＳＫ）、１６−ＱＡＭ、６４−ＱＡＭ、２５６−ＱＡＭ、および／または同様のものを実施することができる。物理的な無線伝送は、伝送要件および無線条件に応じて、変調および符号化方式を動的または準動的に変化させることによって、強化することができる。
【０００６】
図１は、本開示の実施形態の態様に基づく、例示的な無線アクセスネットワーク（ＲＡＮ）アーキテクチャである。この例に例示されているように、ＲＡＮノードは、次世代ノードＢ（ｇＮＢ）（例えば１２０Ａ、１２０Ｂ）であり得、第１の無線デバイス（例えば１１０Ａ）に向かう新無線（ＮＲ）ユーザプレーンおよび制御プレーンプロトコル終端を提供することができる。一例において、ＲＡＮノードは、次世代進化型ノードＢ（ｎｇ−ｅＮＢ）（例えば、１２４Ａ、１２４Ｂ）であってもよく、第２の無線デバイス（例えば、１１０Ｂ）に向かう進化型ＵＭＴＳ地上無線アクセス（Ｅ−ＵＴＲＡ）ユーザプレーンおよび制御プレーンプロトコル終端を提供することができる。第１の無線デバイスは、Ｕｕインターフェースを介してｇＮＢと通信することができる。第２の無線デバイスは、Ｕｕインターフェースを介してｎｇ−ｅＮＢと通信することができる。この開示では、無線デバイス１１０Ａおよび１１０Ｂは、構造的上、無線デバイス１１０と同様である。基地局１２０Ａおよび／または１２０Ｂは、構造上、基地局１２０と同様であり得る。基地局１２０は、ｇＮＢ（例えば１２２Ａおよび／または１２２Ｂ）、ｎｇ−ｅＮＢ（例えば１２４Ａおよび／または１２４Ｂ）、および／または同様のもの、のうちの少なくとも１つを備えることができる。
【０００７】
ｇＮＢまたはｎｇ−ｅＮＢは、無線リソース管理およびスケジューリング、ＩＰヘッダ圧縮、データの暗号化および保全性保護、ユーザ機器（ＵＥ）アタッチメントにおけるアクセスおよびモビリティ管理機能（ＡＭＦ）の選択、ユーザプレーンおよび制御プレーンデータのルーティング、接続設定および解放、（ＡＭＦから生み出された）ページングメッセージのスケジューリングおよび伝送、（ＡＭＦまたは運用およびメンテナンス（Ｏ＆Ｍ）から生み出された）システムブロードキャスト情報のスケジューリングおよび伝送、測定および測定レポート構成、アップリンク内のトランスポートレベルパケットマーキング、セッション管理、ネットワークスライシングのサポート、サービス品質（ＱｏＳ）フロー管理、およびデータ無線ベアラへのマッピング、ＲＲＣ＿ＩＮＡＣＴＩＶＥ状態にあるＵＥのサポート、非アクセス層（ＮＡＳ）メッセージのための分散機能、ＲＡＮ共有、およびデュアル接続、またはＮＲとＥ−ＵＴＲＡとの間の緊密なインターワーキングなどの機能をホストとして提供することができる。
【０００８】
一例において、１つ以上のｇＮＢおよび／または１つ以上のｎｇ−ｅＮＢは、Ｘｎインターフェースによって互いに相互接続することができる。ｇＮＢまたはｎｇ−ｅＮＢは、ＮＧインターフェースによって、５Ｇコアネットワーク（５ＧＣ）に接続することができる。一例において、５ＧＣは、１つ以上のＡＭＦ／ユーザ計画機能（ＵＰＦ）機能（例えば、１３０Ａまたは１３０Ｂ）を備えることができる。ｇＮＢまたはｎｇ−ｅＮＢは、ＮＧ−ユーザプレーン（ＮＧ−Ｕ）インターフェースによってＵＰＦに接続することができる。ＮＧ−Ｕインターフェースは、ＲＡＮノードとＵＰＦとの間にユーザプレーンプロトコルデータユニット（ＰＤＵ）の配信（例えば、非保証配信）を提供することができる。ｇＮＢまたはｎｇ−ｅＮＢは、ＮＧ−制御プレーン（ＮＧ−Ｃ）インターフェースによってＡＭＦに接続することができる。ＮＧ−Ｃインターフェースは、ＮＧインターフェース管理、ＵＥコンテキスト管理、ＵＥモビリティ管理、ＮＡＳメッセージのトランスポート、ページング、ＰＤＵセッション管理、構成転送、または警告メッセージ伝送などの機能を提供することができる。
【０００９】
一例において、ＵＰＦは、イントラ／インター無線アクセス技術（ＲＡＴ）モビリティ（適用可能な場合）のためのアンカーポイント、データネットワークとの相互接続の外部ＰＤＵセッションポイント、パケットルーティングおよびフォワーディング、ポリシールール強制のパケット検査およびユーザプレーン部分、トラフィック使用レポート、データネットワークへのトラフィックフローのルーティングをサポートするためのアップリンク分類子、マルチホームＰＤＵセッションをサポートするための分岐ポイント、ユーザプレーンのためのＱｏＳ処理、例えばパケットフィルタリング、ゲーティング、アップリンク（ＵＬ）／ダウンリンク（ＤＬ）レート強制、アップリンクトラフィック検証（例えば、ＱｏＳフローマッピングへのサービスデータフロー（ＳＤＦ））、ダウンリンクパケットバッファリング、および／またはダウンリンクデータ通知トリガリングなどの機能をホストとして提供することができる。
【００１０】
一例において、ＡＭＦは、ＮＡＳシグナリング終端、ＮＡＳシグナリングセキュリティ、アクセス層（ＡＳ）セキュリティ制御、第３世代パートナーシッププロジェクト（３ＧＰＰ）アクセスネットワーク間のモビリティのためのインターコアネットワーク（ＣＮ）ノードシグナリング、アイドルモードＵＥ到達可能性（例えば、ページング再伝送の制御および実行）、登録エリア管理、システム内およびシステム間のモビリティのサポート、アクセス認証、ローミング権のチェックを含むアクセス認定、モビリティ管理制御（加入およびポリシー）、ネットワークスライシングのサポート、および／またはセッション管理機能（ＳＭＦ）選択などの機能をホストとして提供することができる。
【００１１】
図２Ａは、例示的ユーザプレーンプロトコルスタックであり、ここでは、サービスデータ適応プロトコル（ＳＤＡＰ）（例えば、２１１および２２１）、パケットデータコンバージェンスプロトコル（ＰＤＣＰ）（例えば、２１２および２２２）、無線リンク制御（ＲＬＣ）（例えば、２１３および２２３）ならびに媒体アクセス制御（ＭＡＣ）（例えば、２１４および２２４）サブレイヤ、ならびに物理（ＰＨＹ）（例えば、２１５および２２５）層は、ネットワーク側の無線デバイス（例えば、１１０）およびｇＮＢ（例えば１２０）で終端することができる。一例において、ＰＨＹ層は、トランスポートサービスをより上位層（例えば、ＭＡＣ、ＲＲＣなど）に提供する。一例において、ＭＡＣサブレイヤのサービスおよび機能は、論理チャネルとトランスポートチャネルとの間のマッピング、ＰＨＹ層へ／から送達されるトランスポートブロック（ＴＢ）へ／からの、１つまたは異なる論理チャネルに属するＭＡＣサービスデータユニット（ＳＤＵ）の多重化／分割化、スケジューリング情報レポート、ハイブリッド自動反復要求（ＨＡＲＱ）（例えば、キャリアアグリゲーション（ＣＡ）の場合は、キャリア当たり１つのＨＡＲＱエンティティ）を介する誤り訂正、動的スケジューリングによるＵＥ間の優先度処理、論理チャネル優先度付けによる１つのＵＥの論理チャネル間の優先度処理、および／またはパディングを含むことができる。ＭＡＣエンティティは、１つもしくは複数のヌメロロジ、および／または伝送タイミングをサポートすることができる。一例において、論理チャネル優先度付けにおけるマッピング制限により、論理チャネルがどのヌメロロジおよび／または伝送タイミングを使用することができるかを制御することができる。一例において、ＲＬＣサブレイヤは、トランスペアレントモード（ＴＭ）、非肯定モード（ＵＭ）、および肯定モード（ＡＭ）伝送モードをサポートすることができる。このＲＬＣ構成は、ヌメロロジおよび／または伝送時間間隔（ＴＴＩ）持続時間に依存せずに論理チャネル毎にあり得る。一例において、自動反復要求（ＡＲＱ）は、論理チャネルが構成されているいずれのヌメロロジおよび／またはＴＴＩ持続時間に関して動作することができる。一例において、ユーザプレーンのためのＰＤＣＰ層のサービスおよび機能は、シーケンスナンバリング、ヘッダ圧縮および解凍、ユーザデータの転送、リオーダリングおよび重複検出、ＰＤＣＰ  ＰＤＵルーティング（例えば、分割ベアラの場合）、ＰＤＣＰ  ＳＤＵの再伝送、暗号化、暗号解読および完全性保護、ＰＤＣＰ  ＳＤＵ破棄、ＲＬＣ  ＡＭのためのＰＤＣＰ再確立およびデータ回復、ならびに／またはＰＤＣＰ  ＰＤＵの複製を含むことができる。一例において、ＳＤＡＰのサービスおよび機能は、ＱｏＳフローとデータ無線ベアラとの間のマッピングを含むことができる。一例において、ＳＤＡＰのサービスおよび機能は、ＤＬパケットおよびＵＬパケットにおけるサービス品質インジケータ（ＱＦＩ）をマッピングすることを含むことができる。一例において、ＳＤＡＰのプロトコルエンティティは、個々のＰＤＵセッションのために構成することができる。
【００１２】
図２Ｂは、例示的制御プレーンプロトコルスタックであり、ここで、ＰＤＣＰ（例えば、２３３および２４２）、ＲＬＣ（例えば、２３４および２４３）、およびＭＡＣ（例えば、２３５および２４４）サブレイヤ、ならびにＰＨＹ（例えば、２３６および２４５）層は、ネットワーク側の無線デバイス（例えば、１１０）およびｇＮＢ（例えば、１２０）で終端することができ、上述のサービスおよび機能を実行することができる。一例において、ＲＲＣ（例えば、２３２および２４１）は、無線デバイス、およびネットワーク側のｇＮＢで終端することができる。一例において、ＲＲＣのサービスおよび機能は、ＡＳおよびＮＡＳに関するシステム情報のブロードキャスト、５ＧＣまたはＲＡＮにより起動されるページング、ＵＥとＲＡＮとの間のＲＲＣ接続の確立、維持、および解放、シグナリング無線ベアラ（ＳＲＢ）およびデータ無線ベアラ（ＤＲＢ）のキー管理、確立、構成、メンテナンスおよび解放を含むセキュリティ機能、モビリティ機能、ＱｏＳ管理機能、ＵＥ測定レポートおよびそのレポートの制御、無線リンク障害の検出およびそこからの回復、ならびに／または、ＵＥからの／へのＮＡＳへ／からのＮＡＳメッセージ転送を含むことができる。一例において、ＮＡＳ制御プロトコル（例えば、２３１および２５１）は、無線デバイス、およびネットワーク側のＡＭＦ（例えば、１３０）で終端されてもよく、ＵＥと、３ＧＰＰアクセスおよび非３ＧＰＰアクセスのためのＡＭＦとの間のモビリティ管理、ならびにＵＥと、３ＧＰＰアクセスおよび非３ＧＰＰアクセスのＳＭＦとの間のセッション管理などの機能を実行することができる。
【００１３】
一例において、基地局は、無線デバイスのための複数の論理チャネルを構成することができる。複数の論理チャネル内の論理チャネルは、無線ベアラに対応することができ、無線ベアラは、ＱｏＳ要件と関連付けることができる。一例において、基地局は、複数のＴＴＩ／ヌメロロジ中の１つ以上のＴＴＩ／ヌメロロジにマッピングされている論理チャネルを構成することができる。無線デバイスは、アップリンクグラントを示す物理ダウンリンク制御チャネル（ＰＤＣＣＨ）を介して、ダウンリンク制御情報（ＤＣＩ）を受信することができる。一例において、アップリンクグラントは、第１のＴＴＩ／ヌメロロジのためにあり得、トランスポートブロックの伝送のためのアップリンクリソースを示すことができる。基地局は、無線デバイスのＭＡＣ層で論理チャネル優先度付けプロシージャによって使用される１つ以上のパラメータを有する複数の論理チャネルにそれぞれの論理チャネルを構成することができる。その１つ以上のパラメータは、優先度、優先されたビットレートなどを含むことができる。複数の論理チャネル内の各論理チャネルは、その論理チャネルに関連付けられたデータを含む１つ以上のバッファに対応することができる。論理チャネル優先度付けプロシージャは、複数の論理チャネル、および／または１つ以上のＭＡＣ制御要素（ＣＥ）内の１つ以上の第１の論理チャネルにアップリンクリソースを割り当てることができる。この１つ以上の第１の論理チャネルは、第１のＴＴＩ／ヌメロロジにマッピングされることができる。無線デバイスでのＭＡＣ層は、ＭＡＣ  ＰＤＵ（例えば、トランスポートブロック）内で、１つ以上のＭＡＣ  ＣＥ、および／または１つ以上のＭＡＣ  ＳＤＵ（例えば、論理チャネル）を多重化することができる。一例において、ＭＡＣ  ＰＤＵは、複数のＭＡＣサブヘッダを含むＭＡＣヘッダを含むことができる。複数のＭＡＣサブヘッダ内のＭＡＣサブヘッダは、１つ以上のＭＡＣ  ＣＥ、および／または１つ以上のＭＡＣ  ＳＤＵ内のＭＡＣ  ＣＥまたはＭＡＣ  ＳＵＤ（論理チャネル）に対応することができる。一例において、ＭＡＣ  ＣＥまたは論理チャネルは、論理チャネル識別子（ＬＣＩＤ）を使用して構成することができる。一例において、論理チャネルまたはＭＡＣ  ＣＥのためのＬＣＩＤは、固定／事前構成することができる。一例において、論理チャネルまたはＭＡＣ  ＣＥのためのＬＣＩＤは、基地局により無線デバイスのために構成することができる。ＭＡＣ  ＣＥまたはＭＡＣ  ＳＤＵに対応するＭＡＣサブヘッダは、ＭＡＣ  ＣＥまたはＭＡＣ  ＳＤＵと関連付けられたＬＣＩＤを含むことができる。
【００１４】
一例において、基地局は、１つ以上のＭＡＣコマンドを用いることによって、無線デバイスにおける１つ以上のプロセスを作動および／もしくは停止させ、ならびに／または影響を与えることができる（例えば、１つ以上のプロセスのうちの１つ以上のパラメータの設定値が、１つ以上のプロセスのうちの１つ以上のタイマを開始および／または中止させる）。この１つ以上のＭＡＣコマンドは、１つ以上のＭＡＣ制御要素を含むことができる。一例において、１つ以上のプロセスは、１つ以上の無線ベアラのためのＰＤＣＰパケット複製の作動および／または停止を含むことができる。基地局は、１つ以上のフィールドを含むＭＡＣ  ＣＥ、１つ以上の無線ベアラのためのＰＤＣＰ複製の作動および／または停止を示すフィールドの値を伝送することができる。一例において、１つ以上のプロセスは、１つ以上のセル上のチャネル状態情報（ＣＳＩ）伝送を含むことができる。基地局は、１つ以上のセル上のＣＳＩ伝送の作動および／または停止を示す１つ以上のＭＡＣ  ＣＥを伝送することができる。一例において、１つ以上のプロセスは、１つ以上のセカンダリセルの作動または停止を含んでもよい。一例において、基地局は、１つ以上のセカンダリセルの作動または停止を示すＭＡ  ＣＥを伝送することができる。一例において、基地局は、無線デバイスにおける１つ以上の間欠受信（ＤＲＸ）タイマの開始および／または中止を示す１つ以上のＭＡＣ  ＣＥを伝送することができる。一例において、基地局は、１つ以上のタイミングアドバンスグループ（ＴＡＧ）のための１つ以上のタイミングアドバンス値を示す１つ以上のＭＡＣ  ＣＥを伝送することができる。
【００１５】
図３は、基地局（基地局１、１２０Ａ、および基地局２、１２０Ｂ）および無線デバイス１１０のブロック図である。無線デバイスは、ＵＥと呼ばれることがある。基地局は、ＮＢ、ｅＮＢ、ｇＮＢ、および／またはｎｇ−ｅＮＢと呼ばれることがある。一例において、無線デバイスおよび／または基地局は、中継ノードとしての役割を果たすことができる。基地局１、１２０Ａは、少なくとも１つの通信インターフェース３２０Ａ（例えば、無線モデム、アンテナ、有線モデム、および／または同様のもの）と、少なくとも１つのプロセッサ３２１Ａと、非一過性メモリ３２２Ａ内に格納され、かつ少なくとも１つのプロセッサ３２１Ａによって実行可能なプログラムコード命令３２３Ａの少なくとも１つのセットと、を備えることができる。基地局２、１２０Ｂは、少なくとも１つの通信インターフェース３２０Ｂと、少なくとも１つのプロセッサ３２１Ｂと、非一過性メモリ３２２Ｂ内に格納され、かつ少なくとも１つのプロセッサ３２１Ｂによって実行可能なプログラムコード命令３２３Ｂの少なくとも１つのセットと、を備えることができる。
【００１６】
基地局は、多数のセクタ、例えば、１、２、３、４、または６つのセクタを含むことができる。基地局は、例えば、１〜５０以上の範囲の多数のセルを含むことができる。セルは、例えば、プライマリセルまたはセカンダリセルとしてカテゴリ化することができる。無線リソース制御（ＲＲＣ）接続確立／再確立／ハンドオーバにおいて、１つのサービングセルは、ＮＡＳ（非アクセス層）モビリティ情報（例えば、トラッキングエリア識別子（ＴＡＩ））を提供することができる。ＲＲＣ接続再確立／ハンドオーバにおいて、１つのサービングセルは、セキュリティ入力を提供することができる。このセルは、プライマリセル（ＰＣｅｌｌ）と呼ばれることがある。ダウンリンクでは、ＰＣｅｌｌに対応するキャリアは、ＤＬプライマリコンポーネントキャリア（ＰＣＣ）であり得、これに対して、アップリンクでは、キャリアは、ＵＬ  ＰＣＣであり得る。無線デバイス能力に応じて、セカンダリセル（ＳＣｅｌｌ）は、ＰＣｅｌｌと一緒にサービングセルのセットを形成するように構成することができる。ダウンリンクでは、ＳＣｅｌｌに対応するキャリアは、ダウンリンクセカンダリコンポーネントキャリア（ＤＬ  ＳＣＣ）であり得、これに対して、アップリンクでは、キャリアは、アップリンクセカンダリコンポーネントキャリア（ＵＬ  ＳＣＣ）であり得る。ＳＣｅｌｌは、アップリンクキャリアを有しても有していなくてもよい。
【００１７】
ダウンリンクキャリア、および任意にアップリンクキャリアを含むセルには、物理セルＩＤおよびセルインデックスが割り当てることができる。キャリア（ダウンリンクまたはアップリンク）は、１つのセルに属することができる。セルＩＤまたはセルインデックスはまた、セルのダウンリンクキャリアまたはアップリンクキャリアを識別することもできる（その状況に応じて、それは、使用される）。本開示では、セルＩＤは、同様に、キャリアＩＤと呼ばれることがあり、セルインデックスは、キャリアインデックスと呼ばれることがある。一実施形態では、物理セルＩＤまたはセルインデックスをセルに割り当てることができる。セルＩＤは、ダウンリンクキャリア上に伝送される同期信号を使用して判定することができる。セルインデックスは、ＲＲＣメッセージを使用して判定することができる。例えば、本開示が第１のダウンリンクキャリアに対する第１の物理セルＩＤに言及する場合、本開示は、第１の物理セルＩＤが、第１のダウンリンクキャリアを含むセルに対するものであることを意味し得る。同じ概念は、例えば、キャリア作動に当てはまり得る。本開示が第１のキャリアが作動されることを示す場合、本明細書は、第１のキャリアを含むセルが作動されることを同様に意味し得る。
【００１８】
基地局は、１つ以上のセルに対する複数の構成パラメータを含む１つ以上のメッセージ（例えば、ＲＲＣメッセージ）を無線デバイスに伝送することができる。１つ以上のセルは、少なくとも１つのプライマリセル、および少なくとも１つのセカンダリセルを含むことができる。一例において、ＲＲＣメッセージは、無線デバイスにブロードキャストまたはユニキャストすることができる。一例において、構成パラメータは、共通パラメータおよび専用パラメータを含むことができる。
【００１９】
ＲＲＣサブレイヤのサービスおよび／もしくは機能は、ＡＳおよびＮＡＳに関するシステム情報のブロードキャスト、５ＧＣおよび／もしくはＮＧ−ＲＡＮにより開始されたページング、無線デバイスとＮＧ−ＲＡＮとの間のＲＲＣ接続の確立、維持、および／もしくは解放であってそれらがキャリアアグリゲーションの追加、修正、および解放のうちの少なくとも１つを含み得るもの、または、ＮＲ内、もしくはＥ−ＵＴＲＡとＮＲとの間のデュアル接続の解放、のうちの少なくとも１つを含むことができる。ＲＲＣサブレイヤのサービスおよび／または機能は、キー管理を含むセキュリティ機能のうちの少なくとも１つ、シグナリング無線ベアラ（ＳＲＢ）および／もしくはデータ無線ベアラ（ＤＲＢ）の確立、構成、維持、および／もしくは解放、ハンドオーバ（例えば、ＮＲモビリティ内またはＲＡＴ間モビリティ）およびコンテキスト転送のうちの少なくとも１つを含み得るモビリティ機能、または、無線デバイスセル選択および再選択、ならびにセル選択および再選択の制御をさらに含むことができる。ＲＲＣサブレイヤのサービスおよび／または機能は、ＱｏＳ管理機能、無線デバイス測定構成／レポート、無線リンク障害の検出および／もしくはそこからの回復、または、無線デバイスから／へのコアネットワークエンティティ（例えば、ＡＭＦ、モビリティ管理エンティティ（ＭＭＥ））へ／からのＮＡＳメッセージ転送、のうちの少なくとも１つをさらに含むことができる。
【００２０】
ＲＲＣサブレイヤは、無線デバイスに対してＲＲＣ＿Ｉｄｌｅ状態、ＲＲＣ＿Ｉｎａｃｔｉｖｅ状態、および／またはＲＲＣ＿Ｃｏｎｎｅｃｔｅｄ状態をサポートすることができる。ＲＲＣ＿Ｉｄｌｅ状態では、無線デバイスは、パブリックランドモバイルネットワーク（ＰＬＭＮ）選択、ブロードキャストされたシステム情報の受信、セル選択／再選択、５ＧＣにより開始されたモバイル終端データに対するページングのモニタ／受信、５ＧＣにより管理されたモバイル終端データエリアに対するページング、またはＮＡＳを介して構成されたＣＮページングに対するＤＲＸ、のうちの少なくとも１つを実行することができる。ＲＲＣ＿Ｉｎａｃｔｉｖｅ状態では、無線デバイスは、ブロードキャストされたシステム情報の受信、セル選択／再選択、ＮＧ−ＲＡＮ／５ＧＣにより開始されたＲＡＮ／ＣＮページングのモニタ／受信、ＮＧ−ＲＡＮにより管理されたＲＡＮベース通知エリア（ＲＮＡ）、または、ＮＧ−ＲＡＮ／ＮＡＳにより構成されたＲＡＮ／ＣＮページングに対するＤＲＸ、のうちの少なくとも１つを実行することができる。無線デバイスのＲＲＣ＿Ｉｄｌｅ状態では、基地局（例えば、ＮＧ−ＲＡＮ）は、無線デバイスに対する５ＧＣ−ＮＧ−ＲＡＮ接続（Ｃ／Ｕ−プレーンの両方）を保持することができ、および／または無線デバイスに対するＵＥ  ＡＳコンテキストを保存することができる。無線デバイスのＲＲＣ＿Ｃｏｎｎｅｃｔｅｄ状態では、基地局（例えば、ＮＧ−ＲＡＮ）は、無線デバイスに対する５ＧＣ−ＮＧ−ＲＡＮ接続（Ｃ／Ｕ−プレーンの両方）の確立、無線デバイスに対するＵＥ  ＡＳコンテキストの保存、無線デバイスへの／からのユニキャストデータの伝送／受信、または、無線デバイスから受信された測定結果に基づくネットワーク制御されたモビリティ、のうちの少なくとも１つを実行することができる。無線デバイスのＲＲＣ＿Ｃｏｎｎｅｃｔｅｄ状態では、ＮＧ−ＲＡＮは、無線デバイスが属するセルを知ることができる。
【００２１】
システム情報（ＳＩ）は、最小ＳＩおよび他のＳＩに分割することができる。最小ＳＩは、周期的にブロードキャストすることができる。最小ＳＩは、初期アクセスのために必要である基本情報、および任意の他のＳＩブロードキャストを周期的に取得するための情報、または要求に応じて準備された情報、すなわちスケジューリング情報を含むことができる。他のＳＩは、専用の方法でブロードキャストまたは提供のいずれかを行うことができ、ネットワークまたは無線デバイスからの要求のいずれかによって、トリガすることができる。最小ＳＩは、異なるメッセージ（例えば、ＭａｓｔｅｒＩｎｆｏｒｍａｔｉｏｎＢｌｏｃｋおよびＳｙｓｔｅｍＩｎｆｏｒｍａｔｉｏｎＢｌｏｃｋＴｙｐｅ１）を使用して２つの異なるダウンリンクチャネルを介して伝送することができる。別のＳＩは、ＳｙｓｔｅｍＩｎｆｏｒｍａｔｉｏｎＢｌｏｃｋＴｙｐｅ２を介して伝送することができる。ＲＲＣ＿Ｃｏｎｎｅｃｔｅｄ状態にある無線デバイスの場合、専用ＲＲＣシグナリングは、他のＳＩの要求および送達の場合に用いることができる。ＲＲＣ＿Ｉｄｌｅ状態および／またはＲＲＣ＿Ｉｎａｃｔｉｖｅ状態にある無線デバイスの場合、要求は、ランダムアクセスプロシージャをトリガすることができる。
【００２２】
無線デバイスは、静的であり得る、その無線アクセス能力情報をレポートすることができる。基地局は、無線デバイスが帯域情報に基づいてレポートする能力がどれほどかについて要求することができる。ネットワークによって許可される場合、一時的な能力制限要求を無線デバイスによって送信して、（例えば、ハードウェアの共有、干渉、またはオーバーヒートのため）いくつかの能力の可用性が制限されていることを基地局に知らせることができる。基地局は、その要求を確認または拒否することができる。一時的な能力制限は、５ＧＣに対してトランスペアレントであり得る（例えば、静的能力は、５ＧＣにおいて保存され得る）。
【００２３】
ＣＡが構成されている場合、無線デバイスは、ネットワークとのＲＲＣ接続を有することができる。ＲＲＣ接続確立／再確立／ハンドオーバプロシージャでは、１つのサービングセルが、ＮＡＳモビリティ情報を提供することができ、ＲＲＣ接続再確立／ハンドオーバでは、１つのサービングセルが、セキュリティ入力を提供することができる。このセルは、ＰＣｅｌｌと呼ばれることがある。無線デバイスの能力に応じて、ＳＣｅｌｌは、ＰＣｅｌｌと一緒にサービングセルのセットを形成するように構成することができる。無線デバイスのために構成されたサービングセルのセットは、１つのＰＣｅｌｌ、および１つ以上のＳＣｅｌｌを含むことができる。
【００２４】
ＳＣｅｌｌの再構成、追加、および削除は、ＲＲＣによって実行することができる。ＮＲ内ハンドオーバにおいて、ＲＲＣはまた、ターゲットＰＣｅｌｌとの使用のために、ＳＣｅｌｌを追加、削除、または再構成することもできる。新しいＳＣｅｌｌを追加する場合、専用ＲＲＣシグナリングを用いて、ＳＣｅｌｌのすべての必要なシステム情報を送信することができ、すなわち、接続モードにある間は、無線デバイスは、ブロードキャストされたシステム情報を、ＳＣｅｌｌから直接取得する必要がない場合がある。
【００２５】
ＲＲＣ接続再構成プロシージャの目的は、ＲＲＣ接続を変更すること、（例えば、ＲＢを確立、変更、および／または解放すること、ハンドオーバを実行すること、測定を設定、変更、および／または解放すること、ＳＣｅｌｌおよびセルグループを追加、変更、および／または解放すること）であり得る。ＲＲＣ接続再構成プロシージャの一部として、ＮＡＳ専用情報を、ネットワークから無線デバイスに転送することができる。ＲＲＣＣｏｎｎｅｃｔｉｏｎＲｅｃｏｎｆｉｇｕｒａｔｉｏｎメッセージは、ＲＲＣ接続を変更するためのコマンドであり得る。それは、任意の関連付けられた専用ＮＡＳ情報およびセキュリティ構成を含む測定構成、モビリティ制御、無線リソース構成（例えば、ＲＢ、ＭＡＣの主要な構成および物理チャネル構成）のための情報を伝達することができる。受信されたＲＲＣ  Ｃｏｎｎｅｃｔｉｏｎ  Ｒｅｃｏｎｆｉｇｕｒａｔｉｏｎメッセージが、ｓＣｅｌｌＴｏＲｅｌｅａｓｅＬｉｓｔを含む場合、無線デバイスは、ＳＣｅｌｌ解放を実行することができる。受信されたＲＲＣ  Ｃｏｎｎｅｃｔｉｏｎ  Ｒｅｃｏｎｆｉｇｕｒａｔｉｏｎメッセージが、ｓＣｅｌｌＴｏＡｄｄＭｏｄＬｉｓｔを含む場合、無線デバイスは、ＳＣｅｌｌ追加または変更を実行することができる。
【００２６】
ＲＲＣ接続確立（または再確立、再開）プロシージャとは、ＲＲＣ接続を確立（または再確立、再開）することであり得、ＲＲＣ接続確立プロシージャは、ＳＲＢ１確立を含むことができる。ＲＲＣ接続確立プロシージャを使用して、無線デバイスからＥ−ＵＴＲＡＮに初期ＮＡＳ専用情報／メッセージを転送することができる。ＲＲＣＣｏｎｎｅｃｔｉｏｎＲｅｅｓｔａｂｌｉｓｈｍｅｎｔメッセージを使用して、ＳＲＢ１を再確立することができる。
【００２７】
測定レポートプロシージャとは、無線デバイスからＮＧ−ＲＡＮに測定結果を転送することであり得る。無線デバイスは、正常なセキュリティ作動の後に測定レポートプロシージャを開始することができる。測定レポートメッセージを用いて、測定結果を伝送することができる。
【００２８】
無線デバイス１１０は、少なくとも１つの通信インターフェース３１０（例えば、無線モデム、アンテナ、および／または同様のもの）と、少なくとも１つのプロセッサ３１４と、非一過性メモリ３１５内に格納され、かつ少なくとも１つのプロセッサ３１４により実行可能なプログラムコード命令３１６の少なくとも１つのセットと、を備えることができる。この無線デバイス１１０は、少なくとも１つのスピーカ／マイクロフホン３１１、少なくとも１つのキーパッド３１２、少なくとも１つのディスプレイ／タッチパッド３１３、少なくとも１つの電源３１７、少なくとも１つの全地球測位システム（ＧＰＳ）チップセット３１８、および他の周辺装置３１９、のうちの少なくとも１つをさらに備えることができる。
【００２９】
無線デバイス１１０のプロセッサ３１４、基地局１、１２０Ａのプロセッサ３２１Ａ、および／または基地局２、１２０Ｂのプロセッサ３２１Ｂは、汎用プロセッサ、デジタル信号プロセッサ（ＤＳＰ）、コントローラ、マイクロコントローラ、特定用途向け集積回路（ＡＳＩＣ）、フィールドプログラマブルゲートアレイ（ＦＰＧＡ）および／または他のプログラマブル論理デバイス、ディスクリートゲートおよび／またはトランジスタ論理回路、ディスクリートハードウェアコンポーネント、ならびに同様のもの、のうちの少なくとも１つを備えることができる。無線デバイス１１０のプロセッサ３１４、基地局１、１２０Ａ内のプロセッサ３２１Ａ、および／もしくは基地局２、１２０Ｂ内のプロセッサ３２１Ｂは、信号符号化／処理、データ処理、パワー制御、入力／出力処理、ならびに／または、無線デバイス１１０、基地局１、１２０Ａ、および／もしくは基地局２、１２０Ｂを無線環境で動作させることができる任意の他の機能性、のうちの少なくとも１つを実行することができる。
【００３０】
無線デバイス１１０のプロセッサ３１４は、スピーカ／マイクロフホン３１１、キーパッド３１２、および／またはディスプレイ／タッチパッド３１３に接続することができる。プロセッサ３１４は、スピーカ／マイクロホン３１１、キーパッド３１２および／もしくはディスプレイ／タッチパッド３１３からユーザ入力データを受信し、ならびに／またはユーザ出力データをこれらに提供することができる。無線デバイス１１０内のプロセッサ３１４は、電源３１７からパワーを受信することができ、および／またはそのパワーを無線デバイス１１０内の他のコンポーネントに分配するように構成することができる。電源３１７は、１つ以上の乾電池、太陽電池、燃料電池、および同様のもの、のうちの少なくとも１つを備えることができる。プロセッサ３１４は、ＧＰＳチップセット３１８に接続することができる。ＧＰＳチップセット３１８は、無線デバイス１１０の地理学的位置情報を提供するように構成することができる。
【００３１】
無線デバイス１１０のプロセッサ３１４は、他の周辺装置３１９にさらに接続することができ、その周辺装置は、追加の特徴および／または機能性を提供する１つ以上のソフトウェアおよび／またはハードウェアモジュールを備えることができる。例えば、周辺装置３１９は、加速度計、衛星送受信機、デジタルカメラ、ユニバーサルシリアルバス（ＵＳＢ）ポート、ハンズフリーヘッドセット、周波数変調（ＦＭ）無線ユニット、メディアプレーヤー、インターネットブラウザ、および同様のもの、のうちの少なくとも１つを備えることができる。
【００３２】
基地局１、１２０Ａの通信インターフェース３２０Ａ、および／または基地局２、１２０Ｂの通信インターフェース３２０Ｂは、それぞれ無線リンク３３０Ａおよび／または無線リンク３３０Ｂを介して無線デバイス１１０の通信インターフェース３１０と通信するように構成することができる。一例において、基地局１、１２０Ａの通信インターフェース３２０Ａは、基地局２の通信インターフェース３２０Ｂ、ならびに他のＲＡＮおよびコアネットワークノードと通信することができる。
【００３３】
無線リンク３３０Ａおよび／または無線リンク３３０Ｂは、双方向リンクおよび／または方向性リンクのうちの少なくとも１つを含むことができる。無線デバイス１１０の通信インターフェース３１０は、基地局１、１２０Ａの通信インターフェース３２０Ａと、および／または基地局２、１２０Ｂの通信インターフェース３２０Ｂと通信するように構成することができる。基地局１、１２０Ａおよび無線デバイス１１０、ならびに／または、基地局２、１２０Ｂおよび無線デバイス１１０は、それぞれ、無線リンク３３０Ａを介して、および／または無線リンク３３０Ｂを介して、トランスポートブロックを送信および受信するように構成することができる。無線リンク３３０Ａおよび／または無線リンク３３０Ｂは、少なくとも１つの周波数キャリアを用いることができる。実施形態のいくつかの様々な態様によれば、送受信機（複数可）を用いることができる。送受信機は、送信機および受信機の両方を含むデバイスであり得る。送受信機は、無線デバイス、基地局、中継ノード、および／または同等物などのデバイス内で用いることができる。通信インターフェース３１０、３２０Ａ、３２０Ｂ、および無線リンク３３０Ａ、３３０Ｂにおいて実施される無線技術の例示的な実施形態が、図４Ａ、図４Ｂ、図４Ｃ、図４Ｄ、図６、図７Ａ、図７Ｂ、図８、および関連する文章に例示されている。
【００３４】
一例において、無線ネットワーク内の他のノード（例えば、ＡＭＦ、ＵＰＦ、ＳＭＦなど）は、１つ以上の通信インターフェース、１つ以上のプロセッサ、および、命令を格納するメモリを備えることができる。
【００３５】
ノード（例えば、無線デバイス、基地局、ＡＭＦ、ＳＭＦ、ＵＰＦ、サーバ、スイッチ、アンテナ、および／またはその同様のもの）は、１つ以上のプロセッサと、１つ以上のプロセッサによって実行されたときに、そのノードに特定のプロセスおよび／または機能を実行させる命令を格納するメモリと、を含むことができる。例示的な実施形態は、単一キャリアおよび／またはマルチキャリア通信の動作を可能にすることができる。他の例示的な実施形態は、単一キャリアおよび／またはマルチキャリア通信の動作を生じさせるために、１つ以上のプロセッサにより実行可能な命令を含む、非一過性有形コンピュータ可読媒体を備えることができる。さらに他の例示的な実施形態は、非一過性有形コンピュータ可読機械アクセス可能媒体を含む製品を含むことができ、この媒体は、プログラム可能なハードウェアが、ノードに単一キャリアおよび／またはマルチキャリア通信の動作を可能にさせることを可能にするための、そこに符号化された命令を有する。ノードは、プロセッサ、メモリ、インターフェース、および／または同様のものを備えることができる。
【００３６】
インターフェースは、ハードウェアインターフェース、ファームウェアインターフェース、ソフトウェアインターフェース、のうちの少なくとも１つ、および／またはこれらの組み合わせを備えることができる。ハードウェアインターフェースは、コネクタ、ワイヤ、ドライバなどの電子デバイス、増幅器、および／または同様のもの備えることができる。ソフトウェアインターフェースは、プロトコル（複数可）、プロトコル層、通信ドライバ、デバイスドライバ、それらの組み合わせ、および／または同様のものを実現するようにメモリデバイス内に格納されたコードを含むことができる。ファームウェアインターフェースは、組み込み型ハードウェアと、メモリデバイス内に格納され、かつ／またはそれと通信するコードとの組み合わせを含み、接続、電子デバイス動作、プロトコル（複数可）、プロトコル層、通信ドライバ、デバイスドライバ、ハードウェア動作、これらの組み合わせ、および／または同様のものを実現することができる。
【００３７】
図４Ａ、図４Ｂ、図４Ｃ、および図４Ｄは、本開示の実施形態の態様に基づく、アップリンクおよびダウンリンク信号伝送の場合の例示的な略図である。図４Ａは、少なくとも１つの物理チャネルの例示的なアップリンク送信機を示す。物理アップリンク共有チャネルを代表するベースバンド信号は、１つ以上の機能を実行することができる。この１つ以上の機能は、スクランブリング、複素数値シンボルを生成するためのスクランブルビットの変調、１つまたはいくつかの伝送層上への複素数値変調シンボルのマッピング、複素数値シンボルを生成するための変換プリコーディング、複素数値シンボルのプリコーディング、プリコーディングされた複素数値シンボルのリソース要素へのマッピング、複素数値時間領域単一キャリア周波数分割多元接続（ＳＣ−ＦＤＭＡ）またはＣＰ−ＯＦＤＭ信号のアンテナポートへの生成、および／または同様のもの、のうちの少なくとも１つを含むことができる。一例において、変換プリコーディングが有効である場合は、アップリンク伝送のためのＳＣ−ＦＤＭＡ信号が生成され得る。一例において、変換プリコーディングが有効でない場合は、図４Ａによって、アップリンク伝送のためのＣＰ−ＯＦＤＭ信号が生成され得る。これらの機能は、例として示されており、他のメカニズムが、様々な実施形態で実施され得ることが予想される。
【００３８】
アンテナポートに対する複素数値ＳＣ−ＦＤＭＡまたはＣＰ−ＯＦＤＭベースバンド信号、および／または複素数値物理ランダムアクセスチャネル（ＰＲＡＣＨ）ベースバンド信号のキャリア周波数に対する変調およびアップコンバージョンの場合の例示的構造が、図４Ｂに示されている。フィルタリングは、伝送前に用いることができる。
【００３９】
ダウンリンク伝送のための例示的構造が、図４Ｃに示されている。ダウンリンク物理チャネルを表すベースバンド信号は、１つ以上の機能を実行することができる。この１つ以上の機能は、物理チャネル上で伝送されるべきコードワード内の符号化されたビットのスクランブリング、複素数値変調シンボルを生成するためのスクランブルされたビットの変調、複素数値変調シンボルの１つまたはいくつかの伝送層上へのマッピング、アンテナポート上での伝送するための各層上にある複素数値変調シンボルのプリコーディング、アンテナポートの複素数値変調シンボルのリソース要素へのマッピング、アンテナポート毎の複素数値時間領域ＯＦＤＭ信号の生成、および／または同様のものを含むことができる。これらの機能は、例として示されており、他のメカニズムが、様々な実施形態で実施され得ることが予想される。
【００４０】
一例において、ｇＮＢは、アンテナポート上の第１のシンボルおよび第２のシンボルを無線デバイスに伝送することができる。この無線デバイスは、アンテナポート上の第１のシンボルを伝達するためのチャネルから、アンテナポート上の第２のシンボルを伝達するためのチャネル（例えば、フェージング利得、マルチパス遅延など）を推測することができる。一例において、第１のアンテナポートおよび第２のアンテナポートは、第１のアンテナポート上の第１のシンボルが伝達されるチャネルの１つ以上の大規模な特性が、第２のアンテナポート上の第２のシンボルが伝達されるチャネルから推測され得る場合に、おおよそ同じ場所に配置することができる。１つ以上の大規模な特性は、遅延拡散、ドップラー拡散、ドップラーシフト、平均利得、平均遅延、および／または空間受信（Ｒｘ）パラメータのうちの少なくとも１つを含むことができる。
【００４１】
アンテナポートの複素数値ＯＦＤＭベースバンド信号のキャリア周波数に対する例示的な変調およびアップコンバージョンが、図４Ｄに示されている。フィルタリングは、伝送前に用いられてもよい。
【００４２】
図５Ａは、例示的なアップリンクチャネルマッピングおよび例示的なアップリンク物理信号の略図である。図５Ｂは、例示的なダウンリンクチャネルマッピングおよびダウンリンク物理信号の略図である。一例において、物理層は、１つ以上の情報転送サービスを、ＭＡＣおよび／または１つ以上のより上位層に提供することができる。例えば、物理層は、１つ以上のトランスポートチャネルを介して１つ以上の情報転送サービスをＭＡＣに提供することができる。情報転送サービスは、特性データが無線インターフェースをわたってどのように、また何と一緒に転送されるかを示すことができる。
【００４３】
例示的な実施形態において、無線ネットワークは、１つ以上のダウンリンクおよび／またはアップリンクトランスポートチャネルを含むことができる。例えば、図５Ａの略図は、アップリンク共有チャネル（ＵＬ−ＳＣＨ）５０１およびランダムアクセスチャネル（ＲＡＣＨ）５０２を含む例示的なアップリンクトランスポートチャネルを示す。図５Ｂの略図は、ダウンリンク共有チャネル（ＤＬ−ＳＣＨ）５１１、ページングチャネル（ＰＣＨ）５１２、およびブロードキャストチャネル（ＢＣＨ）５１３を含む例示的なダウンリンクトランスポートチャネルを示す。トランスポートチャネルは、１つ以上の対応する物理チャネルにマッピングすることができる。例えば、ＵＬ−ＳＣＨ５０１は、物理アップリンク共有チャネル（ＰＵＳＣＨ）５０３にマッピングすることができる。ＲＡＣＨ５０２は、ＰＲＡＣＨ５０５にマッピングすることができる。ＤＬ−ＳＣＨ５１１およびＰＣＨ５１２は、物理ダウンリンク共有チャネル（ＰＤＳＣＨ）５１４にマッピングすることができる。ＢＣＨ５１３は、物理ブロードキャストチャネル（ＰＢＣＨ）５１６にマッピングすることができる。
【００４４】
対応するトランスポートチャネルを有さない１つ以上の物理チャネルが存在する場合がある。この１つ以上の物理チャネルは、アップリンク制御情報（ＵＣＩ）５０９および／またはダウンリンク制御情報（ＤＣＩ）５１７に対して用いることができる。例えば、物理アップリンク制御チャネル（ＰＵＣＣＨ）５０４は、ＵＥから基地局にＵＣＩ５０９を搬送することができる。例えば、物理ダウンリンク制御チャネル（ＰＤＣＣＨ）５１５は、基地局からＵＥにＤＣＩ５１７を搬送することができる。ＮＲは、ＵＣＩ５０９およびＰＵＳＣＨ５０３伝送がスロット内で少なくとも部分的に一致し得る場合、ＰＵＳＣＨ５０３においてＵＣＩ５０９多重化をサポートすることができる。ＵＣＩ５０９は、ＣＳＩ、肯定応答（ＡＣＫ）／否定肯定応答（ＮＡＣＫ）、および／またはスケジューリング要求のうちの少なくとも１つを含むことができる。ＰＤＣＣＨ５１５上のＤＣＩ５１７は、以下の、１つ以上のダウンリンク割り当て、および／または１つ以上のアップリンクスケジューリンググラントのうちの少なくとも１つを示すことができる。
【００４５】
アップリンクでは、ＵＥは、１つ以上の基準信号（ＲＳ）を基地局に伝送することができる。例えば、１つ以上のＲＳは、復調−ＲＳ（ＤＭ−ＲＳ）５０６、位相トラッキング−ＲＳ（ＰＴ−ＲＳ）５０７、および／またはサウンディングＲＳ（ＳＲＳ）５０８のうちの少なくとも１つであり得る。ダウンリンクでは、基地局は、１つ以上のＲＳをＵＥに伝送（例えば、ユニキャスト、マルチキャスト、および／またはブロードキャスト）することができる。例えば、１つ以上のＲＳは、プライマリ同期信号（ＰＳＳ）／セカンダリ同期信号（ＳＳＳ）５２１、ＣＳＩ−ＲＳ５２２、ＤＭ−ＲＳ５２３、および／またはＰＴ−ＲＳ５２４のうちの少なくとも１つとすることができる。
【００４６】
一例において、ＵＥは、チャネル推定のため、例えば、１つ以上のアップリンク物理チャネル（例えば、ＰＵＳＣＨ５０３および／またはＰＵＣＣＨ５０４）のコヒーレント復調のために、１つ以上のアップリンクＤＭ−ＲＳ５０６を基地局に伝送することができる。例えば、ＵＥは、基地局に、ＰＵＳＣＨ５０３および／またはＰＵＣＣＨ５０４を有する少なくとも１つのアップリンクＤＭ−ＲＳ５０６を伝送することができ、この少なくとも１つのアップリンクＤＭ−ＲＳ５０６は、対応する物理チャネルと同じ周波数範囲にまたがり得る。一例において、基地局は、１つ以上のアップリンクＤＭ−ＲＳ構成を有するＵＥを構成することができる。少なくとも１つのＤＭ−ＲＳ構成は、先行ＤＭ−ＲＳパターンをサポートすることができる。先行ＤＭ−ＲＳは、１つ以上のＯＦＤＭシンボル（例えば、１つまたは２つの隣接ＯＦＤＭシンボル）上にマッピングすることができる。１つ以上の追加のアップリンクＤＭ−ＲＳは、ＰＵＳＣＨおよび／またはＰＵＣＣＨの１つ以上のシンボルで伝送するように構成することができる。基地局は、ＰＵＳＣＨおよび／またはＰＵＣＣＨのための先行ＤＭ−ＲＳシンボルの最大数を用いてＵＥを準統計学的に構成することができる。例えば、ＵＥは、先行ＤＭ−ＲＳシンボルの最大数に基づいて、単一シンボルＤＭ−ＲＳおよび／または二重シンボルＤＭ−ＲＳをスケジュールすることができ、基地局は、ＰＵＳＣＨおよび／またはＰＵＣＣＨのための１つ以上の追加のアップリンクＤＭ−ＲＳを用いてＵＥを構成することができる。新しい無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【００４７】
一例において、アップリンクＰＴ−ＲＳ５０７が存在するか否かは、ＲＲＣ構成に依存し得る。例えば、アップリンクＰＴ−ＲＳの存在は、ＵＥ固有に構成することができる。例えば、スケジュールされたリソース内のアップリンクＰＴ−ＲＳ５０７の存在および／またはパターンは、ＲＲＣシグナリング、および／または、ＤＣＩによって示され得る他の目的（例えば、変調および符号化方式（ＭＣＳ））のために用いられる１つ以上のパラメータとの関連付けの組み合わせによってＵＥ固有に構成することができる。アップリンクＰＴ−ＲＳ５０７の動的存在は、それが構成される場合、少なくともＭＣＳを含む１つ以上のＤＣＩパラメータと関連付けることができる。無線ネットワークは、時間／周波数領域で定義される複数のアップリンクＰＴ−ＲＳ密度をサポートすることができる。周波数領域密度は、それが存在する場合、スケジュールされた帯域幅の少なくとも１つの構成と関連付けることができる。ＵＥは、ＤＭＲＳポートおよびＰＴ−ＲＳポートのための同じプリコーディングを想定することができる。ＰＴ−ＲＳポートの数は、スケジュールされたリソース内のＤＭ−ＲＳポートの数よりも少ない場合がある。例えば、アップリンクＰＴ−ＲＳ５０７は、ＵＥのためのスケジュールされた時間／周波数持続時間内に制限される場合がある。
【００４８】
一例において、ＵＥは、アップリンクチャネル依存スケジューリングおよび／またはリンク適応をサポートするチャネル状態推定のために、基地局に、ＳＲＳ５０８を伝送することができる。例えば、ＵＥによって伝送されたＳＲＳ５０８は、基地局が１つ以上の異なる周波数におけるアップリンクチャネル状態を推定することを可能にすることができる。基地局スケジューラは、アップリンクチャネル状態を用いて、ＵＥからアップリンクＰＵＳＣＨ伝送のために良好な品質の１つ以上のリソースブロックを割り当てることができる。基地局は、１つ以上のＳＲＳリソースセットを用いてＵＥを準統計学的に構成することができる。ＳＲＳリソースセットの場合、基地局は、１つ以上のＳＲＳリソースを用いてＵＥを構成することができる。ＳＲＳリソースセットの適用可能性は、上位層（例えば、ＲＲＣ）のパラメータによって構成することができる。例えば、上位層パラメータがビーム管理を示す場合、１つ以上のＳＲＳリソースセットの各々の中のＳＲＳリソースを一度に伝送することができる。ＵＥは、異なるＳＲＳリソースセット内に１つ以上のＳＲＳリソースを同時に伝送することができる。新しい無線ネットワークは、非周期的、周期的、かつ／または半永続的なＳＲＳ伝送をサポートすることができる。ＵＥは、１つ以上のトリガタイプに基づいてＳＲＳリソースを伝送することができ、その１つ以上のトリガタイプは、上層シグナリング（例えば、ＲＲＣ）、および／または１つ以上のＤＣＩフォーマット（例えば、少なくとも１つのＤＣＩフォーマットを用いて、ＵＥが、１つ以上の構成されたＳＲＳリソースセットのうちの少なくとも１つを選択することができる）を含むことができる。ＳＲＳトリガタイプ０は、上位層のシグナリングに基づいてトリガされたＳＲＳを意味し得る。ＳＲＳトリガタイプ１は、１つ以上のＤＣＩフォーマットに基づいてトリガされたＳＲＳを意味し得る。一例において、ＰＵＳＣＨ５０３およびＳＲＳ５０８が同じスロットで伝送される場合、ＵＥは、ＰＵＳＣＨ５０３および対応するアップリンクＤＭ−ＲＳ５０６の伝送の後にＳＲＳ５０８を伝送するように構成することができる。
【００４９】
一例において、基地局は、以下のうちの少なくとも１つを示す１つ以上のＳＲＳ構成パラメータを用いてＵＥを準統計学的に構成することができ、それらの構成パラメータは、ＳＲＳリソース構成識別子、ＳＲＳポート数、ＳＲＳリソース構成の時間領域動作（例えば、周期的、半永続的、または非周期的なＳＲＳの表示）、周期的および／または非周期的ＳＲＳリソースのためのスロット（ミニスロット、および／またはサブフレーム）レベル周期性および／またはオフセット、ＳＲＳリソース内のＯＦＤＭシンボル数、ＳＲＳリソースのＯＦＤＭシンボル開始、ＳＲＳ帯域幅、周波数ホッピング帯域幅、サイクリックシフト、および／またはＳＲＳシーケンスＩＤである。
【００５０】
一例において、ある時間領域では、ＳＳ／ＰＢＣＨブロックは、ＳＳ／ＰＢＣＨブロック内部に１つ以上のＯＦＤＭシンボル（例えば、０から３まで増加順で番号付けられた４つのＯＦＤＭシンボル）を含むことができる。ＳＳ／ＰＢＣＨブロックは、ＰＳＳ／ＳＳＳ５２１およびＰＢＣＨ５１６を含むことができる。一例において、周波数領域では、ＳＳ／ＰＢＣＨブロックは、ＳＳ／ＰＢＣＨブロック内部に１つ以上の連続サブキャリア（例えば、０から２３９まで増加順で願号付けられたサブキャリアを伴う２４０個の連続サブキャリア）を含むことができる。例えば、ＰＳＳ／ＳＳＳ５２１は、１個のＯＦＤＭシンボル、および１２７個のサブキャリアを占有し得る。例えば、ＰＢＣＨ５１６は、３個のＯＦＤＭシンボル、および２４０個のサブキャリアにまたがり得る。ＵＥは、同じブロックインデックスを用いて伝送された１つ以上のＳＳ／ＰＢＣＨブロックが、例えば、ドップラー拡散、ドップラーシフト、平均利得、平均遅延、および空間Ｒｘパラメータに関して、擬似的に同じ位置に配置され得ることを想定することができる。ＵＥは、他のＳＳ／ＰＢＣＨブロック伝送の場合、擬似的な同じ位置の配置を想定することはできない。ＳＳ／ＰＢＣＨブロックの周期性は、無線ネットワーク（例えば、ＲＲＣシグナリングによる）によって構成することができ、ＳＳ／ＰＢＣＨブロックを送信することができる１つ以上の時間場所は、サブキャリア間隔によって決定することができる。一例において、無線ネットワークが、別のサブキャリア間隔を想定するようにＵＥを構成しない限り、ＵＥは、ＳＳ／ＰＢＣＨブロックの帯域固有のサブキャリア間隔を想定することができる。
【００５１】
一例において、ダウンリンクＣＳＩ−ＲＳ５２２を用いて、ＵＥがチャネル状態情報を取得することができる。無線ネットワークは、ダウンリンクＣＳＩ−ＲＳ５２２の周期的、非周期的、および／または半永続的な伝送をサポートすることができる。例えば、基地局は、ダウンリンクＣＳＩ−ＲＳ５２２の周期的伝送を用いてＵＥを準統計学的に構成および／または再構成することができる。構成されたＣＳＩ−ＲＳリソースは、作動および／または停止させることができる。半永続的な伝送の場合、ＣＳＩ−ＲＳリソースの作動および／または停止は、動的にトリガすることができる。一例において、ＣＳＩ−ＲＳ構成は、少なくともアンテナポート数を示す１つ以上のパラメータを含むことができる。例えば、基地局は、３２個のポート有するＵＥを構成することができる。基地局は、１つ以上のＣＳＩ−ＲＳリソースセットを有するＵＥを準統計学的に構成することができる。１つ以上のＣＳＩ−ＲＳリソースを、１つ以上のＣＳＩ−ＲＳリソースセットから１つ以上のＵＥに割り当てることができる。例えば、基地局は、ＣＳＩ  ＲＳリソースマッピングを示す１つ以上のパラメータ、例えば、１つ以上のＣＳＩ−ＲＳリソースの時間領域位置、ＣＳＩ−ＲＳリソースの帯域幅、および／または周期性を準統計学的に構成することができる。一例において、ダウンリンクＣＳＩ−ＲＳ５２２およびコアセットが空間的におおよそ同じ場所に配置されている場合、ＵＥは、ダウンリンクＣＳＩ−ＲＳ５２２および制御リソースセット（コアセット）に対して同じＯＦＤＭシンボルを用いるように構成することができ、ダウンリンクＣＳＩ−ＲＳ５２２と関連付けられたリソース要素は、コアセットのために構成されたＰＲＢの外側にある。一例において、ダウンリンクＣＳＩ−ＲＳ５２２およびＳＳＢ／ＰＢＣＨが空間的におおよそ同じ場所に配置されている場合、ＵＥは、ダウンリンクＣＳＩ−ＲＳ５２２およびＳＳＢ／ＰＢＣＨに対して同じＯＦＤＭシンボルを用いるように構成することができ、ダウンリンクＣＳＩ−ＲＳ５２２と関連付けられたリソース要素は、ＳＳＢ／ＰＢＣＨのために構成されたＰＲＢの外側にある。
【００５２】
一例において、ＵＥは、チャネル推定のために、例えば、１つ以上のダウンリンク物理チャネル（例えば、ＰＤＳＣＨ５１４）のコヒーレント復調を行うために、１つ以上のダウンリンクＤＭ−ＲＳ５２３を基地局に伝送することができる。例えば、無線ネットワークは、データ復調のための、１つ以上の可変および／または構成可能なＤＭ−ＲＳパターンをサポートすることができる。少なくとも１つのダウンリンクＤＭ−ＲＳ構成は、先行ＤＭ−ＲＳパターンをサポートすることができる。先行ＤＭ−ＲＳは、１つ以上のＯＦＤＭシンボル（例えば、１つまたは２つの隣接ＯＦＤＭシンボル）上にマッピングすることができる。基地局は、ＰＤＳＣＨ５１４のための先行ＤＭ−ＲＳシンボルの最大数を用いてＵＥを準統計学的に構成することができる。例えば、ＤＭ−ＲＳ構成は、１つ以上のＤＭ−ＲＳポートをサポートすることができる。例えば、シングルユーザ−ＭＩＭＯの場合、ＤＭ−ＲＳ構成は、少なくとも８個の直交ダウンリンクＤＭ−ＲＳポートをサポートすることができる。例えば、マルチユーザ−ＭＩＭＯの場合、ＤＭ−ＲＳ構成は、１２個の直交ダウンリンクＤＭ−ＲＳポートをサポートすることができる。無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【００５３】
一例において、ダウンリンクＰＴ−ＲＳ５２４が存在するか否かは、ＲＲＣ構成に依存し得る。例えば、ダウンリンクＰＴ−ＲＳ５２４の存在は、ＵＥ固有に構成することができる。例えば、スケジュールされたリソース内のダウンリンクＰＴ−ＲＳ５２４の存在および／またはパターンは、ＲＲＣシグナリング、および／または、ＤＣＩによって示され得る他の目的（例えば、ＭＣＳ）のために用いられる１つ以上のパラメータとの関連付けとの組み合わせによってＵＥ固有に構成することができる。ダウンリンクＰＴ−ＲＳ５２４の動的存在は、それが構成される場合、少なくともＭＣＳを含む１つ以上のＤＣＩパラメータと関連付けることができる。無線ネットワークは、時間／周波数領域において定義される複数のＰＴ−ＲＳ密度をサポートすることができる。周波数領域密度は、それが存在する場合、スケジュールされた帯域幅の少なくとも１つの構成と関連付けることができる。ＵＥは、ＤＭＲＳポートおよびＰＴ−ＲＳポートのための同じプリコーディングを想定し得る。ＰＴ−ＲＳポート数は、スケジュールされたリソース内のＤＭ−ＲＳポート数よりも少ない場合がある。例えば、ダウンリンクＰＴ−ＲＳ５２４は、ＵＥのためのスケジュールされた時間／周波数持続時間内に制限る場合がある。
【００５４】
図６は、本開示の実施形態の態様に基づく、キャリアの例示的なフレーム構造を描いている略図である。マルチキャリアＯＦＤＭ通信システムでは、１つ以上のキャリアを含むことができ、例えば、キャリアアグリゲーションの場合には、１〜３２個のキャリアに、またはデュアル接続の場合には、１〜６４個のキャリアに及ぶ。異なる無線フレーム構造をサポートすることができる（例えば、ＦＤＤ方式の場合、およびＴＤＤ複信方式の場合）。図６は、例示的なフレーム構造を示す。ダウンリンクおよびアップリンク伝送は、無線フレーム６０１内に構成することができる。この例では、無線フレーム持続時間は、１０ミリ秒である。この例では、１０ミリ秒の無線フレーム６０１は、１ミリ秒の持続時間を有する、１０個の等しいサイズのサブフレーム６０２に分割することができる。サブフレーム（複数可）は、サブキャリア間隔および／またはＣＰ長さに応じて、１つ以上のスロット（例えば、スロット６０３および６０５）を含むことができる。例えば、１５ｋＨｚ、３０ｋＨｚ、６０ｋＨｚ、１２０ｋＨｚ、２４０ｋＨｚ、および４８０ｋＨｚのサブキャリア間隔を有するサブフレームは、それぞれ、１個、２個、４個、８個、１６個、および３２個のスロットを含むことができる。図６では、サブフレームは、０．５ミリ秒の持続時間を有する、２個の等しいサイズのスロット６０３に分割することができる。例えば、１０個のサブフレームは、ダウンリンク伝送に利用可能であり得、１０個のサブフレームは、１０ミリ秒の時間間隔でのアップリンク伝送に利用可能であり得る。アップリンクおよびダウンリンク伝送は、周波数領域内で分離することができる。スロット（複数可）は、複数のＯＦＤＭシンボル６０４を含むことができる。スロット６０５内のＯＦＤＭシンボル６０４の数は、サイクリックプレフィックス長さに依存し得る。例えば、１つのスロットは、通常のＣＰを有する、最大４８０ｋＨｚの同じサブキャリア間隔で１４個のＯＦＤＭシンボルであり得る。１つのスロットは、拡張されたＣＰを有する、６０ｋＨｚの同じサブキャリア間隔で１２個のＯＦＤＭシンボルであり得る。１つのスロットは、ダウンリンク、アップリンク、または、ダウンリンク部分およびアップリンク部分、ならびに／または同様のものを含むことができる。
【００５５】
図７Ａは、本開示の実施形態の態様に基づく、例示的なＯＦＤＭサブキャリアセットを描いている略図である。この例において、ｇＮＢは、例示的なチャネル帯域幅７００を有するキャリアを有する無線デバイスと通信することができる。略図内の矢印（複数可）は、マルチキャリアＯＦＤＭシステム内のサブキャリアを描き得る。ＯＦＤＭシステムは、ＯＦＤＭ技術、ＳＣ−ＦＤＭＡ技術、および／または同様のものなどの技術を用いることができる。一例において、矢印７０１は、情報シンボルを伝送するサブキャリアを示す。一例において、キャリア内の２つの隣接するサブキャリア間のサブキャリア間隔７０２は、１５ＫＨｚ、３０ＫＨｚ、６０ＫＨｚ、１２０ＫＨｚ、２４０ＫＨｚなどのうちの任意の１つであり得る。一例において、異なるサブキャリア間隔は、異なる伝送ヌメロロジに対応することができる。一例において、伝送ヌメロロジは、少なくともヌメロロジインデックス、サブキャリア間隔の値、サイクリックプレフィックス（ＣＰ）のタイプを含むことができる。一例において、ｇＮＢは、キャリア内の多数のサブキャリア７０３上で、ＵＥへ伝送する／ＵＥから受信することができる。一例において、多数のサブキャリア７０３により占有される帯域幅（伝送帯域幅）は、保護帯域７０４および７０５に起因して、キャリアのチャネル帯域幅７００よりも小さくてもよい。一例において、保護帯域７０４および７０５を用いて、１つ以上の近隣のキャリアへ／からの干渉を低減することができる。キャリア内のサブキャリア（伝送帯域幅）の数は、キャリアのチャネル帯域幅、およびサブキャリア間隔に依存し得る。例えば、２０ＭＨｚチャネル帯域幅および１５ＫＨｚサブキャリア間隔を有するキャリアの場合、伝送帯域幅は、１０２４個のサブキャリア数となり得る。
【００５６】
一例において、ｇＮＢおよび無線デバイスは、ＣＡを用いて構成されると、複数のＣＣと通信することができる。一例において、異なるコンポーネントキャリアは、ＣＡがサポートされている場合、異なる帯域幅および／またはサブキャリア間隔を有することができる。一例において、ｇＮＢは、第１のコンポーネントキャリア上のＵＥに第１のタイプのサービスを伝送することができる。ｇＮＢは、第２のコンポーネントキャリア上のＵＥに第２のタイプのサービスを伝送することができる。異なるタイプのサービスは、異なるサービス要件（例えば、データレート、待ち時間、信頼性）を有し得、これらは、異なるサブキャリア間隔および／または帯域幅を有する異なるコンポーネントキャリアを介した伝送に好適となり得る。図７Ｂは、例示的な実施形態を示す。第１のコンポーネントキャリアは、第１のサブキャリア間隔７０９を有する第１の数のサブキャリア７０６を含むことができる。第２のコンポーネントキャリアは、第２のサブキャリア間隔７１０を有する第２の数のサブキャリア７０７を含むことができる。第３のコンポーネントキャリアは、第３のサブキャリア間隔７１１を有する第３の数のサブキャリア７０８を含むことができる。マルチキャリアＯＦＤＭ通信システム内のキャリアは、連続キャリア、非連続キャリア、または連続キャリアおよび非連続キャリア両方の組み合わせであり得る。
【００５７】
図８は、本開示の実施形態の態様に基づく、ＯＦＤＭ無線リソースを描いている略図である。一例において、キャリアは、伝送帯域幅８０１を有することができる。一例において、リソースグリッドは、周波数領域８０２および時間領域８０３の構造内にあり得る。一例において、リソースグリッドは、サブフレーム内の第１の数のＯＦＤＭシンボル、および第２の数のリソースブロックを含むことができ、伝送ヌメロロジおよびキャリアのために、上位層シグナリング（例えば、ＲＲＣシグナリング）によって示された共通リソースブロックから開始する。一例において、リソースグリッドでは、サブキャリアインデックスおよびシンボルインデックスにより識別されたリソースユニットは、リソース要素８０５であり得る。一例において、サブフレームは、キャリアと関連付けられたヌメロロジに応じて第１の数のＯＦＤＭシンボル８０７を含むことができる。例えば、キャリアのヌメロロジのサブキャリア間隔が１５ＫＨｚである場合、サブフレームは、キャリアに対して１４個のＯＦＤＭシンボルを有することができる。ヌメロロジのサブキャリア間隔が３０ＫＨｚである場合、サブフレームは、２８個のＯＦＤＭシンボルを有することができる。ヌメロロジのサブキャリア間隔が６０ＫＨｚである場合、サブフレームは、５６個のＯＦＤＭシンボルなどを有することができる。一例において、キャリアのリソースグリッド内に含まれる第２の数のリソースブロックは、キャリアの帯域幅およびヌメロロジに依存し得る。
【００５８】
図８に示すように、リソースブロック８０６は、１２個のサブキャリアを含むことができる。一例において、複数のリソースブロックは、リソースブロックグループ（ＲＢＧ）８０４にグループ化することができる。一例において、ＲＢＧのサイズは、ＲＢＧサイズ構成を示すＲＲＣメッセージ、キャリア帯域幅のサイズ、またはキャリアの帯域幅部分のうちの少なくとも１つに依存し得る。一例において、キャリアは、複数の帯域幅部分を含むことができる。キャリアの第１の帯域幅部分は、キャリアの第２の帯域幅部分とは異なる周波数位置および／または帯域幅を有することができる。
【００５９】
一例において、ｇＮＢは、ダウンリンクまたはアップリンクリソースブロック割り当てを含むダウンリンク制御情報を無線デバイスに伝送することができる。基地局は、ダウンリンク制御情報および／またはＲＲＣメッセージ（複数可）内のパラメータに従って、１つ以上のリソースブロックおよび１つ以上のスロットを介して、スケジュールおよび伝送されたデータパケット（例えば、トランスポートブロック）を、無線デバイスに伝送し、または無線デバイスから受信することができる。一例では、１つ以上のスロットの第１のスロットに対する開始シンボルを無線デバイスに示すことができる。一例において、ｇＮＢは、１つ以上のＲＢＧおよび１つ以上のスロットにスケジュールされたデータパケットを、無線デバイスに伝送し、または無線デバイスから受信することができる。
【００６０】
一例において、ｇＮＢは、１つ以上のＰＤＣＣＨを介して無線デバイスにダウンリンク割り当てを含むダウンリンク制御情報を伝送することができる。ダウンリンク割り当ては、少なくとも変調および符号化フォーマットを示すパラメータ、リソース割り当て、および／または、ＤＬ−ＳＣＨに関するＨＡＲＱ情報を含むことができる。一例において、リソース割り当ては、リソースブロック割り当てのパラメータ、および／またはスロット割り当てを含むことができる。一例において、ｇＮＢは、１つ以上のＰＤＣＣＨ上のセル無線ネットワーク一時識別子（Ｃ−ＲＮＴＩ）を介して無線デバイスにリソースを動的に割り当てることができる。無線デバイスは、１つ以上のＰＤＣＣＨをモニタして、無線デバイスのダウンリンク受信が可能であるときに可能な割り当てを見出すことができる。無線デバイスは、１つ以上のＰＤＣＣＨを正常に検出する場合、１つ以上のＰＤＣＣＨによりスケジュールされた１つ以上のＰＤＳＣＨ上に１つ以上のダウンリンクデータパッケージを受信することができる。
【００６１】
一例において、ｇＮＢは、無線デバイスへのダウンリンク伝送のための構成スケジューリング（ＣＳ）リソースを割り当てることができる。ｇＮＢは、ＣＳグラントの周期性を示す１つ以上のＲＲＣメッセージを伝送することができる。ｇＮＢは、ＣＳリソースを作動させる構成スケジューリング−ＲＮＴＩ（ＣＳ−ＲＮＴＩ）にアドレス指定されたＰＤＣＣＨを介してＤＣＩを伝送することができる。ＤＣＩは、ダウンリンクグラントがＣＳグラントであることを示すパラメータを含むことができる。ＣＳグラントは、１つ以上のＲＲＣメッセージにより定義された周期性に従って、停止されるまで、暗黙的に再使用することができる。
【００６２】
一例において、ｇＮＢは、１つ以上のＰＤＣＣＨを介して無線デバイスにアップリンクグラントを含むダウンリンク制御情報を伝送することができる。アップリンクグラントは、少なくとも変調および符号化フォーマットを示すパラメータ、リソース割り当て、および／または、ＵＬ−ＳＣＨに関するＨＡＲＱ情報を含むことができる。一例において、リソース割り当ては、リソースブロック割り当てのパラメータ、および／またはスロット割り当てを含むことができる。一例において、ｇＮＢは、１つ以上のＰＤＣＣＨ上のＣ−ＲＮＴＩを介して無線デバイスにリソースを動的に割り当てることができる。無線デバイスは、１つ以上のＰＤＣＣＨをモニタして、可能なリソース割り当てを見出すことができる。無線デバイスは、１つ以上のＰＤＣＣＨを正常に検出する場合、１つ以上のＰＤＣＣＨによりスケジュールされた１つ以上のＰＵＳＣＨを介して１つ以上のアップリンクデータパッケージを伝送することができる。
【００６３】
一例において、ｇＮＢは、無線デバイスへのアップリンクデータ伝送のためのＣＳリソースを割り当てることができる。ｇＮＢは、ＣＳグラントの周期性を示す１つ以上のＲＲＣメッセージを伝送することができる。ｇＮＢは、ＣＳリソースを作動させるＣＳ−ＲＮＴＩにアドレス指定されたＰＤＣＣＨを介してＤＣＩを伝送することができる。ＤＣＩは、アップリンクグラントがＣＳグラントであることを示すパラメータを含むことができる。ＣＳグラントは、１つ以上のＲＲＣメッセージにより定義された周期性に従って、停止されるまで、暗黙的に再使用することができる。
【００６４】
一例において、基地局は、ＰＤＣＣＨを介してＤＣＩ／制御シグナリングを伝送することができる。ＤＣＩは、複数のフォーマット中の１つのフォーマットを取得することができる。ＤＣＩは、ダウンリンクおよび／またはアップリンクスケジューリング情報（例えば、リソース割り当て情報、ＨＡＲＱ関連パラメータ、ＭＣＳ）、ＣＳＩの要求（例えば、非周期的ＣＱＩレポート）、ＳＲＳの要求、１つ以上のセルに対するアップリンクパワー制御コマンド、１つ以上のタイミング情報（例えば、ＴＢ伝送／受信タイミング、ＨＡＲＱフィードバックタイミングなど）などを含むことができる。一例において、ＤＣＩは、１つ以上のトランスポートブロックのための伝送パラメータを含むアップリンクグラントを示すことができる。一例において、ＤＣＩは、１つ以上のトランスポートブロックを受信するためのパラメータを示すダウンリンク割り当てを示すことができる。一例において、ＤＣＩは、基地局によって使用されて、無線デバイスにおいて競合なしランダムアクセスを開始することができる。一例において、基地局は、スロットフォーマットを通知するスロットフォーマットインジケータ（ＳＦＩ）を含むＤＣＩを伝送することができる。一例において、基地局は、ＰＲＢ（複数可）および／またはＯＦＤＭシンボル（複数可）を通知するプリエンプション表示を含むＤＣＩを伝送することができ、そこでは、ＵＥは、ＵＥのための伝送が意図されていないことを想定することができる。一例において、基地局は、ＰＵＣＣＨまたはＰＵＳＣＨまたはＳＲＳのグループパワー制御のためのＤＣＩを伝送することができる。一例において、ＤＣＩは、ＲＮＴＩに対応することができる。一例において、無線デバイスは、初期アクセス（例えば、Ｃ−ＲＮＴＩ）を完了することに応答してＲＮＴＩを取得することができる。一例において、基地局は、無線のためのＲＮＴＩ（例えば、ＣＳ−ＲＮＴＩ、ＴＰＣ−ＣＳ−ＲＮＴＩ、ＴＰＣ−ＰＵＣＣＨ−ＲＮＴＩ、ＴＰＣ−ＰＵＳＣＨ−ＲＮＴＩ、ＴＰＣ−ＳＲＳ−ＲＮＴＩ）を構成することができる。一例において、無線デバイスは、ＲＮＴＩを計算することができる（例えば、無線デバイスは、プリアンブルの伝送のために使用されるリソースに基づいて、ＲＡ−ＲＮＴＩを計算することができる）。一例において、ＲＮＴＩは、事前構成された値（例えば、Ｐ−ＲＮＴＩまたはＳＩ−ＲＮＴＩ）を有することができる。一例において、無線デバイスは、グループ共通検索空間をモニタすることができ、その空間は、基地局によって使用されてＵＥのグループのために意図されているＤＣＩを伝送する。一例において、グループ共通ＤＣＩは、ＵＥのグループのために共通して構成されているＲＮＴＩに対応することができる。一例において、無線デバイスは、ＵＥ固有の検索空間をモニタすることができる。一例において、ＵＥ固有のＤＣＩは、無線デバイスのために構成されたＲＮＴＩに対応することができる。
【００６５】
ＮＲシステムは、単一ビーム動作および／またはマルチビーム動作をサポートすることができる。マルチビーム動作において、基地局は、ダウンリンクビームスイーピングを実行して、共通制御チャネルおよび／またはダウンリンクＳＳブロックのカバレッジを提供することができ、このカバレッジは、少なくともＰＳＳ、ＳＳＳ、および／またはＰＢＣＨを含むことができる。無線デバイスは、１つ以上のＲＳを使用して、ビームペアリンクの品質を測定することができる。１つ以上のＳＳブロック、またはＣＳＩ−ＲＳリソースインデックス（ＣＲＩ）と関連付けられた１つ以上のＣＳＩ−ＲＳリソース、またはＰＢＣＨの１つ以上のＤＭ−ＲＳを、ビームペアリンクの品質を測定するためのＲＳとして使用することができる。ビームペアリンクの品質は、基準信号受信パワー（ＲＳＲＰ）値、または基準信号受信品質（ＲＳＲＱ）値、および／またはＲＳリソース上で測定されたＣＳＩ値として定義することができる。基地局は、ビームペアリンクの品質を測定するために使用されるＲＳリソースが、制御チャネルのＤＭ−ＲＳとおおよそ同じ場所に配置されている（ＱＣＬｅｄ）かどうかを示すことができる。制御チャネルのＲＳリソースおよびＤＭ−ＲＳは、ＲＳ上の伝送から無線デバイスへの、および制御チャネル上の伝送から無線デバイスへのチャネル特性が、構成された基準の下で類似しているとき、または同じであるときに、ＱＣＬｅｄと呼ばれることがある。マルチビーム動作において、無線デバイスは、アップリンクビームスイーピングを実行して、セルにアクセスすることができる。
【００６６】
一例において、無線デバイスは、無線デバイスの能力に応じて、１つ以上のビームペアリンク上のＰＤＣＣＨを同時にモニタするように構成することができる。これは、ビームペアリンクのブロッキングに対するロバスト性を向上させることができる。基地局は、１つ以上のメッセージを伝送して、異なるＰＤＣＣＨ  ＯＦＤＭシンボルの１つ以上のビームペアリンク上のＰＤＣＣＨをモニタするように無線デバイスを構成することができる。例えば、基地局は、１つ以上のビームペアリンク上のＰＤＣＣＨをモニタするための無線デバイスのＲｘビーム設定に関するパラメータを含む、上位層シグナリング（例えば、ＲＲＣシグナリング）またはＭＡＣ  ＣＥを伝送することができる。基地局は、ＤＬ  ＲＳアンテナポート（複数可）（例えば、セル固有のＣＳＩ−ＲＳ、無線デバイス固有のＣＳＩ−ＲＳ、ＳＳブロック、またはＰＢＣＨのＤＭ−ＲＳを用いる、もしくは用いないＰＢＣＨ）と、ＤＬ制御チャネルの復調のためのＤＬ  ＲＳアンテナポート（複数可）との間で、空間的なＱＣＬ仮定の表示を伝送することができる。ＰＤＣＣＨのビーム表示のためのシグナリングは、ＭＡＣ  ＣＥシグナリング、またはＲＲＣシグナリング、またはＤＣＩシグナリング、または仕様透過的および／もしくは暗黙的方法、ならびにこれらのシグナリング方法の組み合わせであり得る。
【００６７】
ユニキャストＤＬデータチャネルの受信の場合、基地局は、ＤＬデータチャネルのＤＬ  ＲＳアンテナポート（複数可）とＤＭ−ＲＳアンテナポート（複数可）との間の空間ＱＣＬパラメータを示すことができる。基地局は、ＲＳアンテナポート（複数可）を示す情報を含むＤＣＩ（例えば、ダウンリンクグラント）を伝送することができる。この情報は、ＤＭ−ＲＳアンテナポート（複数可）を用いてＱＣＬｅｄされ得るＲＳアンテナポートを示すことができる。ＤＬデータチャネルのＤＭ−ＲＳアンテナポート（複数可）の異なるセットは、ＲＳアンテナポート（複数可）の異なるセットを用いてＱＣＬとして示すことができる。
【００６８】
図９Ａおよび図９Ｂは、マルチ接続（例えば、デュアル接続、マルチ接続、緊密な相互作用、および／または同様のもの）を用いるパケットフローを示す。図９Ａは、実施形態の態様に基づく、ＣＡおよび／またはマルチ接続を有する無線デバイス１１０（例えば、ＵＥ）のプロトコル構造の例示的略図である。図９Ｂは、実施形態の態様に基づく、ＣＡおよび／またはマルチ接続を有する複数の基地局のプロトコル構造の例示的略図である。複数の基地局は、マスタノード、ＭＮ１１３０（例えば、マスタノード、マスタ基地局、マスタｇＮＢ、マスタｅＮＢ、および／または同様のもの）、およびセカンダリノード、ＳＮ１１５０（例えば、セカンダリノード、セカンダリ基地局、セカンダリｇＮＢ、セカンダリｅＮＢ、および／または同様のもの）を含むことができる。マスタノード１１３０およびセカンダリノード１１５０は、無線デバイス１１０と通信するように協働することができる。
【００６９】
マルチ接続が無線デバイス１１０に対して構成されている場合、無線デバイス１１０は、ＲＲＣが接続された状態で複数の受信／伝送機能をサポートし得、複数の基地局の複数のスケジューラにより提供された無線リソースを利用するように構成することができる。複数の基地局は、非理想的または理想的なバックホール（例えば、Ｘｎインターフェース、Ｘ２インターフェース、および／または同様のもの）を介して相互接続することができる。特定の無線デバイスに対するマルチ接続に必要とされる基地局は、２つの異なる役割のうちの少なくとも一方を実行し得、すなわち、基地局は、マスタ基地局として、またはセカンダリ基地局としてのどちらかの機能を果たすことができる。マルチ接続において、無線デバイスは、１つのマスタ基地局、および１つ以上のセカンダリ基地局に接続することができる。一例において、マスタ基地局（例えば、ＭＮ１１３０）は、無線デバイス（例えば、無線デバイス１１０）に対して、１つのプライマリセル、および／または１つ以上のセカンダリセルを含むマスタセルグループ（ＭＣＧ）を提供することができる。セカンダリ基地局（例えば、ＳＮ１１５０）は、無線デバイス（例えば、無線デバイス１１０）に対して、１つのプライマリセカンダリセル（ＰＳＣｅｌｌ）、および／または１つ以上のセカンダリセルを含むセカンダリセルグループ（ＳＣＧ）を提供することができる。
【００７０】
マルチ接続において、ベアラが用いる無線プロトコルアーキテクチャは、ベアラがどのように設定されるかに依存し得る。一例において、ベアラ設定オプションのうちの３つの異なるタイプ、すなわち、ＭＣＧベアラ、ＳＣＧベアラ、および／または分割ベアラをサポートすることができる。無線デバイスは、ＭＣＧの１つ以上のセルを介して、ＭＣＧベアラのパケットを受信／伝送し得、かつ／または、ＳＣＧの１つ以上のセルを介して、ＳＣＧベアラのパケットを受信／伝送することができる。マルチ接続はまた、セカンダリ基地局により提供される無線リソースを使用するように構成された少なくとも１つのベアラを有するものとして、説明することもできる。マルチ接続は、いくつかの例示的な実施形態において、構成／実施されてもされなくてもよい。
【００７１】
一例において、無線デバイス（例えば、無線デバイス１１０）は、ＳＤＡＰ層（例えば、ＳＤＡＰ１１１０）、ＰＤＣＰ層（例えば、ＮＲ  ＰＤＣＰ１１１１）、ＲＬＣ層（例えば、ＭＮ  ＲＬＣ１１１４）、およびＭＡＣ層（例えば、ＭＮ  ＭＡＣ１１１８）を介してＭＣＧベアラのパケット、ＳＤＡＰ層（例えば、ＳＤＡＰ１１１０）、ＰＤＣＰ層（例えば、ＮＲ  ＰＤＣＰ１１１２）、マスタまたはセカンダリＲＬＣ層（例えば、ＭＮ  ＲＬＣ１１１５、ＳＮ  ＲＬＣ１１１６）のうちの一方、および、マスタまたはセカンダリＭＡＣ層（例えば、ＭＮ  ＭＡＣ１１１８、ＳＮ  ＭＡＣ１１１９）のうちの一方を介して分割ベアラのパケット、および／またはＳＤＡＰ層（例えば、ＳＤＡＰ１１１０）、ＰＤＣＰ層（例えば、ＮＲ  ＰＤＣＰ１１１３）、ＲＬＣ層（例えば、ＳＮ  ＲＬＣ１１１７）、およびＭＡＣ層（例えば、ＭＮ  ＭＡＣ１１１９）を介してＳＣＧベアラのパケット、を伝送および／または受信することができる。
【００７２】
一例において、マスタ基地局（例えば、ＭＮ１１３０）および／またはセカンダリ基地局（例えば、ＳＮ１１５０）は、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２１、ＮＲ  ＰＤＣＰ１１４２）、マスタノードＲＬＣ層（例えば、ＭＮ  ＲＬＣ１１２４、ＭＮ  ＲＬＣ１１２５）、およびマスタノードＭＡＣ層（例えば、ＭＮ  ＭＡＣ１１２８）を介してＭＣＧベアラのパケット、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２２、ＮＲ  ＰＤＣＰ１１４３）、セカンダリノードＲＬＣ層（例えば、ＳＮ  ＲＬＣ１１４６、ＳＮ  ＲＬＣ１１４７）、およびセカンダリノードＭＡＣ層（例えば、ＳＮ  ＭＡＣ１１４８）を介してＳＣＧベアラのパケット、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２３、ＮＲ  ＰＤＣＰ１１４１）、マスタもしくはセカンダリノードＲＬＣ層（例えば、ＭＮ  ＲＬＣ１１２６、ＳＮ  ＲＬＣ１１４４、ＳＮ  ＲＬＣ１１４５、ＭＮ  ＲＬＣ１１２７）、および、マスタもしくはセカンダリノードＭＡＣ層（例えば、ＭＮ  ＭＡＣ１１２８、ＳＮ  ＭＡＣ１１４８）を介して、分割ベアラのパケットを伝送／受信することができる。
【００７３】
マルチ接続において、無線デバイスは、複数のＭＡＣエンティティ、マスタ基地局に対する１つのＭＡＣエンティティ（例えば、ＭＮ  ＭＡＣ１１１８）、および、セカンダリ基地局に対する他のＭＡＣエンティティ（例えば、ＳＮ  ＭＡＣ１１１９）を構成することができる。マルチ接続において、無線デバイスに対するサービングセルの構成されたセットは、２つのサブセット、すなわち、マスタ基地局のサービングセルを含むＭＣＧ、およびセカンダリ基地局のサービングセルを含むＳＣＧを含むことができる。ＳＣＧの場合、以下の構成のうちの１つ以上が、適用され得、すなわち、ＳＣＧのうちの少なくとも１つのセルが、構成されたＵＬ  ＣＣを有し、プライマリセカンダリセル（ＳＣＧのうちのＰＳＣｅｌｌ、ＰＣｅｌｌ、または場合によっては、ＰＣｅｌｌと呼ばれる）と呼ばれるＳＣＧの少なくとも１つのセルが、ＰＵＣＣＨリソースを用いて構成され、ＳＣＧが構成される場合には、少なくとも１つのＳＣＧベアラまたは１つの分割ベアラが存在し得、ＰＳＣｅｌｌ上の物理層問題もしくはランダムアクセス問題、または、ＳＣＧと関連付けられて到着されたＮＲ  ＲＬＣ再伝送の数の検出時に、または、ＳＣＧ追加もしくはＳＣＧ変更中のＰＳＣｅｌｌに関するアクセス問題の検出時に、ＲＲＣ接続再確立プロシージャは、トリガされなくてもよく、ＳＣＧのセルに向かうＵＬ伝送は、停止されてもよく、マスタ基地局は、無線デバイスによってＳＣＧ故障タイプに関して通知されてもよく、分割ベアラの場合には、マスタ基地局にわたるＤＬデータ転送が、維持され得、ＮＲ  ＲＬＣ肯定モード（ＡＭ）ベアラは、分割ベアラのために構成され得、ＰＣｅｌｌおよび／またはＰＳＣｅｌｌは、停止されなくてもよく、ＰＳＣｅｌｌは、ＳＣＧ変更プロシージャを用いて（例えば、セキュリティキー変更およびＲＡＣＨプロシージャを用いて）変更され得、かつ／または分割ベアラとＳＣＧベアラとの間のベアラタイプ変更、またはＳＣＧおよび分割ベアラの同時構成は、サポートされてもされなくてもよい。
【００７４】
マルチ接続の場合の、マスタ基地局とセカンダリ基地局との間の相互作用については、以下のうちの１つ以上が適用され得、マスタ基地局および／またはセカンダリ基地局は、無線デバイスのＲＲＭ測定構成を維持することができ、マスタ基地局は、（例えば、受信された測定レポート、トラフィック条件、および／またはベアラタイプに基づいて）セカンダリ基地局に、無線デバイスのための追加リソース（例えばサービングセル）を提供するように要求することを決定することができ、マスタ基地局からの要求を受信すると、セカンダリ基地局は、無線デバイスのための追加サービングセルの構成となり得るコンテナを創出／変更する（または、セカンダリ基地局がそのようにするための利用可能なリソースを有さないと判定する）ことができ、ＵＥ能力協調のため、マスタ基地局は、ＡＳ構成およびＵＥ能力（の一部）をセカンダリ基地局に提供することができ、マスタ基地局およびセカンダリ基地局は、Ｘｎメッセージを介して搬送されたＲＲＣコンテナ（ノード間メッセージ）を用いることによって、ＵＥ構成についての情報を交換することができ、セカンダリ基地局は、セカンダリ基地局既存サービングセル（例えば、セカンダリ基地局に向かうＰＵＣＣＨ）の再構成を開始することができ、セカンダリ基地局は、どちらのセルがＳＣＧ内のＰＳＣｅｌｌであるかを判定することができ、マスタ基地局は、セカンダリ基地局により提供されたＲＲＣ構成の内容を変更してもしなくてもよく、ＳＣＧ追加および／またはＳＣＧ  ＳＣｅｌｌ追加の場合には、マスタ基地局は、ＳＣＧセル（複数可）のための最近（または直近）の測定結果を提供することができ、マスタ基地局およびセカンダリ基地局は、ＯＡＭからの、および／もしくはＸｎインターフェースを介した、互いのＳＦＮおよび／またはサブフレームオフセットの情報を受信することができる（例えば、ＤＲＸ調整および／または測定ギャップの識別を目的として）。一例において、新しいＳＣＧ  ＳＣｅｌｌを追加する場合には、ＳＣＧのＰＳＣｅｌｌのＭＩＢから取得されたＳＦＮを除き、専用ＲＲＣシグナリングを、ＣＡについてのセルの要求されたシステム情報を送信するために使用することができる。
【００７５】
図１０は、ランダムアクセスプロシージャの例示的な略図である。１つ以上のイベントが、ランダムアクセスプロシージャをトリガすることができる。例えば、１つ以上のイベントとは、以下のうちの少なくとも１つであり得、すなわち、ＲＲＣ＿ＩＤＬＥからの初期アクセス、ＲＲＣ接続再確立プロシージャ、ハンドオーバ、ＵＬ同期ステータスが同期されていないときのＲＲＣ＿ＣＯＮＮＥＣＴＥＤの間中でのＤＬまたはＵＬデータ到着、ＲＲＣ＿Ｉｎａｃｔｉｖｅからの遷移、および／または他のシステム情報の要求である。例えば、ＰＤＣＣＨ命令、ＭＡＣエンティティ、および／またはビーム障害表示により、ランダムアクセスプロシージャを開始させることができる。
【００７６】
例示的な実施形態において、ランダムアクセスプロシージャは、競合ベースランダムアクセスプロシージャおよび競合なしランダムアクセスプロシージャのうちの少なくとも１つであり得る。例えば、競合ベースランダムアクセスプロシージャは、１つ以上のＭｓｇ１、１２２０伝送、１つ以上のＭｓｇ２、１２３０伝送、１つ以上のＭｓｇ３、１２４０伝送、および競合解決１２５０を含むことができる。例えば、競合なしランダムアクセスプロシージャは、１つ以上のＭｓｇ１、１２２０伝送および１つ以上のＭｓｇ２、１２３０伝送を含むことができる。
【００７７】
一例において、基地局は、１つ以上のビームを介して、ＵＥに、ＲＡＣＨ構成１２１０を伝送（例えば、ユニキャスト、マルチキャスト、またはブロードキャスト）することができる。ＲＡＣＨ構成１２１０は、以下のうちの少なくとも１つを示す１つ以上のパラメータを含むことができ、それらは、ランダムアクセスプリアンブルの伝送のためのＰＲＡＣＨリソースの利用可能なセット、初期プリアンブルパワー（例えば、ランダムアクセスプリアンブル初期受信ターゲットパワー）、ＳＳブロックの選択、および対応するＰＲＡＣＨリソースのためのＲＳＲＰ閾値、パワーランピングファクタ（例えば、ランダムアクセスプリアンブルパワーランピングステップ）、ランダムアクセスプリアンブルインデックス、プリアンブル伝送の最大数、プリアンブルグループＡおよびグループＢ、ランダムアクセスプリアンブルのグループを決定するための閾値（例えば、メッセージサイズ）、システム情報要求の１つ以上のランダムアクセスプリアンブル、および対応するＰＲＡＣＨリソース（複数可）のセット、もしあれば、ビーム障害回復要求の１つ以上のランダムアクセスプリアンブル、および対応するＰＲＡＣＨリソース（複数可）のセット、もしあれば、ＲＡ応答（複数可）をモニタするための時間窓、ビーム障害回復要求での応答（複数可）をモニタするための時間窓、および／または競合解決タイマである。
【００７８】
一例において、Ｍｓｇ１、１２２０は、ランダムアクセスプリアンブルの１つ以上の伝送であり得る。競合ベースランダムアクセスプロシージャの場合、ＵＥは、ＲＳＲＰ閾値超のＲＳＲＰを有するＳＳブロックを選択することができる。ランダムアクセスプリアンブルグループＢが存在する場合、ＵＥは、可能性のあるＭｓｇ３、１２４０サイズに応じて、グループＡまたはグループＢから１つ以上のランダムアクセスプリアンブルを選択することができる。ランダムアクセスプリアンブルグループＢが存在しない場合、ＵＥは、グループＡから１つ以上のランダムアクセスプリアンブルを選択することができる。ＵＥは、選択されたグループと関連付けられた１つ以上のランダムアクセスプリアンブルからランダムアクセスプリアンブルインデックスをランダムに（例えば、等しい確率、または正規分布を使って）選択することができる。基地局が、ランダムアクセスプリアンブルとＳＳブロックとの間の関連付けを用いてＵＥを準統計学的に構成する場合、ＵＥは、選択されたＳＳブロックおよび選択されたグループと関連付けられた１つ以上のランダムアクセスプリアンブルからランダムアクセスプリアンブルインデックスをランダムに、同様の確率を使って選択することができる。
【００７９】
例えば、ＵＥは、下位層からのビーム障害表示に基づいて、競合なしランダムアクセスプロシージャを開始させることができる。例えば、基地局は、ＳＳブロックおよび／またはＣＳＩ−ＲＳのうちの少なくとも１つと関連付けられたビーム障害回復要求のための１つ以上の競合なしＰＲＡＣＨリソースを用いてＵＥを準統計学的に構成することができる。関連付けられたＳＳブロックの間で第１のＲＳＲＰ閾値超のＲＳＲＰを有するＳＳブロックのうちの少なくとも１つ、または、関連付けられたＣＳＩ−ＲＳの間で第２のＲＳＲＰ閾値超のＲＳＲＰを有するＣＳＩ−ＲＳのうちの少なくとも１つが利用可能である場合、ＵＥは、ビーム障害回復要求に対する１つ以上のランダムアクセスプリアンブルのセットから、選択されたＳＳブロックまたはＣＳＩ−ＲＳに対応するランダムアクセスプリアンブルインデックスを選択することができる。
【００８０】
例えば、ＵＥは、基地局から、競合なしランダムアクセスプロシージャのために、ＰＤＣＣＨまたはＲＲＣを介して、ランダムアクセスプリアンブルインデックスを受信することができる。基地局が、ＳＳブロックまたはＣＳＩ−ＲＳと関連付けられた少なくとも１つの競合なしＰＲＡＣＨリソースを用いてＵＥを構成しない場合、ＵＥは、ランダムアクセスプリアンブルインデックスを選択することができる。基地局が、ＳＳブロックと関連付けられた１つ以上の競合なしＰＲＡＣＨリソースを用いてＵＥを構成し、かつ、関連付けられたＳＳブロックの中で第１のＲＳＲＰ閾値超のＲＳＲＰを有する少なくとも１つのＳＳブロックが利用可能である場合、ＵＥは、少なくとも１つのＳＳブロックを選択し、その少なくとも１つのＳＳブロックに対応するランダムアクセスプリアンブルを選択することができる。基地局が、ＣＳＩ−ＲＳと関連付けられた１つ以上の競合なしＰＲＡＣＨリソースを用いてＵＥを構成し、かつ、関連付けられたＣＳＩ−ＲＳの中で第２のＲＳＰＲ閾値超のＲＳＲＰを有する少なくとも１つのＣＳＩ−ＲＳが利用可能である場合、ＵＥは、少なくとも１つのＣＳＩ−ＲＳを選択し、その少なくとも１つのＣＳＩ−ＲＳに対応するランダムアクセスプリアンブルを選択することができる。
【００８１】
ＵＥは、選択されたランダムアクセスプリアンブルを伝送することによって、１つ以上のＭｓｇ１、１２２０伝送を実行することができる。例えば、ＵＥが、ＳＳブロックを選択し、１つ以上のＰＲＡＣＨ機会と１つ以上のＳＳブロックとの間の関連付けを用いて構成される場合、ＵＥは、選択されたＳＳブロックに対応する１つ以上のＰＲＡＣＨ機会からＰＲＡＣＨ機会を決定することができる。例えば、ＵＥが、ＣＳＩ−ＲＳを選択し、１つ以上のＰＲＡＣＨ機会と１つ以上のＣＳＩ−ＲＳとの間の関連付けを用いて構成される場合、ＵＥは、選択されたＣＳＩ−ＲＳに対応する１つ以上のＰＲＡＣＨ機会からＰＲＡＣＨ機会を決定することができる。ＵＥは、基地局に、選択されたＰＲＡＣＨ機会を介して、選択されたランダムアクセスプリアンブルを伝送することができる。ＵＥは、少なくとも初期プリアンブルパワーおよびパワーランピングファクタに基づいて、選択されたランダムアクセスプリアンブルの伝送のための伝送パワーを決定することができる。ＵＥは、選択されたランダムアクセスプリアンブルが伝送される選択されたＰＲＡＣＨ機会と関連付けられたＲＡ−ＲＮＴＩを決定することができる。例えば、ＵＥは、ビーム障害回復要求のためのＲＡ−ＲＮＴＩを決定しなくてもよい。ＵＥは、少なくとも、第１のＯＦＤＭシンボルのインデックス、選択されたＰＲＡＣＨ機会の第１のスロットのインデックス、および／またはＭｓｇ１、１２２０の伝送のためのアップリンクキャリアインデックスに基づいて、ＲＡ−ＲＮＴＩを決定することができる。
【００８２】
一例において、ＵＥは、基地局から、ランダムアクセス応答、Ｍｓｇ２、１２３０を受信することができる。ＵＥは、時間ウインドウ（例えば、ｒａ−ＲｅｓｐｏｎｓｅＷｉｎｄｏｗ）を開始してランダムアクセス応答をモニタすることができる。ビーム障害回復要求の場合、基地局は、異なる時間ウインドウ（例えば、ｂｆｒ−ＲｅｓｐｏｎｓｅＷｉｎｄｏｗ）を用いてＵＥを構成し、ビーム障害回復要求の応答をモニタすることができる。例えば、ＵＥは、プリアンブル伝送の終わりから、１つ以上のシンボルの固定持続時間後の最初のＰＤＣＣＨ機会の開始時に時間ウインドウ（例えば、ｒａ−ＲｅｓｐｏｎｓｅＷｉｎｄｏｗまたはｂｆｒ−ＲｅｓｐｏｎｓｅＷｉｎｄｏｗ）を開始することができる。ＵＥが、複数のプリアンブルを伝送する場合、ＵＥは、第１のプリアンブル伝送の終わりから、１つ以上のシンボルの固定持続時間後の第１のＰＤＣＣＨ機会の開始時に時間ウインドウを開始することができる。ＵＥは、時間ウインドウのタイマが実行している間、ＲＡ−ＲＮＴＩにより識別された少なくとも１つのランダムアクセス応答、またはＣ−ＲＮＴＩにより識別されたビーム障害回復要求への少なくとも１つの応答、に対するセルのＰＤＣＣＨをモニタすることができる。
【００８３】
一例において、少なくとも１つのランダムアクセス応答が、ＵＥにより伝送されたランダムアクセスプリアンブルに対応するランダムアクセスプリアンブル識別子を含む場合、ＵＥは、ランダムアクセス応答の受信を正常とみなすことができる。ＵＥは、ランダムアクセス応答の受信が正常である場合、競合なしランダムアクセスプロシージャが正常に完了したとみなすことができる。競合なしランダムアクセスプロシージャが、ビーム障害回復要求のためにトリガされた場合、ＵＥは、ＰＤＣＣＨ伝送がＣ−ＲＮＴＩにアドレス指定されている場合に、競合なしランダムアクセスプロシージャが正常に完了したとみなすことができる。一例において、少なくとも１つのランダムアクセス応答がランダムアクセスプリアンブル識別子を含む場合、ＵＥは、ランダムアクセスプロシージャが正常に完了したとみなすことができ、上位層へのシステム情報要求に対する肯定応答の受信を示すことができる。ＵＥが複数のプリアンブル伝送を送った場合、ＵＥは、対応するランダムアクセス応答の正常な受信に応答して、残ったプリアンブル（もし、あれば）を伝送することを停止することができる。
【００８４】
一例において、ＵＥは、ランダムアクセス応答（例えば、競合ベースランダムアクセスプロシージャの場合）の正常な受信に応答して、１つ以上のＭｓｇ３、１２４０伝送を実行することができる。ＵＥは、ランダムアクセス応答により示されたタイミングアドバンスドコマンドに基づいて、アップリンク伝送タイミングを調節し得、ランダムアクセス応答により示されたアップリンクグラントに基づいて、１つ以上のトランスポートブロックを伝送することができる。Ｍｓｇ３、１２４０のＰＵＳＣＨ伝送のためのサブキャリア間隔は、少なくとも１つの上位層（例えば、ＲＲＣ）パラメータによって提供することができる。ＵＥは、ＰＲＡＣＨを介してランダムアクセスプリアンブルを、また、同じセル上のＰＵＳＣＨを介してＭｓｇ３、１２４０を、伝送することができる。基地局は、システム情報ブロックを介して、Ｍｓｇ３、１２４０のＰＵＳＣＨ伝送のためのＵＬ  ＢＷＰを示すことができる。ＵＥは、Ｍｓｇ３、１２４０の再伝送のためにＨＡＲＱを用いることができる。
【００８５】
一例において、複数のＵＥは、同じプリアンブルを基地局に伝送することによってＭｓｇ１、１２２０を実行し得、アイデンティティを含む同じランダムアクセス応答（例えば、ＴＣ−ＲＮＴＩ）を、基地局から受信することができる。競合解決１２５０は、ＵＥが別のＵＥのアイデンティティを誤って使用しないことを確実にすることができる。例えば、競合解決１２５０は、ＰＤＣＣＨ上のＣ−ＲＮＴＩ、または、ＤＬ−ＳＣＨ上のＵＥ競合解決アイデンティティに基づくことができる。例えば、基地局がＣ−ＲＮＴＩをＵＥに割り当てる場合、ＵＥは、Ｃ−ＲＮＴＩにアドレス指定されているＰＤＣＣＨ伝送の受信に基づいて、競合解決１２５０を実行することができる。ＰＤＣＣＨでのＣ−ＲＮＴＩの検出に応答して、ＵＥは、競合解決１２５０が正常であるとみすことができ、ランダムアクセスプロシージャが正常に完了したとみなすことができる。ＵＥが適正なＣ−ＲＮＴＩを有さない場合、競合解決は、ＴＣ−ＲＮＴＩを用いることによってアドレス指定することができる。例えば、ＭＡＣ  ＰＤＵが正常に復号化され、ＭＡＣ  ＰＤＵが、Ｍｓｇ３、１２５０に伝送されたＣＣＣＨ  ＳＤＵに一致するＵＥ競合解決アイデンティティＭＡＣ  ＣＥを含む場合、ＵＥは、競合解決１２５０が正常であるとみなすことができ、ランダムアクセスプロシージャが正常に完了したとみなすことができる。
【００８６】
図１１は、本開示の実施形態の態様に基づく、ＭＡＣエンティティのための例示的な構造である。一例において、無線デバイスは、マルチ接続モードで動作するように構成することができる。複数のＲＸ／ＴＸを有するＲＲＣ＿ＣＯＮＮＥＣＴＥＤの無線デバイスは、複数の基地局内に設置された複数のスケジューラによって提供される無線リソースを利用するように構成することができる。この複数の基地局は、Ｘｎインターフェースを介して非理想的または理想的なバックホールを介して接続することができる。一例において、複数の基地局内の各基地局は、マスタ基地局としての、またはセカンダリ基地局としての機能を果たすことができる。無線デバイスは、１つのマスタ基地局、および１つ以上のセカンダリ基地局に接続することができる。無線デバイスは、複数のＭＡＣエンティティ、例えば、マスタ基地局に対して１つのＭＡＣエンティティ、およびセカンダリ基地局（複数可）に対して１つ以上の他のＭＡＣエンティティを用いて構成することができる。一例において、無線デバイスのために構成されたサービングセルのセットは、２つのサブセット、すなわち、マスタ基地局のサービングセルを含むＭＣＧ、および、セカンダリ基地局（複数可）のサービングセルを含む１つ以上のＳＣＧを含むことができる。図１３は、ＭＣＧおよびＳＣＧが無線デバイスのために構成されている場合の、ＭＡＣエンティティの例示的な構造を示す。
【００８７】
一例において、ＳＣＧ内の少なくとも１つのセルは、構成されたＵＬ  ＣＣを有し得、少なくとも１つのセルのうちの１つのセルは、ＳＣＧのＰＳＣｅｌｌもしくはＰＣｅｌｌと呼ばれることがあり、または、場合によっては、単にＰＣｅｌｌ呼ばれることがある。ＰＳＣｅｌｌは、ＰＵＣＣＨリソースを用いて構成することができる。一例において、ＳＣＧが構成される場合、少なくとも１つのＳＣＧベアラ、または１つの分割ベアラが存在し得る。一例において、ＰＳＣｅｌｌでの物理層問題もしくはランダムアクセス問題を検出することについて、または、ＳＣＧと関連付けられたＲＬＣ再伝送の数に達したことについて、または、ＳＣＧ追加もしくはＳＣＧ変更中にＰＳＣｅｌｌでのアクセス問題を検出することについて、ＲＲＣ接続再確立プロシージャは、トリガすることができ、ＳＣＧのセルに向かうＵＬ伝送は、中止することができ、マスタ基地局は、ＵＥによってＳＣＧ障害のタイプに関して通知することができ、マスタ基地局を通じたＤＬデータ転送を維持することができる。
【００８８】
一例において、ＭＡＣサブレイヤは、データ転送および無線リソース割り当てなどのサービスを上位層（例えば、１３１０または１３２０）に提供することができる。このＭＡＣサブレイヤは、複数のＭＡＣエンティティ（例えば１３５０および１３６０）を含むことができる。このＭＡＣサブレイヤは、データ転送サービスを論理チャネル上に提供することができる。様々な種類のデータ転送サービスに対応するために、複数のタイプの論理チャネルを定義することができる。論理チャネルは、特定のタイプの情報の転送をサポートすることができる。論理チャネルタイプは、どのタイプの情報（例えば、制御またはデータ）が転送されるかによって定義することができる。例えば、ＢＣＣＨ、ＰＣＣＨ、ＣＣＣＨ、およびＤＣＣＨは、制御チャネルであり得、ＤＴＣＨは、トラフィックチャネルであり得る。一例において、第１のＭＡＣエンティティ（例えば１３１０）は、ＰＣＣＨ、ＢＣＣＨ、ＣＣＣＨ、ＤＣＣＨ、ＤＴＣＨ、およびＭＡＣ制御要素上でサービスを提供することができる。一例において、第２のＭＡＣエンティティ（例えば１３２０）は、ＢＣＣＨ、ＤＣＣＨ、ＤＴＣＨ、およびＭＡＣ制御要素上でサービスを提供することができる。
【００８９】
ＭＡＣサブレイヤは、物理層（例えば１３３０または１３４０）から、データ転送サービス、ＨＡＲＱフィードバックのシグナリング、スケジューリング要求または測定値のシグナリング（例えば、ＣＱＩ）などのサービスを推測することができる。一例において、デュアル接続では、２つのＭＡＣエンティティが、無線デバイスのために構成され得、すなわち、それらは、ＭＣＧに対する１つ、およびＳＣＧに対する１つである。無線デバイスのＭＡＣエンティティは、複数のトランスポートチャネルを処理することができる。一例において、第１のＭＡＣエンティティは、ＭＣＧのＰＣＣＨ、ＭＣＧの第１のＢＣＨ、ＭＣＧの１つ以上の第１のＤＬ−ＳＣＨ、ＭＣＧの１つ以上の第１のＵＬ−ＳＣＨ、およびＭＣＧの１つ以上の第１のＲＡＣＨを含む第１のトランスポートチャネルを処理することができる。一例において、第２のＭＡＣエンティティは、ＳＣＧの第２のＢＣＨ、ＳＣＧの１つ以上の第２のＤＬ−ＳＣＨ、ＳＣＧの１つ以上の第２のＵＬ−ＳＣＨ、およびＳＣＧの１つ以上の第２のＲＡＣＨを含む第２のトランスポートチャネルを処理することができる。
【００９０】
一例において、ＭＡＣエンティティが１つ以上のＳＣｅｌｌを用いて構成されている場合、複数のＤＬ−ＳＣＨが存在し得、複数のＵＬ−ＳＣＨ、ならびにＭＡＣエンティティ毎に複数のＲＡＣＨが存在し得る。一例において、各ＳｐＣｅｌｌに、１つのＤＬ−ＳＣＨおよびＵＬ−ＳＣＨが存在し得る。一例において、各ＳＣｅｌｌに対して、１つのＤＬ−ＳＣＨ、ゼロまたは１つのＵＬ−ＳＣＨ、および、ゼロまたは１つのＲＡＣＨが存在し得る。ＤＬ−ＳＣＨは、ＭＡＣエンティティ内の別個のヌメロロジおよび／またはＴＴＩ持続時間を使用して受信をサポートすることができる。また、ＵＬ−ＳＣＨは、ＭＡＣエンティティ内の別個のヌメロロジおよび／またはＴＴＩ持続時間を使用して伝送をサポートすることができる。
【００９１】
一例において、ＭＡＣサブレイヤは、別個の機能をサポートすることができ、制御（例えば１３５５または１３６５）要素を用いてこれらの機能を制御することができる。ＭＡＣエンティティにより実行される機能は、論理チャネルとトランスポートチャネル（例えば、アップリンクまたはダウンリンクで）との間のマッピング、トランスポートチャネル（例えば、アップリンクで）上の物理層に送達されるべき、１つまたは別個の論理チャネルからトランスポートブロック（ＴＢ）へのＭＡＣ  ＳＤＵの多重化（例えば、１３５２または１３６２）、トランスポートチャネル（例えば、ダウンリンクで）上の物理層から送達されるトランスポートブロック（ＴＢ）から１つまたは別個の論理チャネルへのＭＡＣ  ＳＤＵの分割化（例えば１３５２または１３６２）、スケジューリング情報レポーティング（例えば、アップリンクで）、アップリンクまたはダウンリンク内のＨＡＲＱを通じての誤り訂正（例えば、１３６３）、およびアップリンクでの論理チャネル優先度付け（例えば１３５１または１３６１）、を含むことができる。ＭＡＣエンティティは、ランダムアクセスプロセス（例えば、１３５４または１３６４）を処理することができる。
【００９２】
図１２は、１つ以上の基地局を含むＲＡＮアーキテクチャの例示的な略図である。一例において、プロトコルスタック（例えば、ＲＲＣ、ＳＤＡＰ、ＰＤＣＰ、ＲＬＣ、ＭＡＣ、およびＰＨＹ）は、ノードにおいてサポートすることができる。基地局（例えば、１２０Ａまたは１２０Ｂ）は、基地局中央ユニット（ＣＵ）（例えば、ｇＮＢ−ＣＵ１４２０Ａまたは１４２０Ｂ）、および、機能的な分割が構成されている場合の、少なくとも１つの基地局分散ユニット（ＤＵ）（例えば、ｇＮＢ−ＤＵ１４３０Ａ、１４３０Ｂ、１４３０Ｃ、または１４３０Ｄ）を含むことができる。基地局の上位プロトコル層は、基地局ＣＵ内に設置することができ、基地局の下位層は、基地局ＤＵ内に設置することができる。基地局ＣＵおよび基地局ＤＵを接続するＦ１インターフェース（例えば、ＣＵ−ＤＵインターフェース）は、理想的または非理想的バックホールであり得る。Ｆ１−Ｃは、Ｆ１インターフェースを介して制御プレーン接続を提供することができ、Ｆ１−Ｕは、Ｆ１インターフェースを介してユーザプレーン接続を提供することができる。一例において、Ｘｎインターフェースは、基地局ＣＵの間に構成することができる。
【００９３】
一例において、基地局ＣＵは、ＲＲＣ機能、ＳＤＡＰ層、およびＰＤＣＰ層を含むことができ、基地局ＤＵは、ＲＬＣ層、ＭＡＣ層、およびＰＨＹ層を含むことができる。一例において、基地局ＣＵと基地局ＤＵとの間の様々な機能的分割オプションは、基地局ＣＵ内の上位プロトコル層（ＲＡＮ機能）の様々な組み合わせ、および、基地局ＤＵ内の下位プロトコル層（ＲＡＮ機能）の様々な組み合わせを設定することによって可能となり得る。機能的分割は、フレキシブル性をサポートし、サービス要件および／またはネットワーク環境に応じて、基地局ＣＵと基地局ＤＵとの間でプロトコル層を移動させることができる。
【００９４】
一例において、機能的分割オプションは、基地局毎、基地局ＣＵ毎、基地局ＤＵ毎、ＵＥ毎、ベアラ毎、スライス毎に構成され、または他の粒度を用いて構成することができる。基地局ＣＵ分割毎において、基地局ＣＵは、固定分割オプションを有し得、基地局ＤＵは、基地局ＣＵの分割オプションに一致するように構成することができる。基地局ＤＵ分割毎において、基地局ＤＵは、異なる分割オプションを用いて構成され得、基地局ＣＵは、別個の基地局ＤＵに対して別個の分割オプションを提供することができる。ＵＥ分割において、基地局（基地局ＣＵ、および少なくとも１つの基地局ＤＵ）は、別個の無線デバイスに対して別個の分割オプションを提供することができる。ベアラ分割毎において、別個の分割オプションを、別個のベアラに対して利用することができる。スライススプライス毎に、別個の分割オプションを、別個のスライスに対して適用することができる。
【００９５】
図１３は、無線デバイスのＲＲＣ状態遷移を示す例示的な略図である。一例において、無線デバイスは、ＲＲＣ接続状態（例えば、ＲＲＣ接続１５３０、ＲＲＣ＿Ｃｏｎｎｅｃｔｅｄ）、ＲＲＣアイドル状態（例えば、ＲＲＣアイドル１５１０、ＲＲＣ＿Ｉｄｌｅ）、および／またはＲＲＣ停止状態（例えば、ＲＲＣ停止１５２０、ＲＲＣ＿Ｉｎａｃｔｉｖｅ）の中の少なくとも１つのＲＲＣ状態にあり得る。一例において、ＲＲＣ接続状態では、無線デバイスは、少なくとも１つの基地局（例えば、ｇＮＢおよび／またはｅＮＢ）との、少なくとも１つのＲＲＣ接続を有することができ、それらの基地局は、無線デバイスのＵＥコンテキストを有することができる。ＵＥコンテキスト（例えば、無線デバイスコンテキスト）は、アクセス層コンテキスト、１つ以上の無線リンク構成パラメータ、ベアラ（例えば、データ無線ベアラ（ＤＲＢ）、シグナリング無線ベアラ（ＳＲＢ）、論理チャネル、ＱｏＳフロー、ＰＤＵセッション、および／または同様のもの）構成情報、セキュリティ情報、ＰＨＹ／ＭＡＣ／ＲＬＣ／ＰＤＣＰ／ＳＤＡＰ層構成情報、および／または、無線デバイスのための同様の構成情報、のうちの少なくとも１つを含むことができる。一例において、ＲＲＣアイドル状態では、無線デバイスは、基地局とのＲＲＣ接続を有さなくてもよく、無線デバイスのＵＥコンテキストは、基地局内に格納されない場合がある。一例において、ＲＲＣ停止状態では、無線デバイスは、基地局とのＲＲＣ接続を有さない場合がある。無線デバイスのＵＥコンテキストは、基地局内に格納され得、その基地局は、アンカー基地局（例えば、最終サービング基地局）と呼ばれることがある。
【００９６】
一例において、無線デバイスは、ＲＲＣアイドル状態とＲＲＣ接続状態との間で両方向に（例えば、接続解放１５４０もしくは接続確立１５５０、または接続再確立）、および／またはＲＲＣ停止状態とＲＲＣ接続状態との間で両方向に（例えば、接続停止１５７０または接続再開１５８０）、ＵＥ  ＲＲＣ状態を遷移させることができる。一例において、無線デバイスは、ＲＲＣ停止状態からＲＲＣアイドル状態に、そのＲＲＣ状態を遷移させることができる（例えば、接続解放１５６０）。
【００９７】
一例において、アンカー基地局は、無線デバイスがアンカー基地局のＲＡＮ通知エリア（ＲＮＡ）にとどまる、かつ／または、無線デバイスがＲＲＣ停止状態にとどまるような時間帯の少なくともその間中、無線デバイスのＵＥコンテキスト（無線デバイスコンテキスト）を保持することができる基地局であり得る。一例において、アンカー基地局は、ＲＲＣ停止状態にある無線デバイスが直近のＲＲＣ接続状態で最後に接続されている、または、無線デバイスがＲＮＡ更新プロシージャを内部で最後に実行した基地局であり得る。一例において、ＲＮＡは、１つ以上の基地局によって動作された１つ以上のセルを含むことができる。一例において、基地局は、１つ以上のＲＮＡに属し得る。一例において、セルは、１つ以上のＲＮＡに属し得る。
【００９８】
一例において、無線デバイスは、基地局において、ＵＥ  ＲＲＣ状態をＲＲＣ接続状態からＲＲＣ停止状態に遷移させることができる。無線デバイスは、基地局からＲＮＡ情報を受信することができる。ＲＮＡ情報は、ＲＮＡ識別子のうちの少なくとも１つ、ＲＮＡの１つ以上のセルの１つ以上のセル識別子、基地局識別子、基地局のＩＰアドレス、無線デバイスのＡＳコンテキスト識別子、再開識別子、および／または同様のものを含むことができる。
【００９９】
一例において、アンカー基地局は、メッセージ（例えば、ＲＡＮページングメッセージ）をＲＮＡの基地局にブロードキャストして、無線デバイスをＲＲＣ停止状態に到達させることができ、および／またはアンカー基地局からメッセージを受信する基地局は、別のメッセージ（例えば、ページングメッセージ）を、エアインターフェースを通して、ＲＮＡと関連付けられた、基地局のカバレッジエリア、セルカバレッジエリア、および／またはビームカバレッジエリア内の無線デバイスにブロードキャストおよび／またはマルチキャストすることができる。
【０１００】
一例において、ＲＲＣ停止状態にある無線デバイスが新しいＲＮＡ中に移動すると、無線デバイスは、ＲＮＡ更新（ＲＮＡＵ）プロシージャを実行することができ、そのプロシージャは、無線デバイスおよび／またはＵＥコンテキスト検索プロシージャによりランダムアクセスプロシージャを実行することができる。ＵＥコンテキスト検索は、基地局によって、無線デバイスから、ランダムアクセスプリアンブルを検索すること、および、基地局によって、以前のアンカー基地局から無線デバイスのＵＥコンテキストをフェッチすることを含むことができる。フェッチすることは、再開識別子を含む検索ＵＥコンテキスト要求メッセージを、以前のアンカー基地局に送信すること、および、無線デバイスのＵＥコンテキストを含む検索ＵＥコンテキスト応答メッセージを、以前のアンカー基地局から受信することを含むことができる。
【０１０１】
例示的な実施形態において、ＲＲＣ停止状態にある無線デバイスは、少なくとも１つ以上のセルに対する測定結果に基づいて、キャンプオンする１つのセルを選択することができ、そこでは、無線デバイスは、基地局からのＲＮＡページングメッセージおよび／またはコアネットワークページングメッセージをモニタすることができる。一例において、ＲＲＣ停止状態にある無線デバイスは、ランダムアクセスプロシージャを実行するためのセルを選択してＲＲＣ接続を再開し、かつ／または基地局に（例えば、ネットワークに）１つ以上のパケットを伝送することができる。一例において、選択されたセルが、ＲＲＣ停止状態にある無線デバイスのためのＲＮＡとは異なるＲＮＡに属する場合、無線デバイスは、ランダムアクセスプロシージャを開始してＲＮＡ更新プロシージャを実行することができる。一例において、ＲＲＣ停止状態にある無線デバイスが、バッファ内に、ネットワークに伝送するための１つ以上のパケットを有する場合、無線デバイスは、ランダムアクセスプロシージャを開始して、無線デバイスが選択するセルの基地局に１つ以上のパケットを伝送することができる。ランダムアクセスプロシージャは、無線デバイスと基地局との間で、２つのメッセージ（例えば、２ステージランダムアクセス）、および／または４つのメッセージ（例えば、４ステージランダムアクセス）を用いて実行することができる。
【０１０２】
例示的な実施形態において、ＲＲＣ停止状態にある無線デバイスから１つ以上のアップリンクパケットを受信する基地局は、無線デバイスから受信されたＡＳコンテキスト識別子、ＲＮＡ識別子、基地局識別子、再開識別子、および／またはセル識別子のうちの少なくとも１つに基づいて、無線デバイスのための検索ＵＥコンテキスト要求メッセージを無線デバイスのアンカー基地局に伝送することによって、無線デバイスのＵＥコンテキストを取り出すことができる。ＵＥコンテキストをフェッチすることに応答して、基地局は、無線デバイスのためのパス切り替え要求をコアネットワークエンティティ（例えば、ＡＭＦ、ＭＭＥ、および／または同様のもの）に伝送することができる。コアネットワークエンティティは、ユーザプレーンコアネットワークエンティティ（例えば、ＵＰＦ、Ｓ−ＧＷ、および／または同様のもの）とＲＡＮノード（例えば、基地局）との間で、無線デバイスのために確立された１つ以上のベアラに対するダウンリンクトンネルエンドポイント識別子を更新することができ、例えば、ダウンリンクトンネルエンドポイント識別子をアンカー基地局のアドレスから基地局のアドレスに変更することができる。
【０１０３】
ｇＮＢは、１つ以上の新しい無線技術を用いる無線ネットワークを介して無線デバイスと通信することができる。この１つ以上の無線技術は、物理層に関する複数の技術、媒体アクセス制御層に関する複数の技術、および／または無線リソース制御層に関する複数の技術、のうちの少なくとも１つを含むことができる。この１つ以上の無線技術を強化する例示的な実施形態は、無線ネットワークの性能を向上させることができる。例示的な実施形態は、システムスループット、またはデータ伝送率を高めることができる。例示的な実施形態は、無線デバイスのバッテリ消費を低減することができる。例示的な実施形態は、ｇＮＢと無線デバイスとの間のデータ伝送の待ち時間を改善することができる。例示的な実施形態は、無線ネットワークのネットワークカバレッジを向上させることができる。例示的な実施形態は、無線ネットワークの伝送効率を向上させることができる。
【０１０４】
例示的な実施形態において、５Ｇネットワークの無線デバイスは、ＲＲＣ接続状態、ＲＲＣアイドル状態、およびＲＲＣ停止状態の間で、少なくとも１つのＲＲＣ状態にとどまり得る。一例において、ＲＲＣ接続状態において、無線デバイスは、少なくとも１つの基地局との少なくとも１つのＲＲＣ接続を有し得、基地局は、無線デバイスのＵＥコンテキストを有し得る。ＵＥコンテキスト（無線デバイスコンテキスト）は、ＡＳコンテキスト、ベアラ構成情報、セキュリティ情報、ＰＤＣＰ構成情報、および／または無線デバイスの他の構成情報、のうちの少なくとも１つを含むことができる。一例において、ＲＲＣアイドル状態において、無線デバイスは、基地局とのＲＲＣ接続を有さない場合があり、無線デバイスのＵＥコンテキストは、基地局に格納されない場合がある。一例において、ＲＲＣ停止状態において、無線デバイスは、基地局とのＲＲＣ接続を有さない場合があるが、無線デバイスのＵＥコンテキストは、基地局に格納することができ、その基地局は、アンカー基地局と呼ばれることがある。
【０１０５】
例示的な実施形態において、無線デバイスは、ＲＲＣアイドル状態とＲＲＣ接続状態との間で両方向において、およびＲＲＣ停止状態とＲＲＣ接続状態との間で両方向において、およびＲＲＣ停止状態からのＲＲＣアイドル状態への一方向において、そのＲＲＣ状態を遷移させることができる。
【０１０６】
例示的な実施形態において、アンカー基地局は、少なくともＵＥコンテキストと関連付けられた無線デバイスがアンカー基地局のＲＮＡ（ＲＡＮ通知エリア）にとどまる限り、ＵＥコンテキスト（無線デバイスコンテキスト）を保持することができる基地局であり得る。一例において、アンカー基地局は、ＵＥ固有のアンカーの場合、ＲＲＣ停止状態にある無線デバイスが直近のＲＲＣ接続状態で最後に接続された、または無線デバイスが内部でＲＮＡ更新プロシージャを最後に実行した基地局であり得る。一例において、アンカー基地局は、共通アンカーの場合、ＲＲＣ停止状態にある無線デバイスのＵＥコンテキストを、アンカー基地局のＲＮＡにとどまらせ続けると判定された基地局であり得る。共通アンカーの場合は、１つ以上のアンカー基地局がＲＮＡ内に存在し得る。
【０１０７】
例示的な実施形態において、ＲＮＡは、１つ以上の基地局によって動作された１つ以上のセルを含むことができる。一例において、基地局は、１つ以上のＲＮＡに属し得る。一例において、セルは、１つ以上のＲＮＡに属し得る。一例において、アンカー基地局は、メッセージをＲＮＡの基地局にブロードキャストして、無線デバイスをＲＲＣ停止状態に到達させることができ、アンカー基地局からブロードキャストされたメッセージを受信する基地局は、別のメッセージを、エアインターフェースを通して、ＲＮＡと関連付けられた、基地局のカバレッジエリア、セルカバレッジエリア、および／またはビームカバレッジエリア内の無線デバイスにブロードキャストおよび／またはマルチキャストすることができる。一例において、ＲＲＣ停止状態にある無線デバイスが新しいＲＮＡ内に移動したときに、無線デバイスは、無線デバイスからランダムアクセスプリアンブルメッセージを受信する基地局によって、無線デバイスおよび／またはＵＥコンテキスト検索プロシージャによるランダムアクセスプロシージャを含み得るＲＮＡ更新（ＲＮＡＵ）プロシージャを実行して、以前のＲＮＡの以前のアンカー基地局から新しいＲＮＡの新しいアンカー基地局への無線デバイスのＵＥコンテキストをフェッチすることができる。
【０１０８】
例示的な実施形態において、無線デバイスは、第１の基地局において、そのＲＲＣ状態をＲＲＣ接続状態からＲＲＣ停止状態に遷移させることができる。一例において、無線デバイスは、第１の基地局からＲＮＡ情報を受信することができる。第１の基地局が無線デバイスのアンカー基地局である場合（すなわち、ＵＥ固有のアンカーの場合、または共通アンカーの場合においてアンカー基地局が第１の基地局である場合）、ＲＮＡ情報は、ＲＮＡ識別子、セル識別子、基地局識別子、第１の基地局のＩＰアドレス、および／または無線デバイスのコンテキスト識別子、のうちの少なくとも１つを含むことができる。第１の基地局が無線デバイスのアンカー基地局でない場合（すなわち、共通アンカーの場合において第１の基地局がアンカー基地局でない場合）、ＲＮＡ情報は、ＲＮＡ識別子、第１の基地局のセル識別子、アンカー基地局の基地局識別子、アンカー基地局のＩＰアドレス、および／またはコンテキスト識別子、のうちの少なくとも１つを含むことができる。
【０１０９】
一例において、第１の基地局が無線デバイスのアンカー基地局である場合、第１の基地局は、少なくとも無線デバイスが無線デバイスと関連付けられたＲＮＡ内にとどまっている期間中に、無線デバイスのＵＥコンテキストを保持することができる。第１の基地局が無線デバイスのアンカー基地局でない場合において、第１の基地局は、無線デバイスのＵＥコンテキストの１つ以上の要素をアンカー基地局へ転送することができ、アンカー基地局は、少なくとも無線デバイスが無線デバイスと関連付けられたＲＮＡ内にとどまっている期間中に、無線デバイスのＵＥコンテキストの１つ以上の要素を保持することができる。
【０１１０】
例示的な実施形態において、ＲＲＣ停止状態の無線デバイスは、無線デバイスが基地局からのＲＮＡページングメッセージおよび／またはコアネットワークページングメッセージを受信するセルを選択することができる。一例において、ＲＲＣ停止状態の無線デバイスは、ランダムアクセスプロシージャを実行して、ＲＲＣ接続を確立する、および／または１つ以上のパケットを伝送するセルを選択することができる。一例において、選択されたセルが、無線デバイスと関連付けられたＲＮＡとは異なるＲＮＡに属する場合、無線デバイスは、ランダムアクセスプロシージャを開始して、ＲＮＡ更新プロシージャを実行することができる。一例において、ＲＲＣ停止状態にある無線デバイスが、そのバッファ内に、ネットワークに伝送するための１つ以上のパケットを有する場合、無線デバイスは、ランダムアクセスプロシージャを開始して、無線デバイスが選択したセルの基地局に１つ以上のパケットを伝送することができる。ランダムアクセスプロシージャは、無線デバイスと基地局との間で、２つのメッセージおよび／または４つのメッセージを用いて実行され得る。一例において、ＲＲＣ停止状態にある無線デバイスの１つ以上のアップリンクパケットは、ＰＤＣＰプロトコル層パケットであり得る。
【０１１１】
例示的な一実施形態では、ＲＲＣ停止状態にある無線デバイスからの１つ以上のアップリンクパケットが、コアネットワークエンティティに伝送することができる。一例において、ＲＲＣ停止状態にある無線デバイスから１つ以上のアップリンクパケットを受信する第１の基地局は、無線デバイスから受信されたＡＳコンテキスト識別子、ＲＮＡ識別子、基地局識別子、および／またはセル識別子のうちの少なくとも１つに基づいて、１つ以上のアップリンクパケットを無線デバイスのアンカー基地局に伝送することができる。一例において、アンカー基地局は、少なくとも、第１の基地局から受信されたＡＳコンテキスト識別子および／または無線デバイス識別子に基づいて、少なくとも、検索したＵＥコンテキストに基づいて、アップリンクデータパケットをコアネットワークエンティティに伝送することができる。
【０１１２】
例示的な一実施形態において、ＲＲＣ停止状態にある無線デバイスから１つ以上のアップリンクパケットを受信する第１の基地局は、無線デバイスから受信されたＡＳコンテキスト識別子、ＲＮＡ識別子、基地局識別子、および／またはセル識別子のうちの少なくとも１つに基づいて、無線デバイスのＵＥコンテキストフェッチ要求メッセージを無線デバイスのアンカー基地局に伝送することができる。一例において、アンカー基地局は、第１の基地局から受信されたＡＳコンテキスト識別子および／または無線デバイス識別子のうちの少なくとも１つに基づいて、無線デバイスのＵＥコンテキストを第１の基地局に伝送することができる。ＵＥコンテキストを受信する第１の基地局は、無線デバイスのパス切り替え要求をコアネットワークエンティティに伝送することができ、コアネットワークエンティティは、ユーザプレーンコアネットワークエンティティとＲＡＮノードとの間で、無線デバイスのために確立された１つ以上のベアラに対するダウンリンクトンネルエンドポイント識別子を更新することができ、例えば、ダウンリンクトンネルエンドポイント識別子をアンカー基地局のアドレスから第１の基地局のアドレスに変更することができる。一例において、第１の基地局は、ユーザプレーンコアネットワークエンティティと第１の基地局との間のＵＥコンテキストおよび／または更新された１つ以上のベアラのうちの少なくとも１つに基づいて、１つ以上のアップリンクパケットをユーザプレーンコアネットワークエンティティに伝送することができる。一例において、アンカー基地局は、無線デバイスのＵＥコンテキストを削除することができる。
【０１１３】
ＣＮトラッキングエリアに加えて、ＲＲＣ＿ＩＮＡＣＴＩＶＥにあるＵＥは、ＵＥがネットワークに通知することなく自由に移動することができる「ＲＡＮベースの通知エリア」（ここでは「ＲＡＮエリア」と呼ばれる）上を追跡することができる。ＵＥがＲＡＮエリアの外側を移動すると、ＵＥは、ＲＡＮエリア更新を実行することができる。
【０１１４】
ＲＡＮエリアは、ＲＲＣ＿ＩＮＡＣＴＩＶＥにあるＵＥにのみ適用することができるので、ＲＡＮエリア更新は、例えば「ｒａｎＮｏｔｉｆｉｃａｔｉｏｎＡｒｅａＵｐｄａｔｅＲｅｑｕｅｓｔ」に等しいｃａｕｓｅＶａｌｕｅを有するＲＲＣＣｏｎｎｅｃｔｉｏｎＲｅｓｕｍｅＲｅｑｕｅｓｔメッセージ（例えば、メッセージは、ＲＲＣ＿ＩＮＡＣＴＩＶＥからＲＲＣ＿ＣＯＮＮＥＣＴＥＤへの遷移に使用することができる）を用いて実行することができる。このメッセージを使用する動機は、ＤＬデータの待機が存在し得、よって、ネットワークが、ＲＲＣ＿ＣＯＮＮＥＣＴＥＤ（および「再開」プロシージャの完了）をＵＥに命令する可能性があり得ることである。
【０１１５】
ネットワークは、ＲＲＣＣｏｎｎｅｃｔｉｏｎＲｅｓｕｍｅＲｅｑｕｅｓｔメッセージを受信したときに、ＵＥコンテキストを見つけた場合に、ＵＥコンテキストおよびＣＮ／ＲＡＮ接続を再配置することができ、次いで、ＲＲＣＣｏｎｎｅｃｔｉｏｎＳｕｓｐｅｎｄメッセージを使用して、更新されたＲＡＮ通知エリアを用いてＵＥを直接中断することができる。この時点でＵＥのＤＬデータが存在する場合、ネットワークは、ＵＥをＲＲＣ＿ＣＯＮＮＥＣＴＥＤに遷移させるＲＲＣＣｏｎｎｅｃｔｉｏｎＲｅｓｕｍｅメッセージに応答することができる。ＵＬまたはＤＬデータがない場合、ＵＥは、できるだけ早くＲＲＣ＿ＩＮＡＣＴＩＶＥに戻ることができる。ＵＥは、ＵＥコンテキストの新しい場所を示すために、ＲＲＣ＿ＩＮＡＣＴＩＶＥに中断されたときに、新しい再開アイデンティティを与えることが必要であり得る。ＵＥ固有のＲＡＮエリアは、ＲＲＣＣｏｎｎｅｃｔｉｏｎＳｕｓｐｅｎｄメッセージに含まれるｒａｎＡｒｅａＩｎｆｏｒｍａｔｉｏｎを用いて更新することができる。ｒａｎＡｒｅａＩｎｆｏｒｍａｔｉｏｎは、セルのリストを使用してすべての新しいＲＡＮエリアを示すこと、またはデルタ−シグナリングを使用して、どのセルをＲＡＮエリアに追加／そこから削除することができるのかを通知すること、のいずれかを行うことができる。加えて、ｒａｎＡｒｅａＩｎｆｏｒｍａｔｉｏｎはまた、ＵＥがその以前のＲＡＮエリアを使用できるかどうか、またはＲＡＮエリアがＵＥのＴＡＩリストで構成できるかどうかも示すことができる。
【０１１６】
ＵＥは、新しいＲＡＮエリアおよび新しい再開ＩＤ（再開アイデンティティ）が割り当てられ得るので、接続が中断されたときに、ＲＲＣＣｏｎｎｅｃｔｉｏｎＳｕｓｐｅｎｄメッセージが暗号化されて、完全性が保護されることが重要であり得る。ＬＴＥにおいて、これは、ＲＲＣＣｏｎｎｅｃｔｉｏｎＳｅｔｕｐメッセージにおいてＮｅｘｔ  Ｈｏｐ  Ｃｈａｉｎｉｎｇ  Ｃｏｕｎｔｅｒ（ＮＣＣ）をＵＥに提供し、セキュリティが可能にされ得るＲＲＣ＿ＣＯＮＮＥＣＴＥＤに遷移させることによって達成することができる。ＲＡＮエリア更新プロシージャを最適化して、ＵＥがＲＲＣＣｏｎｎｅｃｔｉｏｎＲｅｓｕｍｅＲｅｑｕｅｓｔに対する応答としてＲＲＣ＿ＩＮＡＣＴＩＶＥに直接中断することを可能にするために、ＵＥがＭＳＧ３で暗号化キーをすでに導出していることが必要であり得る。これは、すでにＲＲＣＣｏｎｎｅｃｔｉｏｎＳｕｓｐｅｎｄメッセージにあるＮＣＣをＵＥに提供することによって達成することができる。これはまた、ＲＲＣＣｏｎｎｅｃｔｉｏｎＲｅｓｕｍｅＲｅｑｕｅｓｔの完全性保護も可能にすることができる。
【０１１７】
加えて、ＲＡＮが、以前のＵＥコンテキストを検索することができない場合に、例えばそれを失った、もしくは放棄した場合に、またはコンテキストをフェッチすることができないｇＮＢ内に存在する場合が存在し得る。この場合、最初にＲＡＮコンテキストを再構築することなくＲＡＮエリア更新を完了できない場合がある。
【０１１８】
その場合、ＵＥがＲＲＣＣｏｎｎｅｃｔｉｏｎＲｅｓｕｍｅＲｅｑｕｅｓｔメッセージを伝送すると、ＲＡＮは、ＲＲＣＣｏｎｎｅｃｔｉｏｎＳｅｔｕｐに応答することができ、これは、ＵＥをトリガして、ＮＡＳレベルプロシージャを開始して、ＣＮに、ＵＥコンテキストをＲＡＮ内に再構築させる。ＲＡＮは、ＵＥがＲＡＮ通知エリア更新を実行したいこと、および利用可能なＵＬまたはＤＬデータが存在しない場合があることに気付き得るので、図３で分かるようにコンテキストが再構築された時点で、迅速にＵＥをＲＲＣ＿ＩＮＡＣＴＩＶＥに再中断することができる。
【０１１９】
ＲＡＮは、ＲＡＮ通知エリア更新の後にＵＥがＲＲＣ＿ＩＮＡＣＴＩＶＥに再中断され得ないと判断した場合、ＲＲＣＣｏｎｎｅｃｔｉｏｎＲｅｊｅｃｔに応答することができ、これは、ＵＥをＲＲＣ＿ＩＤＬＥに遷移させることができる。ＲＡＮコンテキストの削除をトリガするために、追加のシグナリングがネットワーク側に必要であり得る。
【０１２０】
ＬＴＥにおいて、ＲＲＣ＿ＩＤＬＥにあるＵＥは、ＣＮがトラッキングエリアレベル上のＵＥの場所を確認するために、およびＵＥがまだネットワークにアタッチされているかどうかを確認するために、ＴＡ更新タイマ（Ｔ３４１２）が満了したときに、周期的ＴＡＵ（トラッキングエリア更新）を実行することができる。例えば、ＵＥがオフにされると、周期的ＴＡＵがないことは、ＵＥがもはや内部にアタッチされていないこと、およびネットワークコンテキストが削除されたかもしれないことをＣＮに示すことができる。ＲＲＣ＿ＣＯＮＮＥＣＴＥＤでは、ネットワークがセルレベル上のＵＥの場所を知ることができ、およびＲＡＮ層が依然として接続されていることを確実にすることがＲＡＮ層の役割であり得るので、周期的ＴＡＵを実行する必要性が存在しない場合がある。ＲＲＣ＿ＩＮＡＣＴＩＶＥの場合、周期的エリア更新を実行する動機は、ネットワークに知らせる（例えば、電源をオフにする）ことなく、ＲＲＣ＿ＩＤＬＥにある周期的ＴＡＵの場合と同じままであり得る。すなわち、ネットワークは、ＵＥがネットワークから消失しない場合があることを確認できるようにすることが必要であり得る。ＲＲＣ停止状態にあるＵＥは、周期的ＴＡＵ、ＲＡＮエリア更新、または両方を実行することができる。
【０１２１】
周期的エリア更新が、主に、ＵＥが以前と同じエリアのままであり得ることをネットワークに知らせることを意図しているので、このシグナリングは、できる限り軽量に実行することができる。周期的ＴＡＵがＲＲＣ＿ＩＮＡＣＴＩＶＥから実行される場合、ＵＥは、ＲＲＣ＿ＣＯＮＮＥＣＴＥＤに入ることができ、そして、ＵＥがＲＲＣ＿ＩＮＡＣＴＩＶＥに戻り得る前に、ＮＡＳメッセージ「ＴＡＵ要求」を伝送することができ、そして、ＲＲＣ＿ＩＮＡＣＴＩＶＥに戻り得る前に、ＮＡＳメッセージ「ＴＡＵ受諾」を待つことができる。一方で、正常な周期的ＲＡＮエリア更新は、例えばｃａｕｓｅＶａｌｕｅ「ｒａｎＮｏｔｉｆｉｃａｔｉｏｎＡｒｅａＵｐｄａｔｅＲｅｑｕｅｓｔ」を有する、ＲＲＣＣｏｎｎｅｃｔｉｏｎＲｅｓｕｍｅＲｅｑｕｅｓｔメッセージで構成することができる。周期的ＲＡＮエリア更新が、ＵＥが中断されているかもしれないものと同じｇＮＢ内で実行される場合、ＵＥコンテキストは、ｇＮＢ内ですでに利用可能であり得、ＵＥは、ＲＲＣ＿ＩＮＡＣＴＩＶＥに直接中断することができる。ｇＮＢからのＲＲＣＣｏｎｎｅｃｔｉｏｎＳｕｓｐｅｎｄメッセージは、新しいｒｅｓｕｍｅＩｄ（再開アイデンティティ）、「ｒａｎＡｒｅａＩｎｆｏｒｍａｔｉｏｎ」（例えば、セルリスト、または以前のＲＡＮエリアを使用する表示、またはＲＡＮエリアとしてＴＡリストを使用する表示）、ならびにＮｅｘｔ  Ｈｏｐ  Ｃｈａｉｎｉｎｇ  Ｃｏｕｎｔｅｒ（ＮＣＣ）を含むことができる。新しい再開ＩＤ（再開アイデンティティ）は、更新されたＵＥコンテキストを示すことができ、ＲＡＮエリア情報は、ＵＥが最新のＲＡＮエリアを維持できることを確実にすることができ、一方で、ＮＣＣは、異なるｇＮＢであっても、ＵＥがすでに３つのランダムアクセスプロシージャのメッセージにおいて可能である暗号化を用いた接続を再開することができることを確実にすることができる。
【０１２２】
ＵＥがＲＡＮエリア内の別のｇＮＢにおいて接続を再開する場合は、モビリティに基づいて、ＲＡＮエリア更新の場合に類似するプロシージャを使用して、以前のｇＮＢからＵＥコンテキストをフェッチすることができる。加えて、ＲＡＮは、周期的ＲＡＮエリア更新中に、例えば、いかなるＵＰアクティビティも伴わずに、同じエリア内で複数の周期的ＲＡＮエリア更新を実行したかもしれない場合に、ＵＥをＲＲＣ＿ＩＤＬＥに解放するように決定することができる。ＵＥが以前のｇＮＢの接続を再開する場合、ＲＡＮは、図５で分かるようにＲＲＣＣｏｎｎｅｃｔｉｏｎＲｅｌｅａｓｅを用いてＲＲＣＣｏｎｎｅｃｔｉｏｎＲｅｓｕｍｅＲｅｑｕｅｓｔに応答することができる。ＲＡＮがＵＥコンテキストを解放すると、別のｇＮＢに格納されたＣＮコンテキストおよび／またはＵＥコンテキストを解放することができるようにＣＮに知らせることが必要であり得る。
【０１２３】
周期的ＴＡ更新タイマ（Ｔ３４１２）は、ＣＮによって設定することができ、また、ＬＴＥにおいて５４分のデフォルト値を有することができる。しかしながら、いくつかの場合において、ＲＡＮは、周期的ＴＡＵとは異なる周期的場所更新の周期性を望む場合がある。したがって、ＲＡＮは、ＲＡＮエリア更新のための独立タイマを構成することが可能であり得る。周期的ＲＡＮエリア更新に障害が生じた場合、例えば、ＵＥコンテキストを検索できなかった場合、ＲＡＮは、図６で分かるように、ＲＲＣＣｏｎｎｅｃｔｉｏｎＳｅｔｕｐに応答して、ＣＮも更新することができるように、ＲＲＣ＿ＣＯＮＮＥＣＴＥＤにＵＥを遷移させるように決定することができる。ＣＮを更新することは、ＣＮが、ＵＥがＲＲＣ＿ＩＤＬＥにあり得、かつ周期的ＴＡＵタイマを開始したかもしれないとみなす場合に重要であり得る。
【０１２４】
ＲＡＮエリア更新は、ＴＡＵよりも軽量であり得るので、ＵＥは、ＲＲＣ＿ＩＮＡＣＴＩＶＥにおいて周期的ＲＡＮエリア更新のみを実行することができる。
【０１２５】
停止状態データフォワーディングの例
【０１２６】
既存のＲＡＮページングプロシージャにおいて、基地局は、バックホールシグナリングを交換して、ダウンリンクパケットをＲＲＣ停止状態にある無線デバイスに伝送する。アンカー基地局は、そのセルを介して、および／または無線デバイスと関連付けられたＲＡＮ通知エリアのその近隣の基地局に、ページングメッセージを伝送することができる。ＲＡＮページングプロシージャに障害が生じたときの既存のバックホールシグナリングの実施は、無線デバイスへの非効率的なパケットのフォワーディングによる、パケット損失率の増加および／またはコールドロップ率の増加をもたらす場合がある。ＲＡＮページングプロシージャの障害は、ネットワークノード（例えば、基地局、コアネットワークエンティティ、無線デバイス）の間のコミュニケーションをさらに強化するための必要性を導入する場合がある。一例において、ダウンリンクユーザプレーンまたは制御プレーンパケット（例えば、データパケット、ＮＡＳ／ＲＲＣシグナリングパケット）を受信する際の障害率は、ＲＲＣ停止状態の無線デバイスの場合に増加する場合がある。パケット損失率の増加は、ネットワークシステムの信頼性を低下させる場合がある。ＲＲＣ停止状態の無線デバイスのためのバックホールシグナリングメカニズムを向上させる必要性が存在する。例示的な実施形態は、ネットワークノードの間の情報交換を強化して、無線デバイスがＲＲＣ停止状態またはＲＲＣアイドル状態であるときのネットワーク通信の信頼性を向上させる。一例は、ＲＡＮページングプロシージャに障害が生じたときのシグナリングプロシージャを強化することができる。既存のネットワークシグナリングにおいて、パケット伝送のために開始されたＲＡＮページングプロシージャに障害が生じたときに、アンカー基地局は、コアネットワークエンティティから受信されたパケットを破棄することができる。
【０１２７】
図１４および図１５に示される例示的な実施形態において、ユーザプレーンコアエンティティ（例えば、ＵＰＦ）から、ＲＲＣ停止状態にある無線デバイス（例えば、ＵＥ）のパケット受信したときに、第１の基地局（例えば、ｇＮＢ）は、１つ以上の第１のページングメッセージを１つ以上の第２の基地局に伝送することによって、ＲＡＮページングプロシージャを開始することができる。第１の基地局がＲＡＮページングプロシージャにおいて障害を生じた場合、第１の基地局は、ページング障害表示を制御プレーンコアネットワークエンティティ（例えば、ＡＭＦ）に伝送することができる。コアネットワークエンティティは、無線デバイスのコアネットワークページング（例えば、トラッキングエリアベースのページングプロシージャ）を開始することができる。第３の基地局は、無線デバイスから、コアネットワークページングプロシージャの応答を受信することができ、第３の基地局は、例えばコアネットワークエンティティを介して、第３の基地局のトンネルエンドポイント識別子（例えば、ＩＰアドレス）を第１の基地局に送信することができる。第１の基地局は、トンネルエンドポイント識別子に基づいて、ユーザプレーンコアネットワークエンティティから受信されたパケットを第３の基地局に伝送することができる。
【０１２８】
例示的な実施形態は、ＲＡＮページングプロシージャに障害が生じたときに、ネットワークノードが、無線デバイスにパケットをフォワーディングするためのトンネル情報を共有することを可能にすることによって、システム信頼性を高めることができる。例示的な実施形態は、ネットワークノードが、ＲＡＮページング障害の場合におけるＲＲＣ停止および／またはアイドル状態にある無線デバイスのパケット損失率またはコールドロップ率を低減させることを可能にすることができる。
【０１２９】
一例において、第１の基地局は、第１のコアネットワークエンティティから、無線リソース制御（ＲＲＣ）停止状態にある無線デバイスの１つ以上のパケットを受信することができる。第１の基地局は、無線デバイスのアンカー基地局および／またはＲＲＣ停止状態への無線デバイスの状態遷移を開始した基地局であり得る。第１の基地局は、無線デバイスのＵＥコンテキストを保持することができる。ＵＥコンテキストは、ＰＤＵセッション構成、セキュリティ構成、無線ベアラ構成、論理チャネル構成、ＲＲＣ停止状態と関連付けられた再開識別子、ＲＡＮ通知エリア情報（例えば、ＲＡＮエリア識別子、セル識別子、無線デバイスのＲＡＮ通知エリアの基地局識別子）、のうちの少なくとも１つを含むことができる。第１のコアネットワークエンティティは、第１の基地局が基地局−コアネットワーク制御構造（例えば、選択ＩＰトラフィックオフロード、ＳＩＰＴＯ）を用いるときに、ユーザプレーンコアネットワークエンティティ（例えば、ＵＰＦ）、制御プレーンコアネットワークエンティティ（例えば、ＡＭＦ）、および／またはアプリケーションサーバを含むことができる。１つ以上のパケットが、ＲＲＣ停止状態の無線デバイスのためのダウンリンクデータパケットを含むことができる。一例において、ダウンリンクデータパケットは、特定のサービス、例えば、車両通信ダウンリンクパケット伝送、超高信頼低遅延（ＵＲＬＬＣ）サービス、マシンタイプ通信（ＭＴＣ）サービス、および／または同様のものと関連付けることができる。１つ以上のパケットは、ＡＭＦによって伝送される、制御シグナリングパケット、例えば１つ以上のＮＡＳ層メッセージを含むことができる。
【０１３０】
一例において、第１の基地局は、少なくとも１つのＲＡＮページングメッセージを少なくとも１つの第２の基地局に送信することを含むＲＡＮページングプロシージャを開始することができる。少なくとも１つのＲＡＮページングメッセージは、無線デバイスの第１の識別子を含むことができる。ＲＡＮページングプロシージャは、第１のコアネットワークエンティティから受信された１つ以上のパケットをフォワーディングするためのＲＲＣ停止状態にある無線デバイスをページングするために開始することができる。少なくとも１つのページングメッセージは、無線デバイスのＵＥ識別子、無線デバイスのためのＲＡＮページングプロシージャと関連付けられたＵＥページング識別子、無線ページング表示を無線デバイスに伝送するためのページングＤＲＸ情報（例えば、少なくとも１つの第２の基地局は、無線デバイスがいつ無線シグナリングをモニタするのかを示すページングＤＲＸ情報に基づいて、無線インターフェースを介して、ページングメッセージを伝送することができる）、ＲＡＮページングエリア（例えば、ＲＡＮ通知エリア、ＲＡＮエリア識別子、ＲＡＮページングプロシージャと関連付けられたセル識別子）のＲＡＮページングエリア情報、ＲＡＮページング優先度、および／または同様のもの、のうちの少なくとも１つを含むことができる。
【０１３１】
一例において、少なくとも１つの第２の基地局は、ＲＡＮページングエリア（例えば、ＲＡＮ通知エリア、ＲＡＮエリア（複数可）、セル（複数可））と関連付けられた少なくとも１つのセルの役割を果たすことができる。一例において、少なくとも１つの第２の基地局が少なくとも１つのＲＡＮページングメッセージを受信すると、少なくとも１つの第２の基地局は、無線デバイスのためのＲＡＮページングエリア（例えば、ＲＡＮ通知エリア、ＲＡＮエリア（複数可）、セル（複数可））と関連付けられた１つ以上のセルを介して、１つ以上のページング表示を伝送／ブロードキャスト／マルチキャストすることができる。１つ以上のページング表示は、１つ以上のセルの１つ以上のビームを介して伝送することができる。一例において、第１の基地局は、無線デバイスのＲＡＮページングエリアと関連付けられたその１つ以上のサービングセルを介して、少なくとも１つのＲＡＮページングメッセージ（例えば、ＲＲＣページング表示）を伝送することができる。
【０１３２】
一例において、第１の基地局は、少なくとも１つのＲＡＮページングメッセージの応答を受信しないことに応答して、ＲＡＮページングプロシージャの障害を判定することができる。一例において、第１の基地局は、少なくとも１つのＲＡＮページングメッセージに対する応答がないことに基づいて、特定の期間内に障害を判定することができる。第１の基地局が、少なくとも１つのＲＡＮページングメッセージに応答して、少なくとも１つの第２の基地局の少なくとも１つから無線デバイスのＵＥコンテキスト検索要求を示すメッセージを受信したときに、第１の基地局は、ＲＡＮページングプロシージャが正常である（例えば、障害が生じていない）とみなすことができる。第１の基地局が、少なくとも１つのＲＡＮページングメッセージに応答して、無線デバイスからランダムアクセスプリアンブルおよび／またはＲＲＣ接続再開要求メッセージを受信したときに、第１の基地局は、ＲＡＮページングプロシージャが正常である（例えば、障害が生じていない）とみなすことができる。
【０１３３】
一例において、第１の基地局は、ＲＡＮページングプロシージャの障害に応答して、第１のメッセージを第２のコアネットワークエンティティに送信することができる。一例において、第２のコアネットワークエンティティは、制御プレーンコアネットワークエンティティ（例えば、ＡＭＦ）であり得る。第１のメッセージは、例えば、ＵＥコンテキスト解放要求メッセージおよび／またはＲＡＮページング障害表示メッセージを含むことができる。一例において、第１のメッセージは、無線デバイスのＲＡＮページング障害を示すことができる。一例において、第１のメッセージは、ＵＥコンテキスト解放要求の理由が無線デバイスのＲＡＮページングプロシージャの障害を含むことを示す原因情報エレメントを含む、ＵＥコンテキスト解放要求メッセージであり得る。
【０１３４】
一例において、第２のコアネットワークエンティティは、第１のメッセージに応答して、１つ以上のコアネットワークページングメッセージ（例えば、トラッキングエリアページングメッセージ）を無線デバイスのトラッキングエリアの１つ以上の基地局に伝送することができる。１つ以上の基地局は、第３の基地局を含むことができる。第３のメッセージは、トラッキングエリアの１つ以上のサービングセルを介して、ページングメッセージを伝送することができ、また、無線デバイスからページングメッセージの少なくとも１つのための応答を受信することができる。応答は、ランダムアクセスプリアンブルおよび／またはＲＲＣ接続要求／再開メッセージを含むことができる。
【０１３５】
一例において、１つ以上のコアネットワークページングメッセージおよび／またはページングメッセージは、無線デバイスがＲＲＣ停止状態であること、または無線デバイスのＲＡＮページングプロシージャに障害が生じたことを示す、表示パラメータを含むことができる。一例において、１つ以上のコアネットワークページングメッセージおよび／またはページングメッセージは、アンカー基地局（例えば、第１の基地局）が無線デバイスのＵＥコンテキストを有することを示す、表示パラメータを含むことができる。一例において、表示パラメータは、ＲＲＣ停止状態のための無線デバイスの再開識別子（ＩＤ）を含むことができる。無線デバイスから応答を受信することに応答して、第３の基地局は、第２のコアネットワークエンティティにデータフォワーディングするためのトンネルのトンネルエンドポイント識別子（例えば、トンネル識別子）を伝送することができる。データフォワーディングは、第１の基地局から第３の基地局に１つ以上のパケットを伝送することを含むことができる。トンネルエンドポイント識別子は、第３の基地局のＩＰアドレスを含むことができる。トンネルは、第１の基地局と第３の基地局との間の論理ＩＰトンネリングを含むことができる。トンネルエンドポイント識別子の伝送は、アンカー基地局（例えば、第１の基地局）が無線デバイスのＵＥコンテキストを有することを示す、（１つ以上のコアネットワークページングメッセージの）表示パラメータに基づくことができる。
【０１３６】
一例において、第１の基地局は、第２のコアネットワークエンティティから、かつ第１のメッセージに応答して、１つ以上のパケットをフォワーディングするための第３の基地局のトンネルエンドポイント識別子を含む第２のメッセージを受信することができる。一例において、第２のメッセージは、ＵＥコンテキスト解放要求完了メッセージ（例えば、ＵＥコンテキスト解放要求メッセージのための応答メッセージ）および／またはパス切り替えメッセージを含むことができる。
【０１３７】
一例において、第１の基地局は、トンネルエンドポイント識別子に基づいて、１つ以上のパケットを第３の基地局に送信することができる。第３の基地局は、無線インターフェースを介して、１つ以上のパケットを無線デバイスにフォワーディングすることができる。一例において、第１の基地局から第３の基地局への１つ以上のパケットの送信は、ＧＴＰ−Ｕプロトコルを用いることができる。一例において、第１の基地局は、第３の基地局および／または無線デバイスでのパケットリオーダリングのためのパケットシーケンス番号（例えば、ＰＤＣＰパケットシーケンス番号）を送信することができる。
【０１３８】
例示的な実施形態において、第１の基地局は、１つ以上のパケットを伝送するためのＲＡＮページングプロシージャに障害が生じたときに、１つ以上のパケットを無線デバイスの新しいサービング基地局（例えば、第３の基地局）にフォワーディングすることができる。例示的な実施形態は、アンカー基地局によって受信されたダウンリンクパケットを新しいサービング基地局にフォワーディングすることを可能にすることによって、ＲＲＣ停止状態の無線デバイスおよび／またはＲＲＣアイドル状態の無線デバイスのパケット（例えば、データパケットおよび／または制御プレーンパケット、ＮＡＳメッセージ）の伝送信頼性を強化することができる。
【０１３９】
例示的な実施形態では、ＲＡＮページングプロセスに障害が生じたときに、ダウンリンクパケットをＲＲＣ停止状態にある無線デバイスに伝送するためのプロセスを実施する方法に対する必要性が存在する。例示的な実施形態は、基地局がダウンリンクパケットのためのＲＮＡページングプロシージャの完了に障害が生じたときに、無線デバイスからコアネットワークページングプロシージャのページングメッセージに対する応答を受信する新しい基地局に対して、基地局がどのようにコアネットワークページングプロシージャを開始し、ダウンリンクパケットをフォワーディングするのかを説明する。
【０１４０】
一例では、ＲＲＣ停止状態にある無線デバイスに１つ以上のダウンリンクパケットを伝送するための２つの潜在的オプション、すなわち、無線デバイスと共にＲＮＡにページングすること（オプション１）および／または無線デバイスが位置付けられた後に伝送すること（オプション２）が存在し得る。オプション１は、ＲＮＡ内のすべてのセルにおいてデータが伝送されるので、より多くの無線リソースを費やして、より少ない遅延による利益を享受する。パワー消費の観点から、同じページング機会においてＲＲＣ停止状態にある他の無線デバイスは、より多くのデータを復号化して、それがターゲットＵＥであるかどうかを確認することが必要であり得る。オプション２に関して、ＣＮへの接続を有するアンカーｇＮＢ（基地局）は、ＲＡＮベースのエリア全体においてページングを開始しなければならない。１つ以上のダウンリンクパケットをＵＥの応答の後にのみ伝送して、エアリソースを節約することができる。
【０１４１】
レガシーＬＴＥにおいて、ＵＥは、図７に示されるように、ＲＲＣメッセージ（ＲＲＣ要求／ＲＲＣ再開）を搬送しているランダムアクセスプロシージャを介して、ページング応答を識別情報に送信し、プロトコル設定／再開を開始することができる。
【０１４２】
レガシーシステムでは、ＵＥアイデンティティを識別するために４ステップのＲＡが必要であり得、ＲＲＣメッセージも同様に含まれ得る。少量のデータ伝送の場合、レガシープロシージャは、シグナリングオーバーヘッドおよび遅延に関して効率的でない場合がある。この場合は、次の３つの主な理由で、ＲＲＣメッセージが使用され得る。１）ＵＥの解決。２）関連パラメータ／プロトコルの設定。３）データをより良好にスケジュールするための接続への状態遷移。停止状態にあるＵＥがＡＳコンテキストをすでに格納しており、かつＤＬデータパケットのサイズは制限されているので、ＵＥの解決は、他のスキームによって処理することができるが、ＲＲＣメッセージの関与を伴わずに、直接的な少量のデータ伝送が停止状態に対して可能であり得る。例えば、図８に示されるように、このようなプロシージャは、シグナリングオーバーヘッドおよび遅延を大幅に低減させることができる。
【０１４３】
一例において、ページングは、ＵＥ動作に違いを生じさせ得る状態遷移以外の、停止における直接的な少量のデータ伝送を示すメッセージを搬送することができる。ページングを受信するＵＥは、事前構成された競合ベースのリソースに関するＵＥ  ＩＤ（例えば、グラントフリー／プリアンブル＋ＵＥ  ＩＤ、ここで使用されるＵＥ  ＩＤは、少なくともＲＡＮ通知エリアにおいて有効であり得る）を送信することができる。ｇＮＢの受信は、ＵＥ  ＩＤを受信した時点でＵＥの場所を確認することができ、次いで、必要に応じて、ＵＥコンテキストをフェッチすることができ、ＡＣＫのためのＵＬグラントと共に、事前構成された受信ウインドウ上でＤＬデータ伝送をスケジュールすることができる。遅延は、Ｘｎインターフェース上でページングメッセージと共にＵＥコンテキストをフォワーディングすることによって、さらに低減させることができる。肯定応答は、受信したＵＬグラントを使用して送信することができる。
【０１４４】
ＵＥ位置がセルレベルで知られている場合、ページングを伴わない直接的なＤＬ伝送を考慮することができる。ＵＥがページングをモニタしているので、１つの可能性は、ＵＥページング機会中に、一意のＵＥ  ＩＤを用いた直接的なデータ伝送をスケジュールすることであり得る。ＵＥ  ＩＤは、ＲＡＮ通知エリアにおいて有効なＳ−ＴＭＳＩ／ロングＵＥ  ＩＤ、または停止状態にあるＣ−ＲＮＴＩであり得る。ＤＬデータが共通ＲＮＴＩに基づいてスケジュールされ、ロングＵＥ  ＩＤがＭＡＣ  ＣＥにおいて示される場合、ロングＵＥ  ＩＤをさらに確認するためにデータを受信する他のＩＮＡＣＴＶＥ  ＵＥが必要であり得、これは、より潜在的なパワー消費が必要であり得る。有効なＣ＿ＲＮＴＩが存在する場合は、ＵＭＴＳ  ＣＥＬＬ＿ＦＡＣＨと類似し得るＣ−ＲＮＴＩが好ましくなり得る。
【０１４５】
データ受信に応じて、ＵＥは、フィードバックをＲＡＮ側に送信することが必要であり得る。データ伝送は、ＵＥがその後のデータ受信のためにＰＤＣＣＨのモニタを続けるかどうかの表示を含むことができる。ＵＥがその後ＰＤＣＣＨをモニタしない場合、ネットワークは、次のページング機会まで待機して、データを送信することができる。
【０１４６】
ＵＬベースのモビリティを使用して、ネットワークは、十分な情報を有することができ、よって、１つまたは複数のセルにおいてＵＥをページングする代わりに、さらにビーム形成を使用して、ＵＥへの専用伝送が可能であり得、これは、伝送効率を大幅に高めることができる。
【０１４７】
ＤＬベースのモビリティ、すなわち、セル再選択を伴うＵＥ場合、ＵＥとネットワークとの間の最後の相互作用からの時間間隔を考慮することができる。相互作用が高頻度である場合、例えば、ＤＬ肯定応答がＵＬ伝送の直後に到着するときに、ネットワークは、ＵＥがまだ同じセル上にキャンプオンしていると想定することができる。ＤＬデータは、この伝送されるべきセルに直接フォワーディングすることができる。ＡＣＫが受信されなかった場合、ネットワークは、その近隣に情報をフォワーディングすること、またはページングを開始することができる。
【０１４８】
一例において、無線デバイスがＲＲＣ停止状態にあるときに、コアネットワークエンティティは、無線デバイスのダウンリンクパケットを、無線デバイスの無線デバイスコンテキストを有するアンカー基地局に伝送することができ、アンカー基地局は、ＲＮＡページングプロシージャを開始して、ダウンリンクパケットをフォワーディングすることができる。一例において、ダウンリンクパケットは、無線デバイスのＲＲＣ接続状態を必要とする場合があり、および／またはＲＲＣ停止状態にとどまっている無線デバイスに伝送される場合がある。ＲＮＡページングプロシージャは、第１のＲＮＡページングメッセージを、アンカー基地局によって無線デバイスと関連付けられたＲＮＡに属する複数の基地局に伝送すること、および／または第２のＲＮＡページングメッセージを、第１のＲＮＡページングメッセージを受信する基地局によって、無線インターフェースを介して、ブロードキャストすることを含むことができる。一例において、無線デバイスが第２のＲＮＡページングメッセージを受信した場合、無線デバイスは、第１のＲＮＡページング応答を、第２のＲＮＡページングメッセージを伝送した基地局に伝送することができる。第１のＲＮＡページング応答を受信した後に、基地局は、第２のＲＮＡページング応答をアンカー基地局に伝送することができる。
【０１４９】
一例において、第１のＲＮＡページングメッセージは、ＲＮＡ識別子、ＡＳコンテキスト識別子、無線デバイス識別子、および／またはＲＮＡページングの理由、のうちの少なくとも１つを含むことができる。第１のＲＮＡメッセージを受信する基地局は、少なくともＲＮＡ識別子に基づいて、１つ以上のビームカバレッジエリアおよび／または１つ以上のセルカバレッジエリア内で第２のＲＮＡページングメッセージをブロードキャスト／マルチキャストすることができる。一例において、第２のＲＮＡページングメッセージは、ＡＳコンテキスト識別子、無線デバイス識別子、および／またはＲＮＡページングの理由、のうちの少なくとも１つを含むことができる。ＲＮＡページングのターゲットである無線デバイスは、ＡＳコンテキスト識別子および／または無線デバイス識別子のうちの少なくとも１つに基づいて、第２のＲＮＡページングメッセージを認識することができ、そして、少なくともＲＮＡページングの理由に基づいて、ランダムアクセスプロシージャを実行して、第１のＲＮＡページング応答を伝送することができ、ランダムアクセスプロシージャは、２ステージのランダムアクセスおよび／または４ステージのランダムアクセスのうちの１つであり得る。一例において、第１のＲＮＡページング応答は、ＲＲＣ接続要求を含むことができる。一例において、第２のＲＮＡページング応答は、無線デバイスコンテキストフェッチ要求を含むことができる。
【０１５０】
一例において、ダウンリンクパケットのためのＲＮＡページングプロシージャを開始した後に、アンカー基地局が第２のＲＮＡページング応答を受信しない場合、アンカー基地局は、コアネットワークページング要求メッセージをコアネットワークエンティティに伝送することができる。コアネットワークページング要求メッセージは、コアネットワークエンティティによってコアネットワークページングプロシージャを開始するように構成することができる。コアネットワークページングプロシージャは、第１のコアネットワークページングメッセージを、コアネットワークエンティティによって無線デバイスと関連付けられたトラッキングエリアに属する複数の基地局に伝送すること、および／または第１のコアネットワークページングメッセージを受信する基地局による無線インターフェースを介して、第２のコアネットワークページングメッセージをブロードキャスト／マルチキャストすることを含むことができる。一例において、無線デバイスが第２のコアネットワークページングメッセージを受信する場合、無線デバイスは、第１のコアネットワークページング応答を、第１のコアネットワークページングメッセージを伝送した基地局に伝送することができる。一例において、第１のコアネットワークページング応答は、２ステージランダムアクセスおよび／または４ステージランダムアクセスプロシージャのメッセージのうちの１つであり得る。一例において、第１のコアネットワークページング応答は、ＲＲＣ接続要求を含むことができる。
【０１５１】
一例において、第１のコアネットワークページングメッセージは、アンカー基地局の基地局識別子を含むことができる。第１のコアネットワークページング応答を受信する第１の基地局は、少なくともアンカー基地局の基地局識別子に基づいて、アンカー基地局と第１の基地局との間に直接インターフェース（例えば、Ｘｎインターフェース）が存在するかどうかを判定することができる。
【０１５２】
一例において、第１の基地局は、第１のコアネットワークページング応答を受信することに応答して、第１の基地局のトンネルエンドポイント識別子をコアネットワークエンティティに伝送することができ、コアネットワークエンティティは、第１の基地局のトンネルエンドポイント識別子をアンカー基地局にフォワーディングすることができる。一例において、アンカー基地局は、少なくとも第１の基地局のトンネルエンドポイント識別子に基づいて、無線デバイスの１つ以上のダウンリンクパケットを第１の基地局にフォワーディングすることができる。一例において、第１の基地局は、無線シグナリングを介して、１つ以上のダウンリンクパケットを無線デバイスにフォワーディングすることができる。一例において、無線シグナリングは、ランダムアクセスプロシージャの１つ以上のメッセージとすることができ、および／または第１の基地局とＲＲＣ接続状態にある無線デバイスとの間に確立された無線ベアラを通したパケット通信であり得る。
【０１５３】
一例において、第１の基地局は、第１の基地局のトンネルエンドポイント識別子をアンカー基地局に伝送することができ、アンカー基地局は、少なくともトンネルエンドポイント識別子に基づいて、無線デバイスの１つ以上のダウンリンクパケットを第１の基地局にフォワーディングすることができる。一例において、第１の基地局は、無線シグナリングを介して、１つ以上のダウンリンクパケットを無線デバイスにフォワーディングすることができる。一例において、無線シグナリングは、ランダムアクセスプロシージャの１つ以上のメッセージとすることができ、および／または第１の基地局とＲＲＣ接続状態にある無線デバイスとの間に確立された無線ベアラを通したパケット通信であり得る。
【０１５４】
一例において、第１の基地局は、第１の基地局の第１のトンネルエンドポイント識別子をコアネットワークエンティティに伝送することができ、コアネットワークエンティティは、ユーザプレーンコアネットワークエンティティの第２のトンネルエンドポイント識別子をアンカー基地局に伝送することができる。一例において、アンカー基地局は、少なくとも第２のトンネルエンドポイント識別子に基づいて、無線デバイスの１つ以上のダウンリンクパケットをユーザプレーンコアネットワークエンティティにフォワーディングすることができ、ユーザプレーンコアネットワークエンティティは、少なくともコアネットワークエンティティから受信された第１のトンネルエンドポイント識別子に基づいて、１つ以上のダウンリンクパケットを第１の基地局にフォワーディングすることができる。一例において、第１の基地局は、無線シグナリングを介して、１つ以上のダウンリンクパケットを無線デバイスにフォワーディングすることができる。一例において、無線シグナリングは、ランダムアクセスプロシージャの１つ以上のメッセージとすることができ、および／または第１の基地局とＲＲＣ接続状態にある無線デバイスとの間に確立された無線ベアラを通したパケット通信であり得る。
【０１５５】
一例において、第１の基地局のトンネルエンドポイント識別子は、第１の基地局のＩＰアドレスとすることができ、ユーザプレーンコアネットワークエンティティのトンネルエンドポイント識別子は、ユーザプレーンコアネットワークエンティティのＩＰアドレスであり得る。
【０１５６】
一例において、第１の基地局は、第１のコアネットワークページング応答を受信することに応答して、Ｘｎインターフェースを介して、無線デバイスコンテキスト要求メッセージをアンカー基地局に伝送することができ、アンカー基地局は、無線デバイスコンテキストを第１の基地局に伝送することができる。一例において、第１の基地局は、第１のコアネットワークページング応答を受信することに応答して、コアネットワークエンティティを通して間接的に無線デバイスコンテキスト要求メッセージをアンカー基地局に伝送することができ、アンカー基地局は、コアネットワークエンティティを通して、無線デバイスコンテキストを第１の基地局に伝送することができる。
【０１５７】
一例において、基地局は、第１のネットワークエンティティから、ＲＲＣ停止状態にある無線デバイスの１つ以上のパケットを受信することができる。第１の基地局は、１つ以上の第２の基地局に第１のメッセージを伝送することを含むＲＮＡページングプロシージャを実行することができる。第１のメッセージは、無線デバイスの識別子を含むことができる。第１の基地局は、ＲＮＡプロシージャが正常でないと判定することができる。第１の基地局は、第２のメッセージを、第２のネットワークエンティティに、かつＲＮＡページングプロシージャが正常でないとの判定に応答して、伝送することができ、第２のメッセージは、コアネットワークページングプロシージャを開始する。第１の基地局は、コアネットワークページングプロシージャが、無線デバイスが第２の基地局のカバレッジエリア内にあり得ると判定することに応答して、データフォワーディングプロシージャを示す第３のメッセージを受信することができる。第１の基地局は、１つ以上のパケットを第２の基地局にフォワーディングすることができる。一例において、第１のネットワークエンティティは、第２のネットワークエンティティであり得る。
【０１５８】
一例において、第１の基地局による、第２の基地局へのフォワーディングは、第１の基地局と第２の基地局との間の直接トンネルを用いることができ、および／または１つ以上のパケットをコアネットワークノードに伝送することができる。第１の基地局は、１つ以上のダウンリンクデータパケットのうちの１つのＰＤＣＰシーケンス番号を伝送することができる。第２のメッセージは、ＰＤＣＰシーケンス番号を含むことができる。
【０１５９】
無線アクセスネットワークエリア情報の例
【０１６０】
例示的な実施形態において、基地局の間でＲＮＡ情報を交換することに関する問題は、基地局がＲＲＣ停止状態にある無線デバイスのＲＮＡページングプロシージャを開始するときに、基地局がどのようにその近隣のセルまたはその近隣の基地局のＲＮＡ情報を獲得し、情報を用いるか、である。
【０１６１】
既存のＲＡＮページングプロシージャにおいて、基地局は、ＲＲＣ停止状態のための１つ以上のＲＡＮエリア（例えば、ＲＡＮ通知エリア、ＲＡＮページングエリア、ＲＡＮエリアと関連付けられた１つ以上のセル）を用いて無線デバイスを構成することができる。基地局は、１つ以上の基地局にＲＡＮページングメッセージを伝送することによって、基地局がパケット、制御シグナリング、および／または無線デバイスの状態遷移の原因を有するときに、ＲＡＮページングプロシージャを開始することができる。ＲＲＣ停止状態にある無線デバイスは、１つ以上の基地局から、および／または１つ以上のＲＡＮエリアに基づく基地局から、ページング表示を受信することができる。ＲＲＣ停止状態の無線デバイスをページングするときの既存のシグナリングの実施は、ＲＲＣ停止状態にある無線デバイスの非効率的なページングプロシージャによる、ネットワークリソースの利用の増加、ページング遅延の増加、パケット損失率の増加、および／またはコールドロップ率の増加をもたらす場合がある。既存のＲＡＮエリア協調は、ネットワークノード（例えば、基地局、コアネットワークエンティティ、無線デバイス）の間の通信のさらなる強化が必要であり得る。一例において、（例えば、データパケット、ＮＡＳ／ＲＲＣシグナリングパケットのための）ＲＡＮページングメッセージを伝送する際の障害率は、ＲＲＣ停止状態の無線デバイスに対して増加する場合がある。ＲＡＮページング障害率の増加は、ネットワークシステムの信頼性を低下させる場合がある。ＲＲＣ停止状態無線デバイスのためのバックホールシグナリングを向上させる必要性が存在する。
【０１６２】
例示的な実施形態は、ネットワークノードの間の情報交換メカニズムを強化して、無線デバイスがＲＲＣ停止状態であるときのネットワーク通信の信頼性および／または効率を向上させる。例示的な実施形態は、基地局の間でＲＡＮエリア情報を交換するためのシグナリングプロシージャを強化することができる。図１６および図１７に示される例示的な実施形態において、基地局は、そのＲＡＮエリア情報（例えば、ＲＡＮエリア識別子、ＲＡＮ通知識別子、ＲＡＮエリアの１つ以上のセル情報）を伝送することができる。近隣の基地局（または近隣のセル）のＲＡＮエリア情報に基づいて、基地局は、ＲＡＮページングメッセージをＲＲＣ停止状態の無線デバイスのＲＡＮエリアと関連付けられた近隣の基地局に送信することによって、ＲＲＣ停止状態の無線デバイスのＲＡＮページングの信頼性を高めることができる。例示的な実施形態は、ＲＡＮページングターゲット無線デバイスのＲＡＮエリアと関連付けられた対応する基地局へのＲＡＮページングメッセージの伝送を制限することによって、バックホールシグナリング効率を高めることができる。
【０１６３】
一例において、基地局は、Ｘｎ設定プロシージャを実行して、その近隣の基地局とのＸｎインターフェースを設定することができる。Ｘｎ設定プロシージャは、第１の基地局によって受信される第２の基地局からの第１のメッセージ、および／または第１のメッセージに応答して、第１の基地局によって第２の基地局に伝送される第２のメッセージを含むことができる。一例において、第１のメッセージは、Ｘｎ設定要求メッセージであり得、第２のメッセージは、Ｘｎ設定応答メッセージであり得る。第１のメッセージは、第２の基地局のｇＮＢ識別子、第２の基地局によって提供されるセルのセル識別子、および／またはＲＮＡ識別子、のうちの少なくとも１つを含むことができ、ＲＮＡ識別子は、第２の基地局および／または第２の基地局のセルと関連付けることができる。第２のメッセージは、第１の基地局のｇＮＢ識別子、第１の基地局によって提供されるセルのセル識別子、ならびに／または第１の基地局および／もしくは第１の基地局のセルと関連付けられたＲＮＡ識別子、のうちの少なくとも１つを含むことができる。
【０１６４】
一例において、基地局は、ｇＮＢ構成更新プロシージャを実行して、その近隣の基地局の構成情報を更新することができる。一例において、少なくとも、基地局においてセルが追加、変更、および／もしくは削除された場合、ならびに／または基地局もしくは基地局のセルのＲＮＡ情報が変更された場合、基地局は、ｇＮＢ構成更新プロシージャを開始することができる。ｇＮＢ構成更新プロシージャは、第１の基地局によって受信される第２の基地局からの第１のメッセージ、および／または第１のメッセージに応答して、第１の基地局によって第２の基地局に伝送される第２のメッセージを含むことができる。一例において、第１のメッセージは、ｇＮＢ構成更新メッセージであり得、第２のメッセージはｇＮＢ構成更新肯定応答メッセージであり得る。第１のメッセージは、第２の基地局のｇＮＢ識別子、第２の基地局によって提供されるセルのセル識別子、および／またはＲＮＡ識別子、のうちの少なくとも１つを含むことができ、ＲＮＡ識別子は、第２の基地局および／または第２の基地局のセルと関連付けることができる。第２のメッセージは、第１のメッセージの肯定応答を含むことができる。
【０１６５】
一例において、ＲＮＡ識別子は、ＲＡＮ通知エリア情報、ＲＡＮエリア情報（例えば、ＲＡＮエリア識別子）、ＲＡＮ通知エリア（例えば、ＲＡＮエリア、ＲＡＮページングエリア）と関連付けられた１つ以上のセルの１つ以上のセル識別子を含むことができる。
【０１６６】
例示的な実施形態において、ＲＮＡ識別子は、グローバルに、および／またはＰＬＭＮ内で識別可能であり得る。一例において、Ｘｎ設定プロシージャおよび／またはｇＮＢ構成更新プロシージャを通して交換されるＲＮＡ識別子は、基地局によって、ＲＮＡページングプロシージャのためのページングエリアを決定することができ、このページングエリアを使用して、次のイベント、すなわち、基地局が無線デバイスの１つ以上のパケットを受信したこと、無線デバイスが、そのＲＲＣ状態をＲＲＣ停止状態からＲＲＣアイドル状態に遷移させる必要があること、および／または無線デバイスが、そのＲＲＣ状態をＲＲＣ停止状態からＲＲＣ接続状態に遷移させる必要があること、のうちの少なくとも１つが起こったことを、ＲＲＣ停止状態の無線デバイスに知らせることができる。一例において、１つ以上のパケットは、ユーザプレーンコアネットワークエンティティ（例えば、ＵＰＦ）からのデータパケットを含むことができ、および／または制御プレーンコアネットワークエンティティ（例えば、ＡＭＦ）からのシグナリング（例えば、ＮＡＳメッセージ）を制御することができる。
【０１６７】
一例において、基地局は、ＲＡＮ通知エリア情報（例えば、ＲＡＮエリアのＲＡＮエリア識別子、ＲＡＮページングエリアのＲＡＮページングエリア識別子、ならびに／またはＲＡＮ通知エリアの、ＲＡＮページングエリアの、および／もしくはＲＡＮエリアの、１つ以上のセルの１つ以上のセル識別子）を無線デバイスに伝送することができる。基地局は、ＲＲＣメッセージ（例えば、ＲＲＣ接続解放メッセージ、ＲＲＣ接続中断メッセージ）を伝送することによって、ＲＲＣ接続状態からＲＲＣ停止状態への状態遷移を無線デバイスに示すことができる。一例において、ＲＲＣメッセージは、無線デバイスのＲＡＮ通知エリア情報を含むことができる。無線デバイスが、ＲＲＣ停止状態にとどまっているときに、無線デバイスは、ＲＡＮ通知エリアの１つ以上のセル内を移動することができる。無線デバイスがＲＲＣ停止状態にとどまっているときに、無線デバイスは、ＲＡＮ通知エリアの外へ移動することができ、また、無線デバイスがＲＡＮ通知エリアから異なるＲＡＮ通知エリアへ移動したことを基地局に知らせる、ＲＡＮ通知エリア更新プロシージャを開始することができる。ＲＡＮ通知エリアは、Ｘｎ設定要求／応答メッセージおよび／またはｇＮＢ構成更新メッセージを介して、近隣の基地局のＲＡＮエリア、近隣の基地局から受信されるＲＡＮエリアの情報を含むことができる。
【０１６８】
一例において、ＲＮＡページングプロシージャは、第１の基地局によって、第１のＲＮＡページングメッセージを無線デバイスと関連付けられたＲＮＡに属する複数の第２の基地局に伝送すること、および／または無線インターフェースを介して、第１のＲＮＡページングメッセージを受信する複数の第２の基地局によって、第２のＲＮＡページングメッセージをブロードキャスト／マルチキャストすること、を含むことができ、第１の基地局は、無線デバイスのアンカー基地局であり得る。一例において、無線デバイスは、第２のＲＮＡページングメッセージを受信した場合、第１のＲＮＡページング応答を、第２のＲＮＡページングメッセージを受信した基地局に伝送することができる。第１のＲＮＡページング応答を受信した後に、基地局は、第１の基地局に対する第２のＲＮＡページング応答を、無線デバイスのアンカー基地局に伝送することができる。一例において、第２のＲＮＡページング応答は、無線デバイスコンテキスト要求を含むことができる。
【０１６９】
例示的な実施形態において、ＲＮＡページングプロシージャ中に、第１の基地局から複数の第２の基地局へ伝送される第１のＲＮＡページングメッセージは、無線デバイスの識別子、無線デバイスのＡＳコンテキスト識別子、ＲＮＡ識別子、ならびに／または無線デバイスが、無線デバイスのダウンリンクパケットの少なくとも１つ、ＲＲＣ停止状態からＲＲＣアイドル状態への必要とされるＲＲＣ状態遷移、および／もしくはＲＲＣ停止状態からＲＲＣ接続状態への必要とされるＲＲＣ状態遷移、のうちの少なくとも１つを複数の第２の基地局に通知するＲＮＡページングの理由、のうちの少なくとも１つを含むことができる。一例において、第１のＲＮＡページングメッセージは、無線デバイスのＲＮＡページングプロシージャのターゲットデバイスを、無線デバイスと関連付けられたＲＮＡに属する少なくとも１つのセルの役割を果たす１つ以上の基地局に伝送することができる。第１の基地局は、１つ以上の基地局から受信されたＲＮＡ情報に基づいて、１つ以上の基地局（例えば、ＲＡＮページングターゲット基地局）を決定することができる。一例において、ＲＮＡ情報が、無線デバイスに構成されたセルおよび／またはＲＡＮエリアを含むときに（例えば、ＲＲＣ状態をＲＲＣ停止状態に遷移させるときに）、第１の基地局は、ＲＡＮページングメッセージを、ＲＮＡ情報を伝送した基地局に伝送する。
【０１７０】
例示的な実施形態において、ＲＮＡページングプロシージャ中に、第２の基地局によってブロードキャスト／マルチキャストされた第２のＲＮＡページングメッセージは、無線デバイスのＡＳコンテキスト識別子、無線デバイスの識別子、ならびに／または無線デバイスのダウンリンクパケット、ＲＲＣ停止状態からＲＲＣアイドル状態への必要とされるＲＲＣ状態遷移、および／もしくはＲＲＣ停止状態からＲＲＣ接続状態への必要とされるＲＲＣ状態遷移、のうちの少なくとも１つのイベントを無線デバイスに通知するＲＮＡページングの理由、のうちの少なくとも１つを含むことができる。一例において、第２のＲＮＡページングメッセージは、第２の基地局のカバレッジエリア内で、ＲＮＡに属するセルのカバレッジエリア内で、および／またはＲＮＡに属するセルのビームのカバレッジエリア内でブロードキャストおよび／またはマルチキャストすることができる。
【０１７１】
例示的な実施形態において、ＲＮＡページングプロシージャの後に、アンカー基地局が、ＲＮＡページングプロシージャのターゲットデバイスである、ＲＲＣ停止状態にある無線デバイスから第１のＲＮＡページング応答を受信した基地局から、第２のＲＮＡページング応答を受信した場合、アンカー基地局は、ＲＮＡページングの理由が無線デバイスの１つ以上のパケットを伝送することである場合に、１つ以上のパケットを、第２のＲＮＡページング応答を伝送した基地局にフォワーディングすることができる。一例において、第２のＲＮＡページング応答は、無線デバイスのＵＥコンテキスト検索要求メッセージを含むことができる。一例において、第２のＲＮＡページング応答メッセージは、無線デバイスの再開識別子を含むことができ、アンカー基地局は、再開識別子に基づいて、ＵＥコンテキストを検索することができる。一例において、第１のＲＮＡページング応答は、ＲＲＣコンテキスト再開／設定要求メッセージを含むことができる。第１のＲＮＡページング応答は、ＲＲＣ停止状態のための無線デバイスの再開識別子を含むことができる。第１のＲＮＡページング応答を受信する基地局は、再開識別子に基づいて、アンカー基地局を識別することができ、そして、第２のＲＮＡページング応答メッセージを伝送することができる。
【０１７２】
一例において、第２のＲＮＡページング応答を受信するアンカー基地局は、ＲＮＡページングプロシージャの理由が無線デバイスのＲＲＣ状態遷移を開始することである場合に、無線デバイスのＵＥコンテキストを解放することができる。ＲＲＣ状態遷移がＲＲＣ接続状態に遷移している場合、アンカー基地局は、ＵＥコンテキストを解放する前に第２のＲＮＡページング応答を伝送した基地局に、無線デバイスのＵＥコンテキストの１つ以上のエレメントを伝送することができる。ＲＲＣ状態遷移がＲＲＣアイドル状態に遷移している場合、アンカー基地局は、ＵＥコンテキストの少なくとも１つのエレメントを基地局に伝送することなく、ＵＥコンテキストを解放することができる。
【０１７３】
一例において、第１の基地局は、第２の基地局から、第２の基地局と関連付けられた第１の無線アクセスネットワーク通知エリア（ＲＮＡ）識別子を含む第１のメッセージを受信することができる。第１の基地局は、第１の基地局が第１のＲＮＡ識別子とも関連付けられたときに、無線デバイスの識別子を含む第２のメッセージを第２の基地局に伝送することができる。
【０１７４】
一例において、第１の基地局は、第２の基地局から、第２の基地局と関連付けられた第１の無線アクセスネットワーク通知エリア（ＲＮＡ）識別子を含む第１のメッセージを受信することができる。第１の基地局は、無線構成パラメータを含む１つ以上の第３のメッセージを無線デバイス伝送することができ、無線構成パラメータは、ＲＮＡ識別子を含むことができ、無線デバイスは、無線リソース制御（ＲＲＣ）接続状態にあり得る。第１の基地局は、プロシージャを開始して、無線デバイスをＲＲＣ接続状態からＲＲＣ停止状態に遷移させることができる。第１の基地局は、第１の基地局が第１のＲＮＡ識別子とも関連付けられたときに、無線デバイスの識別子を含む第２のメッセージを第２の基地局に伝送することができ、無線デバイスは、無線リソース制御（ＲＲＣ）停止状態にあり、かつ第１のＲＮＡ識別子によって構成することができる。第２のメッセージは、第２の基地局によって、表示を含む第３のメッセージをブロードキャストおよび／またはマルチキャストすることを開始するように構成することができる。第２のメッセージは、第２の基地局によって、および第２の基地局のビームエリアカバレッジエリアまたはビームエリア内で、表示を含む第３のメッセージをブロードキャストまたはマルチキャストすることを開始するように構成することができる。
【０１７５】
一例において、第２のメッセージは、ページングメッセージであり得る。表示は、ページング表示であり得る。第１の基地局は、無線デバイスの識別子を含む１つ以上の第３のメッセージを１つ以上の第３の基地局にさらに伝送することができる。表示は、無線デバイスをＲＲＣ停止状態からＲＲＣアイドル状態に変化させるように構成することができる。表示は、無線デバイスをＲＲＣ停止状態からＲＲＣ接続状態に変化させるように構成することができる。表示は、無線デバイスの１つ以上のダウンリンクデータパケットを示すことができる。無線デバイスおよび／または少なくとも１つの基地局は、無線デバイスコンテキストを解放することができる。第２の基地局は、無線デバイスから、ＲＲＣ接続要求を含む第４のメッセージを受信することができる。第２の基地局は、無線デバイスの無線デバイスコンテキストの要求を含む第５のメッセージを第１の基地局に伝送することができる。第２の基地局は、第１の基地局から、無線デバイスコンテキストを含む第６のメッセージを受信することができる。
【０１７６】
一例において、少なくとも１つの基地局は、ＲＲＣ停止状態にある無線デバイスの無線デバイスコンテキストを有することができ、無線デバイスは、無線デバイスコンテキストを有する少なくとも１つの基地局との接続を有さない場合がある。無線デバイスコンテキストは、ベアラ構成情報、論理チャネル情報、セキュリティ情報、ＰＤＣＰ構成情報、ＡＳコンテキスト、および無線デバイスの１つ以上のパラメータ、のうちの少なくとも１つを含むことができる。ＲＮＡ識別子は、第２の基地局のセルと関連付けることができる。第１の基地局はまた、第１の基地局の少なくとも１つのセルが第１のＲＮＡ識別子と関連付けられたときに、第１のＲＮＡ識別子とも関連付けることができる。第１の基地局は、複数のＲＮＡ識別子と関連付けることができる。第１の基地局は、第１のＲＮＡ識別子を含むメッセージを第２の基地局に伝送することができる。第１の基地局は、コアネットワークエンティティから少なくとも１つのデータまたは制御パケットを受信することに応答して、第２のメッセージを伝送することができる。第１の基地局は、ネットワークエンティティから、第１のＲＮＡ識別子を含むメッセージを受信することができる。
【０１７７】
無線アクセスネットワークページングエリア構成の例
【０１７８】
例示的な実施形態において、ＲＮＡページングのためのエリアを決定することに関する問題は、基地局がどのように、シグナリング効率のために限られたエリア内でページングメッセージをブロードキャストすることによって、ページングメッセージをＲＲＣ停止状態にある無線デバイスに伝送するか、である。
【０１７９】
既存のＲＡＮページングプロシージャにおいて、基地局は、バックホールシグナリングを交換して、ダウンリンクパケットをＲＲＣ停止状態にある無線デバイスに伝送する。基地局は、ページングメッセージを、そのセルを介しておよび／または無線デバイスと関連付けられたＲＡＮ通知エリアのその近隣の基地局に伝送することができる。既存のバックホールシグナリングの実施は、非効率的なＲＡＮページングメッセージの伝送によるさらなるネットワークリソースの利用をもたらす場合がある。非効率的なＲＡＮページングプロシージャは、ネットワークノード（例えば、基地局、コアネットワークエンティティ、無線デバイス）の通信および／または制御メカニズムのさらなる強化が必要であり得る。一例において、ＲＡＮページングプロシージャがＲＲＣ停止状態の無線デバイスをウェイクアップさせるためのシグナリング負荷の増加は、バックホールシグナリング遅延を増加させる場合があり、また、シグナリングの信頼性を低下させる場合がある。信号送信オーバーヘッドにより生じるパケット損失率の増加は、ネットワークシステムの信頼性を低下させる場合がある。ＲＲＣ停止状態の無線デバイスのＲＡＮページングプロシージャのバックホールシグナリングメカニズムを改善する必要性が存在する。例示的な実施形態は、基地局が、ＲＡＮページングターゲット基地局を選択する際に、ＲＲＣ停止状態にあるＲＡＮページングターゲット無線デバイスによるシグナリングからの持続時間を用いることを可能にすることによって、ＲＡＮページング機構を強化する。一例において、ＲＡＮページングメッセージを、最近に無線デバイスと通信した近隣の基地局に伝送することによって、基地局は、ＲＡＮページングターゲット無線デバイスによって選択される可能性が低いＲＡＮページングメッセージを他の基地局に不必要にシグナリングすることを回避することができる。
【０１８０】
図１８および図１９に示される例示的な実施形態において、基地局（例えば、アンカー基地局、ｇＮＢ）は、無線デバイスから／へ最近のパケットを受信／伝送することと、無線デバイスのコアネットワークエンティティ（例えば、ＡＭＦ）からパケットを受信することとの間の持続時間を決定することができる。一例において、コアネットワークエンティティを形成するパケットは、基地局にＲＡＮページングプロシージャを開始させることができる。持続時間に基づいて、基地局は、基地局が無線デバイスのＲＡＮページングメッセージを伝送するターゲット基地局を選択することができる。一例において、持続時間が第１の時間値よりも小さいとき、および／または等しいときに、基地局は、ＲＡＮページングメッセージを、基地局へ／から最近のパケットを送信／受信した第２の基地局に伝送することができる。一例において、持続時間が第１の時間値よりも大きいときに、基地局は、ＲＡＮページングメッセージを、無線デバイスと関連付けられたＲＡＮ通知エリアに属する第３の基地局に伝送することができる。一例において、第３の基地局は、第２の基地局を含むことができる。
【０１８１】
一例において、図２０および図２１に示されるように、基地局が、そのセルを介して、無線デバイスから最近のパケットを受信／伝送した場合、基地局は、持続時間が第１の時間値よりも小さい、および／または等しいときに、そのセルを介して、ＲＡＮページングメッセージ（例えば、無線インターフェースページング）を伝送することができ、基地局は、持続時間が第１の時間値よりも大きいときに、ＲＡＮページングメッセージを、無線デバイスと関連付けられたＲＡＮ通知エリアに属する第２の基地局に伝送することができる。
【０１８２】
例示的な一実施形態において、無線デバイスとの最近の通信からの持続時間に基づいて、ＲＡＮページングエリアを制限することによって、基地局は、不必要なＲＡＮページングメッセージ伝送のための信号送信オーバーヘッドを低減させることができる。
【０１８３】
例示的な実施形態において、第１の基地局は、少なくとも無線デバイスによる最新のシグナリングとページングメッセージの伝送を必要とするイベントの発生との間の持続時間に基づいて、ＲＲＣ停止状態にある無線デバイスをターゲットにするＲＮＡページングプロシージャおよび／またはコアネットワークページングプロシージャのためのページングエリアを決定することができ、第１の基地局は、決定されたページングエリアにおいてページングメッセージを伝送することができる。第１のページングタイマは、基地局において構成することができる。基地局は、第１の基地局と無線デバイス（例えば、アップリンクデータ伝送、ランダムアクセスプリアンブル、ダウンリンクデータ伝送、ＡＣＫ、など）との間の、ページングメッセージおよび／または予め定義されたシグナリングを受信および／または伝送することに応答して、第１のページングタイマを再開することができる。例えば、基地局は、第１のページングタイマが稼働しているときにページングプロセスが開始された場合、無線デバイスの以前の場所を考慮することができる。基地局は、タイマが満了した後にページングプロセスを開始するときに、ＲＮＡエリアまたはコアＴＡエリア内の無線デバイスをページングすることができる。
【０１８４】
一例において、第１の基地局は、ページングターゲット無線デバイスの移動速度、ページングターゲット無線デバイスのサービスタイプ（例えば、論理チャネルタイプ、ベアラタイプ、スライスタイプ、など）、ページングターゲット無線デバイスのサブスクリプション情報、ページングターゲット無線デバイスの確立原因、ページングターゲット無線デバイスのモビリティ情報、および／またはページングターゲット無線デバイスのモビリティ推定情報、のうちの少なくとも１つに基づいて、ページングエリアを決定することができる。
【０１８５】
一例において、決定されたページングエリアは、ＲＮＡ内の１つ以上の基地局、ＲＮＡ内の基地局の１つ以上のセル、および／またはＲＮＡ内の基地局によって動作されたセルの１つ以上のビーム、のうちの少なくとも１つであり得る。一例において、決定されたページングエリアが、１つ以上の第２の基地局のカバレージエリアに完全に、または部分的に属する場合、ページングエリアを決定した第１の基地局は、第１のページングメッセージを１つ以上の第２の基地局に伝送することができて、１つ以上の第２の基地局は、それらのカバレッジエリア内で第２のページングメッセージをブロードキャストおよび／またはマルチキャストすることができる。一例において、決定されたページングエリアが、ページングエリアを決定した第１の基地局のカバレッジエリアに完全に、または部分的に属する場合、第１の基地局は、そのカバレッジエリア内で第２のページングメッセージをブロードキャストおよび／またはマルチキャストすることができる。一例において、決定されたページングエリアが、第１の基地局のカバレッジエリアのみに属する場合、第１の基地局は、第１のページングメッセージを伝送しない場合がある。
【０１８６】
一例において、決定されたページングエリアが、第１の基地局の第１のセルのカバレッジエリアに属する場合、第１の基地局は、第１のセル内の第２のページングメッセージをブロードキャストおよび／またはマルチキャストすることができる。一例において、決定されたページングエリアが、第１の基地局の第１のセル内の第１のビームのカバレッジエリアに属する場合、第１の基地局は、第１のビームの第２のページングメッセージをブロードキャストおよび／またはマルチキャストすることができる。
【０１８７】
一例において、第１の基地局から１つ以上の第２の基地局に伝送される第１のページングメッセージは、ページングのためにターゲットされた無線デバイスの無線デバイス識別子および／またはＲＮＡ識別子のうちの少なくとも１つを含むことができ、第１の基地局および／または１つ以上の第２の基地局によってブロードキャストおよび／またはマルチキャストされた第２のページングメッセージは、無線デバイス識別子を含むことができる。一例において、ＲＮＡ識別子を有する第１のページングメッセージを受信する基地局は、ＲＮＡ識別子によって識別されるＲＮＡと関連付けられたセルのカバレッジエリア内で第２のページングメッセージをブロードキャストおよび／またはマルチキャストすることができる。
【０１８８】
一例において、無線デバイスを用いた最新のシグナリングは、少なくとも以下のプロシージャ、すなわち、無線デバイスのアップリンクおよび／またはダウンリンクパケット（例えば、データおよび／または制御パケット）伝送、アップリンクおよび／もしくはダウンリンクパケット伝送、ならびに／または肯定応答のシグナリングのためのランダムアクセスプロシージャ、無線デバイスによって開始されたＲＮＡ更新および／またはトラッキングエリア更新プロシージャ、ＲＲＣ接続状態からＲＲＣ停止状態へのＲＲＣ状態遷移、ならびに／またはページングおよび／もしくは応答プロシージャ、のために伝送されるシグナリングメッセージであり得る。
【０１８９】
一例において、ページングメッセージ伝送を必要とするイベントは、少なくとも以下のイベント、すなわち、無線デバイス（例えば、データおよび／または制御パケット）のダウンリンクパケット受信、ＲＲＣ接続状態への無線デバイスのＲＲＣ状態遷移を必要とするイベント（例えば、ＲＲＣ接続状態を必要とするサービスのための１つ以上のダウンリンクパケットを受信すること、無線デバイスのＲＲＣ接続状態を必要とする命令をコアネットワークエンティティから受信すること、ＲＲＣ停止状態のためのタイマ満了、ランダムアクセスプロシージャ試行の高負荷、および／または他の異常なイベント）、および／またはＲＲＣアイドル状態への無線デバイスのＲＲＣ状態遷移を必要とするイベント（例えば、無線デバイスのＲＲＣアイドル状態を必要とするコアネットワークエンティティからコマンドを受信すること、ＲＲＣ停止状態のためのタイマ満了、ランダムアクセスプロシージャ試行の高負荷、および／または他の異常なイベント）、のうちの少なくとも１つであり得る。
【０１９０】
一例において、少なくとも、そのバッファが伝送する１つ以上のパケットを有するときに、および／または無線デバイスが基地局から１つ以上のダウンリンクパケットのためのページングメッセージを受信したときに、ＲＲＣ停止状態にある無線デバイスによって、アップリンクおよび／またはダウンリンクパケット伝送のためのランダムアクセスプロシージャを開始することができる。一例において、ランダムアクセスプロシージャは、２つのメッセージ（例えば、２ステージランダムアクセス）および／または４つのメッセージ（例えば、４ステージランダムアクセス）を用いて実行することができる。
【０１９１】
２ステージランダムアクセスプロシージャにおいて、第１のメッセージは、無線デバイスによって基地局に伝送することができ、第１のメッセージは、ランダムアクセスプリアンブルおよび／または１つ以上のアップリンクパケット、のうちの少なくとも１つを含むことができる。２ステージランダムアクセスプロシージャの第２のメッセージは、第１のメッセージを受信する基地局によって無線デバイスに伝送することができ、第２のメッセージは、１つ以上のアップリンクパケットの受信の肯定応答を含むことができる。一例において、２ステージランダムアクセスプロシージャの第２のメッセージは、さらなるアップリンクパケット伝送のためのリソースグラントをさらに含むことができ、無線デバイスは、リソースグラントに少なくとも基づいて、１つ以上のパケットを含む第３のメッセージを伝送することができる。第３のメッセージを受信する基地局は、さらなるアップリンクパケット伝送のための肯定応答および／またはさらなるリソースグラントを伝送することができる。一例において、基地局によるさらなるリソースグラント、および関連する無線デバイスによるアップリンクパケット通信、さらなるメッセージを通して続けることができる。
【０１９２】
４ステージランダムアクセスプロシージャにおいて、第１のメッセージは、無線デバイスによって基地局に伝送することができ、第１のメッセージは、ランダムアクセスプリアンブルおよび／または１つ以上のアップリンクパケット、のうちの少なくとも１つを含むことができる。４ステージランダムアクセスプロシージャの第２のメッセージは、第１のメッセージを受信する基地局によって無線デバイスに伝送することができ、第２のメッセージは、アップリンクパケット伝送のためのリソースグラントを含むことができる。４ステージランダムアクセスプロシージャの第３のメッセージは、第２のメッセージのリソースグラントに少なくとも基づいて、無線デバイスによって基地局に伝送することができ、１つ以上のアップリンクパケットを含むことができる。基地局によって無線デバイスに伝送される第４のメッセージは、１つ以上のアップリンクパケットの受信の肯定応答を含むことができる。一例において、４ステージランダムアクセスプロシージャの第４のメッセージは、さらなるアップリンクパケット伝送のためのさらなるリソースグラントをさらに含むことができ、無線デバイスは、第４のメッセージ内のさらなるリソースグラントに少なくとも基づいて、１つ以上のパケットを含む第５のメッセージを伝送することができる。第５のメッセージを受信する基地局は、さらなるアップリンクパケット伝送のための肯定応答および／またはさらなるリソースグラントを伝送することができる。一例において、基地局によるさらなるリソースグラント、および関連する無線デバイスによるアップリンクパケット通信、さらなるメッセージを通して続けることができる。
【０１９３】
一例において、ＲＮＡ更新プロシージャは、少なくとも、無線デバイスが新しいＲＮＡに属するセルを選択したときに、および／または周期的ＲＮＡ更新のための時間的閾値が満了したときに、ＲＲＣ停止状態にある無線デバイスによって開始することができる。一例において、基地局は、無線デバイスを、時間閾値が満了したときに周期的にＲＮＡ更新を実行するように構成することができる。一例において、セルは、セルと関連付けられた１つ以上のＲＮＡのための１つ以上のＲＮＡ識別子をブロードキャストすることができ、無線デバイスは、ブロードキャストされた１つ以上のＲＮＡ識別子のうちの１つが、無線デバイスが直近のＲＮＡ更新プロシージャを実行したセル、無線デバイスが直近のアップリンクおよび／またはダウンリンクパケット伝送を実行したセル、および／または無線デバイスがごく最近にＲＲＣ接続状態にあったセル、のうちの少なくとも１つにおいて割り当てられたそのＲＮＡ識別子と同じであるかどうかを判定することができる。
【０１９４】
一例において、ＲＮＡ更新プロシージャは、ＲＲＣ停止状態にある無線デバイスによって開始されたランダムアクセスプロシージャ、新しい基地局によって開始された無線デバイスコンテキストフェッチプロシージャ、新しい基地局によって開始されたパス切り替えプロシージャ、および／または無線デバイスによる新しいＲＮＡのＲＮＡ識別子の格納、のうちの少なくとも１つを含むことができる。一例において、無線デバイスコンテキストフェッチプロシージャは、新しい基地局によって、ＲＮＡ更新プロシージャを開始する無線デバイスのための無線デバイスコンテキストを無線デバイスの以前のアンカー基地局に要求すること、および／または新しい基地局によって、以前のアンカー基地局から無線デバイスコンテキストを受信することを含むことができる。一例において、無線デバイスコンテキストは、ＡＳコンテキスト、ベアラ構成情報、セキュリティ情報、ＰＤＣＰ構成情報、および／または無線デバイスの他の構成情報、のうちの少なくとも１を含むことができる。一例において、パス切り替えプロシージャは、新しい基地局によって、ユーザプレーンコアネットワークエンティティとＲＡＮノードとの間に無線デバイスのために確立された１つ以上のベアラのためのダウンリンクトンネルエンドポイント識別子を更新すること（例えば、ダウンリンクトンネルエンドポイント識別子を、以前のアンカー基地局のアドレスから新しい基地局のアドレスに変更すること）を、コアネットワークエンティティに要求することを含むことができる。
【０１９５】
一例において、トラッキングエリア更新プロシージャは、少なくとも、無線デバイスが新しいトラッキングエリアに属するセルを選択したとき、および／または周期的トラッキングエリア更新のための時間閾値が満了したときに、ＲＲＣ停止状態にある（および／またはＲＲＣアイドル状態にある）無線デバイスによって開始することができる。一例において、コアネットワークエンティティは、無線デバイスを、時間閾値が満了したときに周期的にトラッキングエリア更新を実行するように構成することができる。一例において、セルは、セルと関連付けられた１つ以上のトラッキングエリアのための１つ以上のトラッキングエリア識別子をブロードキャストすることができ、無線デバイスは、ブロードキャストされた１つ以上のトラッキングエリアのうちの１つが、無線デバイスが直近のトラッキングエリア更新プロシージャを実行したセル、（無線デバイスが直近のアップリンクおよび／またはダウンリンクパケット伝送を実行したセル）、および／または無線デバイスがごく最近にＲＲＣ接続状態にあったセル、のうちの少なくとも１つにおいて割り当てられたそのトラッキングエリア識別子と同じであるかどうかを判定することができる。
【０１９６】
一例において、ＲＲＣ接続状態からＲＲＣ停止状態へのＲＲＣ状態遷移は、基地局によってＲＲＣ接続状態にある無線デバイスに伝送される第１のＲＲＣメッセージによって完了することができる。第１のＲＲＣメッセージは、無線デバイスのＲＲＣ状態遷移のための命令を含むことができる。一例において、無線デバイスは、第２のＲＲＣメッセージ、ＭＡＣ層メッセージ、および／または物理層メッセージを介して、肯定応答を伝送することができる。
【０１９７】
一例において、ページングおよび応答プロシージャは、ＲＮＡページングおよび／もしくはコアネットワークページングのために基地局によってブロードキャスト／マルチキャストされたページングメッセージ、ならびに／またはランダムアクセスプロシージャを含むことができる。ランダムアクセスプロシージャは、２ステージランダムアクセスプロシージャおよび／または４ステージランダムアクセスプロシージャであり得る。
【０１９８】
一例において、無線デバイスのダウンリンクパケットの受信は、コアネットワークエンティティおよび／またはアンカー基地局からの、無線デバイスの１つ以上のパケットの受信であり得る。無線デバイスのダウンリンクパケットの受信は、ＲＮＡページングプロシージャが必要であり得る。一例において、１つ以上のパケットを受信した基地局は、無線デバイスによる直近のシグナリングおよびダウンリンクパケットの受信の発生からの持続時間を測定することができ、そして、ＲＮＡページングのためのページングエリアを決定することができる。
【０１９９】
一例において、基地局におけるＲＲＣ接続状態への無線デバイスのＲＲＣ状態遷移を必要とするイベントは、無線デバイスのための１つ以上のダウンリンクパケットを受信すること、コアネットワークエンティティから無線デバイスのＲＲＣ状態遷移要求を受信すること、および／または基地局によるＲＲＣ状態遷移の決定を受信すること、のうちの少なくとも１つであり得る。一例において、基地局は、無線デバイスによる直近のシグナリングおよびＲＲＣ状態遷移を必要とするイベントの発生からの持続時間を測定することができ、そして、ＲＮＡページングおよび／またはコアネットワークページングのためのページングエリアを決定することができる。
【０２００】
一例において、基地局におけるＲＲＣ接続状態への無線デバイスのＲＲＣ状態遷移を必要とするイベントは、コアネットワークエンティティから無線デバイスのＲＲＣ状態遷移要求を受信すること、および／または基地局によるＲＲＣ状態遷移の決定、のうちの１つであり得る。一例において、基地局は、無線デバイスによる直近のシグナリングおよびＲＲＣ状態遷移を必要とするイベントの発生からの持続時間を測定することができ、そして、ＲＮＡページングおよび／またはコアネットワークページングのためのページングエリアを決定することができる。
【０２０１】
一例において、第１の基地局は、ＲＲＣ停止状態にある無線デバイスと関連付けられた第１のメッセージを受信または伝送することができる。第１の基地局は、無線デバイスによってどの選択基地局が選択されたのかを判定することができる。第１の基地局は、コアネットワークノードから無線デバイスのダウンリンクデータパケットを受信することができる。第１の基地局は、第１のメッセージの受信とダウンリンクデータパケットの受信との間の持続時間が第１の期間より小さいかどうかを判定することができる。第１の基地局が選択基地局と同じであるとき、かつ持続時間が第１の期間よりも小さいことを判定が示したときに、第１の基地局は、ダウンリンクデータ表示、および１つ以上のダウンリンクデータパケットのうちの少なくとも１つ、のうちの少なくとも１つを含む１つ以上の第２のメッセージを伝送することができる。
【０２０２】
一例において、第１の基地局が、選択基地局と同じであるとき、かつ持続時間が第１の期間よりも小さくないことを判定が示したときに、第１の基地局は、ダウンリンクデータの表示を含む１つ以上の第３のメッセージを複数の基地局に伝送することができる。第１の基地局が選択基地局と異なるとき、かつ持続時間が第１の期間よりも小さいことを判定が示したときに、第１の基地局は、ダウンリンクデータ表示および１つ以上のダウンリンクデータパケットのうちの少なくとも１つ、のうちの少なくとも１つを含む１つ以上の第２のメッセージを第２の基地局に伝送することができる。第１の基地局が選択基地局と異なるとき、かつ持続時間が第１の期間よりも小さくないことを判定が示したときに、第１の基地局は、ダウンリンクデータの表示を含む１つ以上の第３のメッセージを複数の基地局に伝送することができる。
【０２０３】
一例において、第１のメッセージは、ＲＲＣ停止状態にあるアップリンクデータ送信プロシージャ、ＲＲＣ停止状態にあるダウンリンクデータ伝送プロシージャ、ＲＮＡ更新プロシージャ、および／またはＲＲＣ接続状態からＲＲＣ停止状態へのＲＲＣ状態遷移のプロシージャ、のうちの少なくとも１つのアップリンクシグナリング伝送であり得る。第１の期間は、少なくとも無線デバイスの移動速度に基づいて定義することができる。限定エリアは、少なくとも、無線デバイスの移動速度、１つ以上の第１のメッセージが伝送されたセルのサイズ、および／または１つ以上の第１のメッセージが伝送されたビームエリアのサイズ、のうちの１つに基づいて決定することができる。少なくとも１つの基地局は、ＲＲＣ停止状態にある無線デバイスのＵＥコンテキストを有することができ、ＲＲＣ停止状態にある無線デバイスは、ＵＥコンテキストを有する少なくとも１つの基地局とのＲＲＣ接続を有しない場合がある。
【０２０４】
停止状態の無線デバイスのセル選択の例
【０２０５】
例示的な実施形態において、ＲＲＣ停止状態またはＲＲＣアイドル状態にある無線デバイスによってセルを選択することに関する問題は、無線デバイスが、どのように、サービスを提供するセルを割り当てるためのさらなるシグナリングを低減させる判定を無線デバイスが受信する可能性があり得るサービスをサポートするセルを決定するのかである。
【０２０６】
既存のネットワークメカニズムにおいて、ＲＲＣ停止状態にある無線デバイスは、１つ以上のセルからの受信パワーおよび／または品質に基づいて、キャンプオンするセルを選択／再選択することができる。無線デバイスは、特定のタイプのサービス（例えば、ネットワークスライス、ベアラ、論理チャネル、ＱｏＳフロー、ＰＤＵセッション）を用いることができる。一例において、セルは、特定のタイプのサービスをサポートしない場合がある。例えば、セルは、異なるタイプのヌメロロジ、ＴＴＩ、サブキャリア間隔構成、および／または認可／無認可スペクトルをサポートすることができる。異なるタイプのヌメロロジ、ＴＴＩ、サブキャリア間隔構成、および／または認可／無認可スペクトルを、特定のタイプのサービスに用いることができる。一例において、小さいＴＴＩ構成は、低遅延要件のためのＵＲＬＬＣタイプのサービス（ネットワークスライス）をサポートすることができ、および／または無認可スペクトルは、そのより低い信頼性のため、ＵＲＬＬＣタイプのサービスをサポートしない場合がある。一例において、いくつかの限られたセルは、構成されたグラントタイプ１（例えば、グラントフリーアップリンクリソース）をサポートすることができ、これは、ＵＲＬＬＣサービスおよび／またはＩｏＴ（例えば、ＭＴＣ）サービスに必要とされ得る。
【０２０７】
一例において、無線デバイスが、無線デバイスによって必要とされるサービスタイプをサポートしないセルを選択／再選択する場合、無線デバイスは、そのサービスタイプをサポートするセルを再選択するために、および／またはハンドオーバまたはセカンダリセル追加プロシージャを実行してサービスタイプをサポートするセルを用いるために、基地局によるシグナリングの増加が必要であり得る。必要とされるサービスタイプをサポートしないセルを選択することによって生じるシグナリングの増加は、通信遅延、パケット損失、および／または通信の信頼性を増加させる場合がある。例示的な実施形態は、基地局が、セル（例えば、セルタイプ、登録エリア、ヌメロロジ、ＴＴＩ、サブキャリア間隔、スペクトル帯域）と、ＲＲＣ停止状態（および／またはＲＲＣアイドル状態）にある無線デバイスのサービスタイプ（例えば、ネットワークスライス、ベアラ、論理チャネル、ＱｏＳフロー、ＰＤＵセッション）との間の関連付けを構成することを可能にすることによって、セルの選択／再選択プロシージャを強化する。
【０２０８】
一例において、ＲＲＣアイドル状態において、無線デバイスは、作動させた論理チャネル（および／またはベアラ）を有し得ず、無線デバイスは、サービスのためのデータを伝送／受信するために、ＲＲＣ接続が必要であり得る。ＲＲＣアイドル状態とは異なり、ＲＲＣ停止状態において、無線デバイスは、１つ以上の論理チャネル（および／または１つ以上のベアラ）を用いて構成することができ、無線デバイスは、（ＲＲＣ接続状態への遷移を伴うことなく）ＲＲＣ停止状態にある１つ以上の論理チャネルと関連付けられたパケットをキューに入れるように構成されたバッファを有することができる。
【０２０９】
例示的な実施形態において、図２２、図２３、および図２４に示されるように、セルは、無線デバイスに対するサービスをサポートしてもしなくてもよい。サービスは、パケット通信のための論理チャネル、ベアラ、スライス、ＵＥタイプ、および／またはカテゴリ化されたタイプ、のうちの少なくとも１つと関連付けることができる。一例において、基地局は、１つ以上のセルおよび／またはセルタイプを用いて、論理チャネルのパケットを伝送するように無線デバイスを構成することができる。構成は、１つ以上の専用ＲＲＣメッセージおよび／または１つ以上のブロードキャスト／マルチキャストされたシステム情報メッセージを介して、無線デバイスに提供することができる。一例において、基地局は、セルのシステム情報メッセージを介して、セル識別子および／またはセルタイプ情報をブロードキャスト／マルチキャストすることができる。一例において、基地局のセルは、制限および／または許可されたサービスリスト（例えば、論理チャネルタイプリスト、ベアラタイプリスト、および／またはスライスリスト）をブロードキャスト／マルチキャストすることができる。一例において、ＲＲＣ停止状態および／またはＲＲＣアイドル状態の無線デバイスは、１つ以上のダウンリンクパケットおよび／またはＲＲＣ状態遷移コマンドを受信するためにＲＮＡページングおよび／またはコアネットワークページング（例えば、トラッキングエリアページング）のためのページングメッセージを受信する目的、１つ以上のアップリンクパケットを伝送する目的、および／またはＲＲＣ接続状態へのＲＲＣ状態遷移を開始する目的、のうちの少なくとも１つのために、少なくとも、セルによってブロードキャスト／マルチキャストされた情報に基づいて、セルを選択することができる。一例において、ＲＲＣ停止状態にある無線デバイスが、対応するバッファ内の第１の論理チャネル（例えば、第１のベアラ）のためのデータを取得するときに、無線デバイスは、第１の論理チャネル（または第１のベアラ）のために、基地局によって構成されたセルを選択／再選択することができ、また、そのセルを介して、データを基地局に伝送することができる。一例において、ＲＲＣ停止状態にある無線デバイスが、対応するバッファ内の第１のサービスタイプ（例えば、第１のネットワークスライス）のためのデータを取得するときに、無線デバイスは、第１のサービスタイプ（または第１のネットワークスライス）のために、基地局によって構成されたセルを選択／再選択することができ、そのセルを介して、データを基地局に伝送することができる。セルは、登録エリア、セルタイプ（例えば、ヌメロロジ、ＴＴＩ、サブキャリア間隔、スペクトル帯域）および／または同様のものとして構成することができる。
【０２１０】
一例において、無線デバイスは、１つ以上のサービスのための１つ以上の論理チャネルおよび／または１つ以上のベアラを介して、基地局から／へ１つ以上のパケットを受信／伝送することができる。基地局が無線デバイスのための無線ベアラおよび／または論理チャネルを確立するときに、基地局は、論理チャネルおよび／またはベアラと関連付けられた１つ以上のパケットを伝送するために用いることができるセルおよび／またはセルタイプのリストを無線デバイスに提供することができる。一例において、無線デバイスがＲＲＣ接続状態にある場合、論理チャネルおよび／またはベアラのためのセルおよび／またはセルタイプのリストは、１つ以上のＲＲＣメッセージを介して伝送することができる。一例において、論理チャネルおよび／またはベアラのためのセルおよび／またはセルタイプのリストは、１つ以上のＭＡＣ  ＣＥを介して伝送することができる。一例において、セルは、１つ以上の制限および／または許可された論理チャネルタイプ、ベアラタイプ、および／またはスライスタイプのリストをブロードキャスト／マルチキャストすることができ、リストは、１つ以上のシステム情報メッセージを介して伝送することができる。
【０２１１】
一例において、ＲＲＣ停止状態の無線デバイスは、ＲＮＡページングメッセージまたはコアネットワークページングメッセージをさらに受信するようにセルを選択することができる。ＲＮＡページングメッセージまたはコアネットワークページングメッセージは、基地局によって、１つ以上のダウンリンクパケットを無線デバイスに伝送することができ、１つ以上のダウンリンクパケットは、論理チャネルおよび／またはベアラと関連付けられる。無線デバイスが論理チャネルおよび／またはベアラをサポートしないセルを選択する場合、基地局は、無線デバイスがページングメッセージに応答した後に、別のセルを無線デバイスに割り当てて、１つ以上のダウンリンクパケットを伝送することができる。一例において、無線デバイスが論理チャネルおよび／またはベアラをサポートするセルを選択する場合、基地局は、別のセルを割り当てて、１つ以上のダウンリンクパケットを伝送する必要がない場合がある。
【０２１２】
一例において、第１の論理チャネルおよび／またはベアラが無線デバイスのために確立される場合、ならびに１つ以上のセルおよび／またはセルタイプが、基地局によって、第１の論理チャネルおよび／またはベアラのために構成される場合、ＲＲＣ停止状態にある無線デバイスは、少なくともブロードキャスト／マルチキャストされたセルのセル識別子および／またはセルタイプに基づいて、第１の論理チャネルおよび／またはベアラと関連付けられたさらなるダウンリンクパケット受信のための１つ以上のセルおよび／またはセルタイプのうちの１つを選択することができる。一例において、無線デバイスは、少なくともセルからブロードキャスト／マルチキャストされた情報に基づいて第１の論理チャネルおよび／またはベアラが１つ以上の制限された論理チャネルタイプ、ベアラタイプ、および／またはスライスタイプのリストと関連付けられたセルを選択しない場合がある。一例において、無線デバイスは、少なくともセルからブロードキャスト／マルチキャストされた情報に基づいて第１の論理チャネルおよび／またはベアラが１つ以上の許可された論理チャネルタイプ、ベアラタイプ、および／またはスライスタイプのリストと関連付けられたセルを選択することができる。
【０２１３】
一例において、ＲＲＣアイドル状態にある無線デバイスは、コアネットワークページングメッセージをさらに受信するようにセルを選択することができる。コアネットワークページングメッセージは、１つ以上のダウンリンクパケットを無線デバイスに伝送するために、基地局によって伝送することができ、１つ以上のダウンリンクパケットは、論理チャネルタイプおよび／またはベアラタイプと関連付けられる。一例において、ＲＲＣアイドル状態にある無線デバイスが、無線デバイスが受信することができるサービスのための論理チャネルおよび／またはベアラをサポートすることができるセルを選択する場合、基地局は、コアネットワークページングメッセージへの無線デバイス応答の後に、別のセルを割り当てて、１つ以上のダウンリンクパケットを伝送する必要がない場合がある。
【０２１４】
一例において、１つ以上のセルおよび／またはセルタイプが、第１の論理チャネルタイプおよび／またはベアラタイプのために基地局によって構成される場合、ＲＲＣアイドル状態に遷移した後の無線デバイスは、少なくともブロードキャスト／マルチキャストされたセルのセル識別子および／またはセルタイプに基づいて、第１の論理チャネルタイプおよび／またはベアラタイプと関連付けられたさらなるダウンリンクパケットの受信のための、１つ以上のセルおよび／またはセルタイプのうちの１つを選択することができる。一例において、無線デバイスは、少なくともセルからブロードキャスト／マルチキャストされた情報に基づいて第１の論理チャネルタイプおよび／またはベアラタイプが１つ以上の制限された論理チャネルタイプ、ベアラタイプ、および／またはスライスタイプのリストと関連付けられたセルを選択しない場合がある。一例において、無線デバイスは、少なくともセルからブロードキャスト／マルチキャストされた情報に基づいて第１の論理チャネルタイプおよび／またはベアラタイプが１つ以上の許可された論理チャネルタイプ、ベアラタイプ、および／またはスライスタイプのリストと関連付けられたセルを選択することができる。
【０２１５】
一例において、ＲＲＣ停止状態にある無線デバイスは、１つ以上のアップリンクパケットをネットワークにさらに伝送するようにセルを選択することができる。一例において、無線デバイスは、選択されたセルの１つ以上のランダムアクセスプロシージャを介して、１つ以上のアップリンクパケットを基地局に伝送することができ、１つ以上のアップリンクパケットは、論理チャネルおよび／またはベアラと関連付けられる。無線デバイスが論理チャネルおよび／またはベアラをサポートしないセルを選択する場合、基地局は、別のセルを無線デバイスに割り当てて、１つ以上のアップリンクパケットを受信することができる。一例において、無線デバイスが論理チャネルおよび／またはベアラをサポートするセルを選択する場合、基地局は、別のセルを割り当てて、１つ以上のアップリンクパケットを伝送する必要がない場合がある。
【０２１６】
一例において、第１の論理チャネルおよび／またはベアラが無線デバイスのために確立される場合、および１つ以上のセルおよび／またはセルタイプが、基地局によって、第１の論理チャネルおよび／またはベアラのために構成される場合、ＲＲＣ停止状態にある無線デバイスは、少なくともブロードキャスト／マルチキャストされたセルのセル識別子および／またはセルタイプに基づいて、第１の論理チャネルおよび／またはベアラと関連付けられたさらなるアップリンクパケット受信のための１つ以上のセルおよび／またはセルタイプのうちの１つを選択することができる。一例において、無線デバイスは、少なくともセルからブロードキャスト／マルチキャストされた情報に基づいて第１の論理チャネルおよび／またはベアラが１つ以上の制限された論理チャネルタイプ、ベアラタイプ、および／またはスライスタイプのリストと関連付けられたセルを選択しない場合がある。一例において、無線デバイスは、少なくともセルからブロードキャスト／マルチキャストされた情報に基づいて第１の論理チャネルおよび／またはベアラが１つ以上の許可された論理チャネルタイプ、ベアラタイプ、および／またはスライスタイプのリストと関連付けられたセルを選択することができる。
【０２１７】
一例において、ＲＲＣ停止状態および／またはＲＲＣアイドル状態にある無線デバイスは、ＲＲＣ接続状態へのＲＲＣ状態遷移を開始するようにセルを選択することができる。無線デバイスは、ランダムアクセスプロシージャを実行して、選択されたセルのＲＲＣ接続を行うことができる。ＲＲＣ状態遷移が完了した後に、無線デバイスは、論理チャネルおよび／またはベアラと関連付けられた１つ以上のパケットを伝送および／または受信することができる。一例において、無線デバイスが論理チャネルおよび／またはベアラをサポートしないセルを選択する場合、基地局は、ＲＲＣ状態遷移を完了した後に、別のセルを無線デバイスに割り当てて、１つ以上のパケットを伝送および／または受信することができる。一例において、無線デバイスが論理チャネルおよび／またはベアラをサポートするセルを選択する場合、基地局は、別のセルを割り当てて、１つ以上のパケットを伝送および／または受信する必要がない場合がある。
【０２１８】
一例において、第１の論理チャネルおよび／またはベアラが無線デバイスのために確立される場合、ならびに１つ以上のセルおよび／またはセルタイプが、基地局によって、第１の論理チャネルおよび／またはベアラのために構成される場合、ＲＲＣ停止状態にある無線デバイスは、少なくともブロードキャスト／マルチキャストされたセルのセル識別子および／またはセルタイプに基づいて、ＲＲＣ接続状態へのＲＲＣ状態遷移を完了した後に、第１の論理チャネルおよび／またはベアラと関連付けられたさらなるパケット伝送および／または受信のための１つ以上のセルおよび／またはセルタイプのうちの１つを選択することができる。一例において、無線デバイスは、少なくともセルからブロードキャスト／マルチキャストされた情報に基づいて第１の論理チャネルおよび／またはベアラが１つ以上の制限された論理チャネルタイプ、ベアラタイプ、および／またはスライスタイプのリストと関連付けられたセルを選択しない場合がある。一例において、無線デバイスは、少なくともセルからブロードキャスト／マルチキャストされた情報に基づいて第１の論理チャネルおよび／またはベアラが１つ以上の許可された論理チャネルタイプ、ベアラタイプ、および／またはスライスタイプのリストと関連付けられたセルを選択することができる。
【０２１９】
一例において、１つ以上のセルおよび／またはセルタイプが、第１の論理チャネルタイプおよび／またはベアラタイプのための基地局によって構成される場合、ＲＲＣアイドル状態に遷移した後の無線デバイスは、少なくともブロードキャスト／マルチキャストされたセルのセル識別子および／またはセルタイプに基づいて、第１の論理チャネルタイプおよび／またはベアラタイプと関連付けられたさらなるパケット伝送および／または受信のための、１つ以上のセルおよび／またはセルタイプのうちの１つを選択することができる。一例において、無線デバイスは、少なくともセルからブロードキャスト／マルチキャストされた情報に基づいて第１の論理チャネルタイプおよび／またはベアラタイプが１つ以上の制限された論理チャネルタイプ、ベアラタイプ、および／またはスライスタイプのリストと関連付けられたセルを選択しない場合がある。一例において、無線デバイスは、少なくともセルからブロードキャスト／マルチキャストされた情報に基づいて第１の論理チャネルタイプおよび／またはベアラタイプが１つ以上の許可された論理チャネルタイプ、ベアラタイプ、および／またはスライスタイプのリストと関連付けられたセルを選択することができる。
【０２２０】
一例において、無線デバイスは、基地局から、構成パラメータを含む第１のメッセージを受信することができ、構成パラメータは、ベアラまたは論理チャネルと、ＲＲＣ接続状態にある無線デバイスの１つ以上のセルとの関連付けを示すことができる。無線デバイスは、基地局から、ＲＲＣ接続状態からＲＲＣ停止状態への無線デバイスのＲＲＣ状態遷移を生じさせるように構成されたＲＲＣ状態遷移コマンドを含む第２のメッセージを受信することができる。ＲＲＣ停止状態にある無線デバイスは、少なくとも１つ以上の基準に基づいて、第１のセルを選択することができ、１つ以上の基準は、少なくとも構成パラメータを用いることができる。無線デバイスは、第１のセルを介して、ランダムアクセスプリアンブルメッセージを基地局に伝送することができる。ＲＲＣ接続状態にある無線デバイスは、少なくとも１つの基地局とのＲＲＣ接続を有することができる。無線デバイスがＲＲＣ停止状態であるときに、少なくとも１つの基地局は、無線デバイスの無線デバイスコンテキストを有することができ、および／または無線デバイスは、無線デバイスコンテキストを有する少なくとも１つの基地局とのＲＲＣ接続を有さない場合がある。無線デバイスコンテキストは、ベアラ構成情報、論理チャネル情報、セキュリティ情報、ＡＳコンテキスト、ＰＤＣＰ構成情報、および無線デバイスの他の情報、のうちの少なくとも１つを含むことができる。ランダムアクセスプリアンブルメッセージは、１つ以上のデータパケットを含むアップリンクバッファ、ページング表示を受信する無線デバイス、および／または新しいＲＮＡもしくはＴＡへの移動を検出する無線デバイス、のうちの少なくとも１つに応答することができる。ベアラまたは論理チャネルと１つ以上のセルとの関連付けは、ある周波数帯域におけるベアラまたは論理チャネルとセルタイプおよび／またはセルとの関連付けを含むことができる。
【０２２１】
無線アクセスネットワーク通知エリア更新障害の例
【０２２２】
例示的な実施形態は、基地局および無線デバイスの周期的ＲＮＡ更新障害を判定するための方法およびシステムを提供する。例示的な実施形態は、基地局が障害の通知をコアネットワークエンティティに伝送するためのメカニズムを提供する。例示的な実施形態は、周期的ＲＮＡ更新プロセスに障害が生じたときの無線デバイスにおけるプロセスを提供する。
【０２２３】
既存のＲＡＮ通知エリア更新（ＲＮＡＵ）プロシージャにおいて、基地局（複数可）および／または無線デバイスは、シグナリングを交換して、ＲＲＣ停止状態にある無線デバイスの場所情報を更新することができる。無線デバイスは、ＲＮＡＵ表示を基地局に伝送して、そのＲＡＮ通知エリアを更新することができ、これは、ＲＲＣ停止状態にある無線デバイスをページングするために、基地局（例えば、アンカー基地局）によって用いることができる。既存のシグナリングの実施は、ＲＲＣ停止状態および／またはＲＲＣアイドル状態の無線デバイスの非効率的なパケット伝送による、通信遅延の増加、パケット損失率の増加、および／またはコールドロップ率の増加をもたらす場合がある。
【０２２４】
無線デバイスのＲＲＣアイドル状態において、コアネットワークエンティティは、無線デバイスが基地局によって到達できないことを認識することができ、コアネットワークエンティティは、コアネットワークページングプロシージャを開始する前に、無線デバイスのパケットを基地局に伝送できない場合がある。ＲＲＣアイドル状態とは異なり、無線デバイスがＲＲＣ停止状態にあるときに、コアネットワークエンティティは、無線デバイスが基地局とのＲＲＣ接続を有するとみなすことができ、そして、無線デバイスが基地局によって到達可能でないときに、無線デバイスのパケットを基地局に伝送することができる。既存のネットワークシグナリングにおいて、ＲＡＮ通知エリア更新プロシージャに障害が生じたときに、コアネットワークエンティティは、アンカー基地局が、無線デバイスが到達可能であるかどうか確実でなくても、ＲＲＣ停止状態の無線デバイスのパケットをアンカー基地局に送信し続けることができる。例示的な実施形態は、無線デバイスの状態をコアネットワークエンティティに知らせることによって、無線デバイスが到達できないときに、基地局に向かうコアネットワークエンティティのパケット伝送を止めることができる。
【０２２５】
ネットワークノード（例えば、基地局、コアネットワークエンティティ、無線デバイス）の間の通信には、例えば、周期的ＲＮＡＵプロシージャに障害が存在するときに、さらなる強化に対する必要性が存在する。一例において、いくつかのシナリオでは、無線デバイスの周期的ＲＮＡＵ更新プロシージャは、ＲＲＣ停止状態の無線デバイスのダウンリンクユーザプレーンまたは制御プレーンパケット（例えば、データパケット、ＮＡＳ／ＲＲＣシグナリングパケット）を伝送する際に、障害率を増加させる場合がある。パケット損失率の増加および／または伝送遅延の増加は、ネットワークシステムの信頼性を低下させる場合がある。ＲＲＣ停止状態の無線デバイスのためのバックホールシグナリングメカニズムを向上させる必要性が存在する。例示的な実施形態は、ネットワークノードの間の情報交換を強化して、無線デバイスがＲＲＣ停止状態であるときのネットワーク通信の信頼性を向上させる。例示的な実施形態は、ＲＡＮ通知エリア更新プロシージャに障害が生じたときのシグナリングプロシージャを強化することができる。
【０２２６】
例示的な実施形態において、ＲＲＣ接続状態からＲＲＣ停止状態にＲＲＣステーションを遷移した後に、無線デバイスは、ＲＮＡＵ表示をアンカー基地局に送信することによって、ＲＡＮ通知エリア更新（ＲＮＡＵ）プロシージャを周期的に実行することができる。ＲＮＡＵ表示を受信するアンカー基地局は、ＲＲＣ停止状態にある無線デバイスがアンカー基地局と関連付けられたＲＡＮ通知エリアにとどまるとみなすことができ、および／または無線デバイスがＲＡＮ通知エリアのセルの信頼性の高いサービスエリアにある（例えば、到達可能である）とみなすことができる。ＲＲＣ停止状態中に、コアネットワークエンティティ（例えば、ＡＭＦおよび／またはＵＰＦ）は、無線デバイスがアンカー基地局とのＲＲＣ接続を有するとみなすことができ、そして、ダウンリンクパケット（例えば、データパケットおよび／または制御シグナリングパケット、ＮＡＳメッセージ）をアンカー基地局に送信することができる。例示的な実施形態において、アンカー基地局がＲＲＣ停止状態の無線デバイスのＲＮＡＵプロシージャ（例えば、周期的ＲＮＡＵプロシージャ）の障害を認識したときに、アンカー基地局は、無線デバイスのＲＮＡＵに障害が生じたこと、および／または無線デバイスが到達可能でないこと（例えば、ＲＲＣアイドル状態への無線デバイスの状態遷移を示すＵＥコンテキスト解放要求）を示すことができる。
【０２２７】
例示的な実施形態は、ＲＲＣ停止状態にある無線デバイスのＲＡＮ通知エリア更新プロシージャに障害が生じたときに、基地局が無線デバイスの状態をコアネットワークエンティティに知らせることを可能にすることによって、システムの信頼性を高めることができる。例示的な実施形態は、ネットワークノードが、ＲＡＮ通知エリア更新障害におけるＲＲＣ停止および／またはＲＲＣアイドル状態の無線デバイスのパケット損失率またはコールドロップ率を低減させることを可能にし得る。
【０２２８】
レガシーＬＴＥにおいて、ＮＡＳ識別子（通常は、Ｓ−ＴＭＳＩ）を使用して、ページングプロシージャにおいてＵＥ（無線デバイス）をアドレッシングすることができる。Ｒｅｌ−１４光接続ＷＩおよびＲＡＮ起動ページングの導入によって、ＲＡＮにおいてページングが開始されたときに、ＲＡＮ割り当てＵＥアイデンティティ（再開アイデンティティ）がＲＲＣページングメッセージにおいて使用され得ることに合意している場合がある。この合意の背景にある理由のうちの１つは、ＣＮがこれを制御することなく、ＮＡＳアイデンティティ（Ｓ−ＴＭＳＩ）が無線インターフェース上に露出され得る場合の、潜在的なセキュリティの問題であり得る。
【０２２９】
ＮＲ（新しい無線）において、ＮＡＳアイデンティティを無線インターフェース上の露出させることによる、類似するセキュリティの問題が生じる可能性があり得る。さらに、ＲＡＮ起動ページングにおいてＮＡＳ識別子を使用することもまた、ＮＡＳアイデンティティを高頻度で更新するためのメカニズムが必要であり得るので、おそらくは、ＲＡＮとＣＮの間に追加のシグナリングにつながり得る。また、ＮＡＳアイデンティティの再割り当てに障害が生じた場合に回復プロシージャが必要な場合があるので、更新メカニズムがより複雑になり得る可能性もあり得る。
【０２３０】
上記の理由から、ＵＥは、ＲＡＮ起動ページングにおいて、ＲＡＮ割り当てＵＥアイデンティティ（再開アイデンティティ）を用いてアドレッシングすることができる。ＲＲＣ＿ＩＮＡＣＴＩＶＥにあるＵＥは、通常、ＲＡＮからページングすることができるが、ロバスト性の目的で、ＲＲＣ＿ＩＮＡＣＴＩＶＥにあるＵＥもまた、ＣＮ起動ページングによって到達される必要があり得る。ネットワークが、ＵＥがアイドル状態にある間、ＵＥがＲＲＣ＿ＩＮＡＣＴＩＶＥにあるとみなす、（例えば、解放メッセージが送信された時点で、ＵＥが一時的にカバレッジを外れた場合）、状態不一致の状況を解決するために、ＲＲＣ＿ＩＮＡＣＴＩＶＥにあるＵＥは、そのＮＡＳ識別子を含むＣＮ開始ページに応答することが必要であり得る。
【０２３１】
ＵＥは、ＲＲＣ＿ＩＮＡＣＴＩＶＥにある間、ＲＡＮ開始ページングならびにＣＮ起動ページングをモニタし、これらに応答することが必要であり得る。ＲＡＮ開始ページングメッセージは、ＲＡＮ割り当てＵＥアイデンティティを含むことができ、一方で、ＣＮ開始ページングメッセージは、ＣＮ割り当てアイデンティティ（ＮＡＳ）と共に送信される。
【０２３２】
しかしながら、ＲＲＣ＿ＩＮＡＣＴＩＶＥにある間のＲＲＣページングメッセージの受信時に、ＵＥは、ページングプロシージャがＲＡＮにおいてトリガされるか、ＣＮにおいてトリガされるかにかかわらず、すなわち、メッセージに含まれるＵＥ識別子とは無関係に、同じよう機能することができる。すなわち、ＵＥは、格納されたＡＳコンテキストを利用することができ、また、ＲＲＣ接続再開要求メッセージ（または同等物）をｇＮＢに送信することによってＲＲＣ接続の再開を試みることができ、ＵＥがＲＲＣ＿ＩＮＡＣＴＩＶＥに遷移した時点で、ＵＥ自体が、ＲＡＮ割り当てＵＥアイデンティティがＵＥに送信されたことを認識する。
【０２３３】
ＡＳコンテキストがネットワーク内で正常に検索されると、ＵＥは、再開プロシージャの一部として、ＲＲＣ＿ＣＯＮＮＥＣＴＥＤに遷移させることができる（下の図１６を参照されたい）。
【０２３４】
何らかの理由で、ＡＳコンテキストをネットワーク内で検索することができず、したがって、ＲＲＣ接続の再開に障害が生じた場合、フォールバックプロシージャを提案することができ、ｇＮＢは、再開に障害が生じた結果として、ＲＲＣ接続確立プロシージャをトリガする。このシナリオのためのシグナリングフローは、下の図１７に示され得る。
【０２３５】
一例において、再開の試行に障害が生じた場合は、ＲＲＣ＿ＩＤＬＥからトリガされる通常のＲＲＣ接続確立プロシージャと比較して、ＵＥとネットワークとの間にいかなる追加の往復コストも追加しない場合がある（ＵＥは、ＲＲＣ接続再開要求メッセージの代わりに、ＲＲＣ接続要求メッセージを送信することができる）。
【０２３６】
ＵＥが、（図２ｄにおいて、ＲＲＣ接続設定メッセージの受信時に）ネットワークによって知らされるまでＡＳコンテキストを保持することができるという事実はまた、単にページングメッセージの受信時にＡＳコンテキストを解放することができる場合の解決策と比較して、より安全な解決策とみなすこともできる。
【０２３７】
図１ｄおよび図２ｄのページングプロシージャはまた、例えば、解放メッセージが送信された時点で、ＵＥが一時的にカバレッジを外れた場合に、ＣＮから開始することもできる。
【０２３８】
以下は、例示的なコールフローである。ネットワークノードの間で通信される追加のメッセージが存在し得る（コールフローには示さず）。
【０２３９】
図２５および図２６に示される例示的な実施形態において、第１の基地局は、無線リソース制御（ＲＲＣ）接続状態からＲＲＣ停止状態への無線デバイスのＲＲＣ状態遷移を示す少なくとも１つの第１のメッセージを無線デバイスに伝送することができる。少なくとも１つの第１のメッセージは、周期的無線アクセスネットワーク（ＲＡＮ）通知エリア更新プロシージャの無線デバイスＲＡＮ通知エリア更新タイマと関連付けられた値を示すパラメータを含むことができる。一例において、第１の基地局は、無線デバイスのアンカー基地局であり得る。第１の基地局は、無線デバイスのＵＥコンテキストを保持することができる。ＵＥコンテキストは、ＰＤＵセッション構成、セキュリティ構成、無線ベアラ構成、論理チャネル構成、ＲＲＣ停止状態と関連付けられた再開識別子、ＲＡＮ通知エリア情報（例えば、ＲＡＮエリア識別子、セル識別子、無線デバイスのＲＡＮ通知エリアの基地局識別子）、のうちの少なくとも１つを含むことができる。
【０２４０】
一例において、ＲＲＣ停止状態の無線デバイスは、ＵＥ  ＲＮＡ更新タイマ（周期的ＲＡＮ通知エリア更新タイマ値）が満了したときに、ＲＮＡ更新プロシージャを実行することができる。周期的ＲＮＡは、無線デバイスの基地局によって構成することができる。ＵＥ  ＲＮＡ更新タイマは、無線デバイスがＲＲＣ接続を行ったときに、ＲＮＡ更新プロシージャを実行したときに、および／または無線デバイスと基地局との間の１つ以上シグナリングメッセージを介して、構成および／または開始（再開）することができる。一例において、ＵＥ  ＲＮＡ更新タイマは、無線デバイスの移動速度、ネットワークスライス、ＵＥタイプ、確立したベアラタイプ、および／またはサービスタイプに基づいて構成することができる。基地局は、構成パラメータ、例えば、ＲＮＡタイマ値および／またはＲＮＡカウンタを含む１つ以上のメッセージを伝送することができる。ＲＮＡタイマおよび／またはカウンタは、ＵＥがＲＮＡ更新を基地局に正常に伝送したときに再開することができる。
【０２４１】
一例において、無線デバイスは、ＵＥ  ＲＮＡ更新タイマが複数の理由（例えば、複数のシステムエラー、ネットワークカバレッジの外への移動、および／または電源オフ）で満了したときに、ＲＮＡ更新プロシージャを開始することができない場合がある。一例において、第１の基地局は、ＲＲＣ停止状態にある無線デバイスからＲＮＡ更新メッセージを受信することなくネットワークＲＮＡ更新タイマが満了した場合に、および／または第１の基地局が、周期的ＲＮＡ更新カウンタの数よりも多いＲＮＡ更新メッセージを受信しない場合に、周期的ＲＮＡ更新が正常でないと判定することができる。一例において、基地局は、第１の数の（例えば、その後の）予期される周期的ＲＮＡ更新メッセージを受信しなかったときに、周期的ＲＮＡ更新が正常でないとみなすことができる。一例において、ネットワークＲＮＡ更新タイマは、ＵＥ  ＲＮＡ更新タイマよりも長くなり得る。無線デバイスの１つ以上の周期的ＲＮＡ更新プロシージャに障害が生じたときに、基地局（例えば、アンカー基地局）は、無線デバイスの周期的ＲＮＡ更新の障害を判定することができる。基地局によって周期的ＲＮＡ更新の障害を判定することは、ネットワークＲＮＡ更新タイマ（例えば、ＲＡＮ通知エリア更新保護タイマ）の満了に基づくことができる。
【０２４２】
一例において、第１の基地局は、無線デバイスからＲＮＡ更新表示を受信することに応じて、ネットワークＲＮＡ更新タイマを開始することができる。ＲＮＡ更新表示は、無線デバイスからのからＲＲＣ接続再開メッセージ、無線デバイスがキャンプオンする基地局からのＵＥコンテキスト検索要求メッセージ、無線デバイスのＲＮＡ更新を示すＸｎメッセージ、および／または同様のものを含むことができる。一例において、第１の基地局は、無線デバイスと通信する（例えば、無線デバイスへ／から１つ以上のパケットを伝送／受信すること）に応答して、ネットワークＲＮＡ更新タイマを開始することができる。一例において、第１の基地局は、無線デバイスと通信することに応答して、ネットワークＲＮＡ更新タイマを停止することができる。
【０２４３】
周期的ＲＮＡ更新が正常でないと判定した後に、第１の基地局は、第１のメッセージをコアネットワークエンティティに伝送することができる。第１のメッセージは、周期的ＲＮＡ更新に障害が生じた無線デバイスの無線デバイス識別子、無線デバイスのＡＳコンテキスト識別子、無線デバイスのＲＮＡ更新障害表示、第１の基地局の無線デバイスの無線デバイスコンテキスト解放表示、無線デバイスのＲＲＣ状態をＲＲＣアイドル状態に遷移させることを知らせるＲＲＣ状態遷移表示、無線デバイスの再開ＩＤ、および／または無線デバイスのコアネットワークページング要求、のうちの少なくとも１つを含むことができる。一例において、第１のメッセージを伝送した後に、第１の基地局は、無線デバイスコンテキスト（ＵＥコンテキスト）を解放することができる。一例において、第１のメッセージは、無線デバイスのＵＥコンテキスト解放要求メッセージを含むことができる。第１のメッセージは、無線デバイスが到達できないこと、無線デバイスがＲＲＣアイドル状態にあること、および／または無線デバイスの周期的ＲＡＮ通知エリア更新に障害が生じたこと、を示す、原因情報エレメントを含むことができる。
【０２４４】
一例において、コアネットワークエンティティは、基地局（例えば、アンカー基地局）から第１のメッセージを受信することに応答して、無線デバイスのＵＥコンテキストを解放することができる。
【０２４５】
一例において、コアネットワークエンティティは、第１の基地局から無線デバイスの周期的ＲＮＡ更新の障害に関する第１のメッセージを受信し、無線デバイスのＲＲＣ状態をＲＲＣアイドル状態として構成することができる。一例において、コアネットワークエンティティは、無線デバイスのＲＲＣ状態をＲＲＣ停止状態として保持することができる。一例において、第１のメッセージを受信するコアネットワークエンティティは、第１のコアネットワークページングメッセージを複数の基地局に伝送することができる。第１のコアネットワークページングメッセージは、無線デバイス識別子、無線デバイスのＡＳコンテキスト識別子、トラッキングエリア識別子（および／またはトラッキングエリアコード）、第１の基地局の基地局識別子、無線デバイスと関連付けられたＲＮＡ識別子、コアネットワークページングの理由、無線デバイスの再開ＩＤ、および／または無線デバイスの動作表示、のうちの少なくとも１つを含むことができる。一例において、動作表示は、無線デバイスが、ＲＲＣアイドル状態へのＲＲＣ状態遷移、ＲＲＣ接続状態へのＲＲＣ状態遷移、ＲＮＡ更新プロシージャ、および／またはランダムアクセスプロシージャを実行するように構成することができる。一例において、第１のコアネットワークページングメッセージを受信する第２の基地局は、少なくとも第１の基地局の基地局識別子に基づいて、第１の基地局と第２の基地局との間に直接インターフェース（例えば、Ｘｎインターフェース）が存在するかどうかを判定することができる。
【０２４６】
一例において、第１のコアネットワークページングメッセージを受信する第２の基地局は、無線デバイス識別子、例えば、再開ＩＤ、Ｓ−ＴＭＳＩ、またはＩＭＳＩを含む第２のコアネットワークページングメッセージをブロードキャスト／マルチキャストすることができる。一例において、第２のコアネットワークページングメッセージは、ＡＳコンテキスト識別子、ＲＮＡ識別子、コアネットワークページングの理由、および／または無線デバイスの動作表示をさらに含むことができる。第２のコアネットワークページングメッセージは、無線デバイスによってランダムアクセスプロシージャを開始するように構成することができる。一例において、無線デバイスは、無線デバイス識別子、ＡＳコンテキスト識別子、および／またはＲＮＡ識別子、のうちの少なくとも１つに基づいて、第２のコアネットワークページングメッセージを認識することができる。一例において、第２のコアネットワークページングメッセージを受信した後に、無線デバイスは、プリアンブルメッセージを第２の基地局に伝送することによって、ランダムアクセスプロシージャを開始することができる。一例において、ランダムアクセスプロシージャは、２ステージランダムアクセスプロシージャおよび／または４ステージランダムアクセスプロシージャであり得る。一例において、ランダムアクセスプロシージャ中に、第２の基地局は、少なくとも無線デバイスの動作表示に基づいてとる動作を無線デバイスに知らせることができ、この動作は、ＲＲＣ接続状態へのＲＲＣ状態の遷移、ＲＲＣアイドル状態へのＲＲＣ状態の遷移、ＲＲＣ停止状態にとどまること、および／またはＲＮＡ更新プロシージャの開始、のうちの少なくとも１つであり得る。
【０２４７】
一例において、無線デバイスからランダムアクセスのプリアンブルメッセージを受信した後に、第２の基地局は、第１のコアネットワークページングメッセージのためのコアネットワークページング肯定応答をコアネットワークエンティティに伝送することができる。コアネットワークページングの肯定応答メッセージは、無線デバイスの無線デバイスコンテキスト要求を含むことができる。一例において、コアネットワークエンティティは、第１の基地局から受信した第１のメッセージに対する肯定応答メッセージを基地局に伝送することができる。第１の基地局への肯定応答メッセージは、無線デバイスの無線デバイスコンテキスト要求を含むことができる。一例において、無線デバイスからランダムアクセスのプリアンブルメッセージを受信した後に、第２の基地局は、少なくとも第１のコアネットワークページングメッセージに含まれる第１の基地局の基地局識別子に基づいて、第１の基地局と第２の基地局との間の直接インターフェース（例えば、Ｘｎインターフェース）を介して、無線デバイスコンテキスト要求メッセージを第１の基地局に伝送することができる。一例において、第１の基地局は、コアネットワークエンティティを介して間接的に、および／または直接インターフェースを介して直接的に、無線デバイスコンテキストを第２の基地局に伝送することができる。一例において、無線デバイスコンテキストを第２の基地局に伝送した後に、第１の基地局は、無線デバイスコンテキスト（ＵＥコンテキスト）を解放することができる。
【０２４８】
一例において、第２の基地局が直接インターフェースを介して第１の基地局から無線デバイスコンテキストをフェッチする場合において、第２の基地局は、無線デバイスのパス切り替え要求をコアネットワークエンティティに伝送することができ、コアネットワークエンティティは、無線デバイスのためにユーザプレーンコアネットワークエンティティとＲＡＮノードの間で、無線デバイスのために確立された１つ以上のベアラのダウンリンクトンネルエンドポイント識別子を更新すること、例えば、ダウンリンクトンネルエンドポイント識別子を第１の基地局のアドレスから第２の基地局のアドレスに変更することができる。
【０２４９】
一例において、正常なコアネットワークページングプロシージャの後に、無線デバイスは、ＲＲＣ停止状態にとどまること、ＲＲＣ接続状態に遷移させること、および／またはＲＲＣアイドル状態に遷移させることができる。無線デバイスがＲＲＣ停止状態にとどまる、またはＲＲＣ接続状態に遷移させる場合において、第２の基地局は、無線デバイスの無線デバイスコンテキストを保持することができ、そして、第２の基地局とユーザプレーンコアネットワークエンティティとの間で無線デバイスの１つ以上のベアラを維持することができる。無線デバイスがＲＲＣ停止状態にとどまる場合、第２の基地局は、無線デバイスのアンカー基地局になり得る。無線デバイスをＲＲＣ接続状態に遷移させる場合、第２の基地局は、ＲＲＣ停止状態への無線デバイスのＲＲＣ状態遷移を開始することができ、第２の基地局は、アンカー基地局になり得る。無線デバイスをＲＲＣアイドル状態に遷移させる場合において、第２の基地局は、第１の基地局および／またはコアネットワークエンティティに無線デバイスコンテキストを要求しない場合がある。
【０２５０】
一例において、ＵＥ  ＲＮＡ更新タイマ（周期的ＲＡＮ通知エリア更新タイマ値）が満了する前に、ＲＲＣ停止状態の無線デバイスがＲＮＡ更新プロシージャを実行しない場合、無線デバイスは、周期的ＲＮＡ更新に障害が生じたと判定することができる。ＵＥは、ＵＥの周期的ＲＮＡタイマを構成するＲＲＣメッセージ、およびＵＥをＲＲＣ停止状態に遷移させることに応答して、ＲＮＡ更新タイマを開始することができる。ＵＥは、ＵＥがＲＮＡ更新を伝送するときに、ＵＥ  ＲＮＡタイマを再開することができる。
【０２５１】
一例において、周期的ＲＮＡ更新障害が発生した場合、無線デバイスは、別のタイマの満了の後に、および／または周期的ＲＮＡ更新カウンタの数を超えるＲＮＡ更新プロシージャを実行することに障害が生じた後に、直ちにそのＲＲＣ状態をＲＲＣアイドル状態に遷移させることができる。例えば、ＵＥ  ＲＮＡ更新プロシージャが第１の（例えば、連続する）回数正常でなかったときに、ＵＥは、周期的ＲＮＡ更新に障害が生じたと判定することができる。一例において、基地局は、周期的ＲＮＡ更新タイマおよび／またはカウンタ値を含む構成メッセージを無線デバイスに伝送することができる。
【０２５２】
一例において、第１の基地局は、無線デバイスについて、周期的ＲＡＮ通知エリア更新タイマの満了を含む１つ以上の基準に基づいて、周期的ＲＮＡ障害を判定することができる。第１の基地局は、周期的ＲＮＡ障害を判定することに応答して、第１のメッセージをコアネットワークエンティティに伝送することができ、第１のメッセージは、無線デバイスの第１の無線デバイス識別子を含むことができ、および／または第１のメッセージは、無線デバイスの周期的ＲＮＡ障害を示すことができる。第１のメッセージは、第１の基地局が無線デバイスコンテキストを解放することを示す、第１の表示をさらに含むことができる。第１の基地局は、無線デバイスの無線デバイスコンテキストをさらに解放することができる。第１のメッセージは、ＲＮＡ更新周期と関連付けられた第１の持続時間が経過し、ＲＮＡ更新を受信していないことを示す、第２の表示をさらに含むことができる。第２の基地局は、コアネットワークエンティティから、無線デバイスの第１のページングおよび第２の無線デバイス識別子を含む第２のメッセージをさらに受信することができる。第２の基地局は、第２のページングおよび第２の無線デバイス識別子を含む第３のメッセージをブロードキャストおよび／またはマルチキャストすることができる。第２の基地局は、無線デバイスから、第２のページングの肯定応答を含む第４のメッセージを受信することができ、無線デバイスは、少なくとも第２の無線デバイス識別子に基づいて、第２のページング要求を認識することができる。第２の基地局は、第２のメッセージに対する応答を示す第５のメッセージをコアネットワークエンティティに伝送することができる。
【０２５３】
一例において、第１の基地局は、無線デバイスの無線デバイスコンテキストの要求を含む第５のメッセージをさらに受信することができる。第１の基地局は、無線デバイスコンテキストを含む第６のメッセージを伝送することができる。第１の基地局は、無線デバイスコンテキストを解放することができる。無線デバイスは、基地局からのページングメッセージに応答して、無線リソース制御状態を無線リソース制御アイドル状態にさらに遷移させることができる。無線デバイスは、ページングメッセージを受信した後に、無線リソース制御状態を無線リソース制御アイドル状態にさらに遷移させることができる。無線デバイスは、ページングメッセージを受信した後に、無線リソース制御ＲＲＣ停止状態になり得る。第２の基地局は、無線リソース制御接続状態から無線リソース制御停止状態への無線リソース制御状態遷移を完了する、無線リソース制御状態遷移表示を含むメッセージ、無線アクセスネットワーク通知エリア更新の承諾を含むメッセージ、および／または１つ以上のパケットのうちの１つ、のうちの少なくとも１つを無線デバイスにさらに伝送することができる。第２の基地局は、無線デバイスから、無線アクセスネットワーク通知エリア更新リクエストを含むメッセージ、第１の基地局によって無線デバイスから受信された１つ以上のパケットのうちの１つ、および／または無線アクセスネットワーク通知エリアページングの肯定応答を含むメッセージ、のうちの少なくとも１つを受信することができる。
【０２５４】
一例において、第１の基地局は、無線デバイスのＲＡＮコンテキストをさらに解放することができる。第１の基地局および／またはコアネットワークエンティティは、ＲＲＣ停止状態からＲＲＣアイドル状態に無線リソース制御状態を遷移させることができる。一例において、無線デバイスは、第２の基準を満たした場合に、ＲＲＣ停止状態からＲＲＣアイドル状態に遷移させることができる。第１の基地局は、ＲＮＡの１つ以上の構成パラメータを含む１つ以上のメッセージを無線デバイスに伝送することができ、１つ以上の構成パラメータは、周期的ＲＡＮ通知エリア更新タイマ値のための値を示すパラメータを含む。一例において、第１の基地局は、周期的ＲＡＮ通知エリア更新カウンタに到達することを含む１つ以上の基準を無線デバイスに伝送することができる。ＲＮＡ更新に障害が生じた数が周期的ＲＡＮ通知エリア更新カウンタに到達した場合、無線デバイスをＲＲＣアイドル状態に遷移させることができる。
【０２５５】
一例において、無線デバイスは、基地局から、ＲＮＡの１つ以上の構成パラメータを含む１つ以上の第１のメッセージを受信することができ、１つ以上の構成パラメータは、周期的ＲＡＮ通知エリア更新タイマ値のための値を示すパラメータを含む。無線デバイスは、周期的ＲＡＮ通知エリア更新タイマの満了を含む１つ以上の基準に基づいて、周期的ＲＮＡ更新障害を判定することができる。無線デバイスは、周期的ＲＮＡ更新障害を判定することに応答して、ＲＲＣアイドル状態に遷移させることができる。
【０２５６】
実施形態は、必要に応じて、動作するように構成することができる。開示されたメカニズムは、例えば、無線デバイス、基地局、無線環境、ネットワーク、その上記の組み合わせ、および／または同様のものにおいて、特定の判定基準が満たされたときに実行することができる。例示的な判定基準は、例えば、無線デバイスまたはネットワークノード構成、トラフィック負荷、初期システム設定、パケットサイズ、トラフィック特性、それらの組み合わせ、および／または同様のものに少なくとも部分的に基づくことができる。これらの１つ以上の基準が満たされている場合に、種々の例示的な実施形態を実施することができる。したがって、本開示のプロトコルを選択的に実行する例示的な実施形態を実施することが可能であり得る。
【０２５７】
様々な実施形態によれば、例えば、無線デバイス、オフネットワーク無線デバイス、基地局、および／または同様のものなどのデバイスは、１つ以上のプロセッサと、メモリと、を備えることができる。メモリは、１つ以上のプロセッサによって実行されると、デバイスに一連の動作を実行させる命令を格納することができる。例示的な動作の実施形態は、添付の図面および明細書に示されている。様々な実施形態からの特徴を組み合わせてさらに別の実施形態を作り出すことができる。
【０２５８】
図２７は、本開示の実施形態の態様に基づく、例示的な流れ図である。２７１０で、第１の基地局は、第１のコアネットワークエンティティから、無線リソース制御（ＲＲＣ）停止状態にある無線デバイスの１つ以上のパケットを受信することができる。２７２０で、第１の基地局は、少なくとも１つのＲＡＮページングメッセージを少なくとも１つの第２の基地局に送信することを含む無線アクセスネットワーク（ＲＡＮ）ページングプロシージャを開始することができる。少なくとも１つのＲＡＮページングメッセージは、無線デバイスの第１の識別子を含むことができる。２７３０で、第１の基地局は、少なくとも１つのＲＡＮページングメッセージの応答を受信しないことに応答して、ＲＡＮページングプロシージャの障害を判定することができる。２７４０で、第１の基地局は、ＲＡＮページングプロシージャの障害に応答して、第１のメッセージを第２のコアネットワークエンティティに送信することができる。２７５０で、第１の基地局は、第１のメッセージに応答して、第２のコアネットワークエンティティから、第２のメッセージを受信することができる。第２のメッセージは、１つ以上のパケットをフォワーディングするための第３の基地局のトンネルエンドポイント識別子を含むことができる。２７６０で、第１の基地局は、トンネルエンドポイント識別子に基づいて、１つ以上のパケットを第３の基地局に送信することができる。
【０２５９】
一実施形態によれば、第２のコアネットワークエンティティは、第１のメッセージを受信することに応答して、コアネットワークページングプロシージャを開始することができる。コアネットワークページングプロシージャは、第１のページングメッセージを第３の基地局に送信することを含むことができる。第１のページングメッセージは、無線デバイスの第２の識別子を含むことができる。第２のコアネットワークエンティティは、第３の基地局から、第１のページングメッセージに応答して、第３のメッセージを受信することができる。第３のメッセージは、第３の基地局のトンネルエンドポイント識別子を含むことができる。一実施形態によれば、第１のコアネットワークエンティティは、制御プレーンコアネットワークノードを含むことができる。第２のコアネットワークエンティティは、ユーザプレーンコアネットワークノードを含むことができる。一実施形態によれば、１つ以上のパケットを送信することは、第１の基地局と第３の基地局との間の直接トンネルを介することができる。直接トンネルは、トンネルエンドポイント識別子と関連付けることができる。一実施形態によれば、トンネルエンドポイント識別子は、第３の基地局のインターネットプロトコル（ＩＰ）アドレスを含むことができる。一実施形態によれば、第１のメッセージは、ＲＡＮページングプロシージャの障害を示すことができる。一実施形態によれば、少なくとも１つのＲＡＮページングメッセージは、ＲＡＮ通知情報、無線デバイスのコンテキスト識別子、ＲＡＮページングプロシージャを開始する理由、および／または同様のもの、のうちの少なくとも１つを含むことができる。一実施形態によれば、少なくとも１つの第２の基地局は、少なくとも１つのＲＡＮページングメッセージを受信することに応答して、無線インターフェースを介して、第２のＲＡＮページングメッセージを伝送することができる。
【０２６０】
図２８は、本開示の実施形態の態様に基づく、例示的な流れ図である。２８１０で、第３の基地局は、第２のコアネットワークエンティティから、無線デバイスの第１のページングメッセージを受信することができる。第１のページングメッセージは、無線デバイスの第２の識別子を含むことができる。２８２０で、第３の基地局は、第１のページングメッセージを受信することに応答して、無線インターフェースを介して、無線デバイスの第２のページングメッセージを伝送することができる。２８３０で、第３の基地局は、無線デバイスから、第１のページングメッセージに応答して、無線リソース制御（ＲＲＣ）接続のためのランダムアクセスプリアンブルを受信することができる。２８４０で、第３の基地局は、第２のコアネットワークエンティティに、ＲＲＣ接続に応答して、第３の基地局のトンネルエンドポイント識別子を含む第３のメッセージを伝送することができる。２８５０で、第３の基地局は、トンネルエンドポイント識別子に基づいて、第１の基地局から１つ以上のパケットを受信することができる。
【０２６１】
一実施形態によれば、第２のコアネットワークエンティティは、ユーザプレーンコアネットワークノードを備えることができる。一実施形態によれば、１つ以上のパケットを受信することは、第１の基地局と第３の基地局との間の直接トンネルを介することができる。直接トンネルは、トンネルエンドポイント識別子と関連付けることができる。一実施形態によれば、トンネルエンドポイント識別子は、第３の基地局のインターネットプロトコル（ＩＰ）アドレスを含むことができる。
【０２６２】
図２９は、本開示の実施形態の態様に基づく、例示的な流れ図である。２９１０で、第１の基地局は、第１のコアネットワークエンティティから無線デバイスの１つ以上のパケット）を受信することができる。２９２０で、第１の基地局は、ページングプロシージャを開始することができる。ページングプロシージャは、少なくとも１つのページングメッセージを少なくとも１つの第２の基地局に送信することを含むことができる。少なくとも１つのページングメッセージは、無線デバイスの第１の識別子を含むことができる。２９３０で、第１の基地局は、ページングプロシージャの障害を判定することに応答して、第１のメッセージを第２のコアネットワークエンティティに送信することができる。２９４０で、第１の基地局は、第１のメッセージに応答して、第２のコアネットワークエンティティから第２のメッセージを受信することができる。第２のメッセージは、１つ以上のパケットをフォワーディングするための第３の基地局のトンネル識別子を含むことができる。２９５０で、第１の基地局は、トンネル識別子に基づいて、１つ以上のパケットを第３の基地局に送信することができる。
【０２６３】
一実施形態によれば、ページングプロシージャは、無線アクセスネットワーク（ＲＡＮ）ページングプロシージャを含むことができる。一実施形態によれば、トンネル識別子は、トンネルエンドポイント識別子を含むことができる。一実施形態によれば、無線デバイスは、無線リソース制御停止状態であり得る。一実施形態によれば、障害を判定することは、少なくとも１つのページングメッセージの応答を受信しないことに応答することができる。一実施形態によれば、第１のメッセージは、ページングプロシージャの障害を示すことができる。
【０２６４】
図３０は、本開示の実施形態の態様に基づく、例示的な流れ図である。３０１０で、第１の基地局は、第１の基地局の第１の無線アクセスネットワーク（ＲＡＮ）エリア識別子を含む第１のメッセージを第２の基地局に伝送することができる。３０２０で、第１の基地局は、第２の基地局から、第２の基地局の第２のＲＡＮエリア識別子を含む第２のメッセージを受信することができる。３０３０で、第１の基地局は、少なくとも１つの無線リソース制御（ＲＲＣ）メッセージを無線デバイスに伝送することができる。少なくとも１つのＲＲＣメッセージは、第１のＲＡＮエリア識別子を含むことができる。少なくとも１つのＲＲＣメッセージは、ＲＲＣ停止状態への無線デバイスの状態遷移を示すことができる。３０４０で、第１の基地局は、無線デバイスの１つ以上のパケットを受信することができる。３０５０で、第１の基地局は、第１のＲＡＮエリア識別子が第２のＲＡＮエリア識別子と同一であるときに、１つ以上のパケットを受信することに応答して、ＲＡＮページングメッセージを第２の基地局に伝送することができる。ＲＡＮページングメッセージは、無線デバイスおよび第１のＲＡＮエリア識別子の識別子を含むことができる。
【０２６５】
一実施形態によれば、第１のメッセージは、第１の基地局の第１のセルの第１のセル識別子をさらに含むことができる。第１のセルは、第１のＲＡＮエリア識別子と関連付けることができる。一実施形態によれば、第２のメッセージは、第２の基地局の第２のセルの第２のセル識別子をさらに含むことができる。第２のセルは、第２のＲＡＮエリア識別子と関連付けることができる。一実施形態によれば、ＲＡＮページングメッセージを伝送することは、無線デバイスがＲＲＣ停止状態にあることに応答することができる。一実施形態によれば、第１の基地局は、ＲＡＮページングメッセージに応答して、第２の基地局から第３のメッセージをさらに受信することができる。一実施形態によれば、第１の基地局は、第３のメッセージに応答して、無線デバイスの１つ以上のパケットを第２の基地局にさらに伝送することができる。一実施形態によれば、第１の基地局は、少なくとも無線デバイスがＲＲＣ停止状態である時間中に、無線デバイスの無線デバイスコンテキストを保持することができる。無線デバイスコンテキストは、ベアラ構成情報、論理チャネル構成情報、セキュリティ情報、および／または同様のもの、のうちの少なくとも１つを含むことができる。一実施形態によれば、第１のメッセージは、インターフェース設定要求メッセージ、インターフェース設定応答メッセージ、基地局構成更新メッセージ、および／または同様のもの、のうちの少なくとも１つを含むことができる。一実施形態によれば、第１の基地局は、コアネットワークエンティティから１つ以上のパケットを受信することができる。一実施形態によれば、第１の基地局は、１つ以上のＲＡＮページングメッセージを、第１のＲＡＮ識別子と関連付けられた１つ以上の第３の基地局にさらに伝送することができる。
【０２６６】
図３１は、本開示の実施形態の態様に基づく、例示的な流れ図である。３１１０で、第２の基地局は、第１の基地局から第１の基地局の第１の無線アクセスネットワーク（ＲＡＮ）エリア識別子を含む第１のメッセージを受信することができる。３１２０で、第２の基地局は、第２の基地局の第２のＲＡＮエリア識別子を含む第２のメッセージを第１の基地局に伝送することができる。３１３０で、第２の基地局は、第１のＲＡＮエリア識別子が第２のＲＡＮエリア識別子と同一であるときに、第１の基地局から無線デバイスのＲＡＮページングメッセージを受信することができる。無線デバイスは、無線リソース制御（ＲＲＣ）停止状態であり得、第１のＲＡＮエリア識別子を割り当てることができる。一実施形態によれば、ＲＡＮページングメッセージは、無線デバイスおよび第１のＲＡＮエリア識別子の識別子を含むことができる。
【０２６７】
図３２は、本開示の実施形態の態様に基づく、例示的な流れ図である。３２１０で、第１の基地局は、第２の基地局から第２の基地局の第２の無線アクセスネットワーク（ＲＡＮ）エリア識別子を含む第２のメッセージを受信することができる。３２２０で、第１の基地局は、第１のＲＡＮエリア識別子を含む少なくとも１つの第３のメッセージを無線デバイスに伝送することができる。少なくとも１つの第３のメッセージは、無線リソース制御停止状態への無線デバイスの状態遷移を示すことができる。３２３０で、第１の基地局は、無線デバイスの１つ以上のパケットを受信することができる。３２４０で、第１の基地局は、第１のＲＡＮエリア識別子が第２のＲＡＮエリア識別子と同一であるときに、１つ以上のパケットを受信することに応答して、ＲＡＮページングメッセージを第２の基地局に伝送することができる。ＲＡＮページングメッセージは、無線デバイスおよび第１のＲＡＮエリア識別子の識別子を含むことができる。一実施形態によれば、第１の基地局は、第１の基地局の第１のＲＡＮエリア識別子を含む第１のメッセージを第２の基地局にさらに伝送することができる。
【０２６８】
図３３は、本開示の実施形態の態様に基づく、例示的な流れ図である。３３１０で、第１の基地局は、第２の基地局から、無線デバイスと関連付けられた少なくとも１つの第１のパケットを受信することができる。３３２０で、第１の基地局は、無線デバイスが無線リソース制御（ＲＲＣ）停止状態にあるときに、コアネットワークエンティティから無線デバイスの少なくとも１つの第２のパケットを受信することができる。３３３０で、第１の基地局は、第１の持続時間が第１の時間値よりも大きいことに応答して、第１の無線アクセスネットワーク（ＲＡＮ）ページングメッセージを、無線デバイスと関連付けられたＲＡＮエリアの第３の基地局に伝送することができる。第１の持続時間は、少なくとも１つの第１のパケットを受信することと、少なくとも１つの第２のパケットを受信することとの間の持続時間を含むことができる。３３４０で、第１の基地局は、第１の持続時間が第１の時間値よりも小さいか、または大きいかに関係なく、第２のＲＡＮページングメッセージを第２の基地局に伝送することができる。３３５０で、第１の基地局は、第１のＲＡＮページングメッセージまたは第２のＲＡＮページングメッセージのうちの１つについて受信された応答に基づいて、少なくとも１つの第２のパケットを第２の基地局または第３の基地局のうちの１つに伝送することができる。
【０２６９】
一実施形態によれば、ＲＡＮエリアは、ＲＡＮ通知エリアと関連付けることができる。一実施形態によれば、第１のＲＡＮページングメッセージまたは第２のＲＡＮページングメッセージは、無線デバイスの識別子と、ＲＡＮエリアのＲＡＮエリア情報と、を含むことができる。一実施形態によれば、少なくとも１つの第１のパケットは、ＲＲＣ停止状態にある無線デバイスのアップリンクデータ伝送、データ伝送、ＲＡＮ通知エリア更新プロシージャ、またはＲＲＣ停止状態接続状態からＲＲＣ停止状態への無線デバイスの状態遷移、のうちの少なくとも１つと関連付けることができる。一実施形態によれば、第１の時間値は、無線デバイスの移動速度に基づくことができる。一実施形態によれば、第１の基地局は、少なくとも無線デバイスがＲＲＣ停止状態である時間中に、無線デバイスの無線デバイスコンテキストを保持することができる。無線デバイスコンテキストは、ベアラ構成情報、論理チャネル構成情報、パケットデータコンバージェンスプロトコル構成情報、またはセキュリティ情報、のうちの少なくとも１つを含むことができる。一実施形態によれば、第１の基地局は、ＲＡＮエリアと関連付けることができる。一実施形態によれば、第１の基地局は、ＲＡＮエリアのＲＡＮエリア情報を含む少なくとも１つのＲＲＣメッセージを無線デバイスにさらに伝送することができる。少なくとも１つのＲＲＣメッセージは、ＲＲＣ停止状態への無線デバイスの状態遷移を示すことができる。
【０２７０】
一実施形態によれば、第２の基地局は、第２のＲＡＮページングメッセージを受信することおよび第２の持続時間が第２の時間値よりも大きいことに応答して、無線デバイスと関連付けられたＲＡＮエリアの第１のセルを介して、第１のページングメッセージを伝送することができる。第２の持続時間は、無線デバイスから少なくとも１つの第１のパケットを受信することと、第２のＲＡＮページングメッセージを受信することとの間の持続時間を含むことができる。第２の基地局は、第２の持続時間が第２の時間値よりも小さいか、または大きいかに関係なく、第２のセルを介して、第２のページングメッセージを伝送することができ、第２の基地局が、第２のセルを介して、無線デバイスから少なくとも１つの第１のパケットを受信するができる。一実施形態によれば、第２の基地局は、第１のページングメッセージまたは第２のページングメッセージのうちの１つについて受信された応答に基づいて、第１のセルまたは第２のセルの１つを介して、少なくとも１つの第２のパケットをさらに伝送することができる。
【０２７１】
図３４は、本開示の実施形態の態様に基づく、例示的な流れ図である。３４１０で、第１の基地局は、第２の基地局から、無線デバイスと関連付けられた少なくとも１つの第１のパケットを受信することができる。３４２０で、第１の基地局は、無線デバイスが無線リソース制御（ＲＲＣ）停止状態にあるときに、コアネットワークエンティティから無線デバイスの少なくとも１つの第２のパケットを受信することができる。３４３０で、第１の基地局は、少なくとも１つの第１のパケットを受信することと、少なくとも１つの第２のパケットを受信することとの間の持続時間が、第１の時間値よりも大きいかどうかを判定することができる。持続時間が第１の時間値（３４４０）よりも大きいときに、第１の基地局は、第１の無線アクセスネットワーク（ＲＡＮ）ページングメッセージを、３４４５で無線デバイスと関連付けられたＲＡＮエリアの第３の基地局に伝送することができる。持続時間が第１の時間値（３４５０）以下であるときに、第１の基地局は、３４５５の第２のＲＡＮページングメッセージを第２の基地局に伝送することができる。３４６０で、第１の基地局は、第１のＲＡＮページングメッセージまたは第２のＲＡＮページングメッセージのうちの１つについて受信された応答に基づいて、少なくとも１つの第２のパケットを第２の基地局または第３の基地局のうちの１つに伝送することができる。
【０２７２】
図３５は、本開示の実施形態の態様に基づく、例示的な流れ図である。３５１０で、第１の基地局は、無線デバイスから、第１の基地局の第１のセルを介して、少なくとも１つの第１のパケットを受信することができる。３５２０で、第１の基地局は、無線デバイスが無線リソース制御停止状態であるときに、コアネットワークエンティティから無線デバイスの少なくとも１つの第２のパケットを受信することができる。３５３０で、第１の基地局は、第１の持続時間が第１の時間値よりも大きいことに応答して、第１の無線アクセスネットワーク（ＲＡＮ）ページングメッセージを、無線デバイスと関連付けられたＲＡＮエリアの第２の基地局に伝送することができる。第１の持続時間は、少なくとも１つの第１のパケットを受信することと、少なくとも１つの第２のパケットを受信することとの間の持続時間を含むことができる。３５４０で、第１の基地局は、第１の持続時間が第１の時間値よりも小さいか、または大きいかに関係なく、ＲＡＮエリアの１つ以上の第２のセルを介して、第２のＲＡＮページングメッセージを伝送することができる。１つ以上の第２のセルは、第１のセルを含むことができる。３５５０で、第１の基地局は、第１のＲＡＮページングメッセージまたは第２のＲＡＮページングメッセージのうちの１つについて受信された応答に基づいて、１つ以上の第２のセルまたは第２の基地局のうちの１つを介して、少なくとも１つの第２のパケットを無線デバイスに伝送することができる。
【０２７３】
図３６は、本開示の実施形態の態様に基づく、例示的な流れ図である。３６１０で、無線デバイスは、基地局から、少なくとも１つの論理チャネル、または少なくとも１つの無線ベアラ、のうちの少なくとも１つの構成パラメータを含む少なくとも１つの第１のメッセージを受信することができる。３６２０で、無線デバイスは、基地局から、無線リソース制御（ＲＲＣ）接続状態からＲＲＣ停止状態への無線デバイスのＲＲＣ状態遷移を示す第２のメッセージを受信することができる。３６３０で、ＲＲＣ停止状態にある無線デバイスは、構成パラメータに基づいて、第１のセルを選択することができる。３６４０、無線デバイスは、第１のセルを介して、ランダムアクセスプリアンブルを基地局に伝送することができる。
【０２７４】
一実施形態によれば、構成パラメータは、第１のセルの第１のセル識別子、少なくとも１つの論理チャネルの少なくとも１つの論理チャネル識別子、または少なくとも１つの無線ベアラの少なくとも１つの無線ベアラ識別子、のうちの少なくとも１つをさらに含むことができる。一実施形態によれば、構成パラメータは、少なくとも１つの論理チャネルまたは少なくとも１つの無線ベアラと、第１のセルとの関連付けを示すことができる。一実施形態によれば、構成パラメータは、少なくとも１つの論理チャネル、または少なくとも１つの無線ベアラと、１つ以上のセルタイプ、または１つ以上の周波数帯域、のうちの少なくとも１つとの関連付けを示すことができる。一実施形態によれば、構成パラメータは、第１のネットワークスライスと、第１のセル、１つ以上のセルタイプ、または１つ以上の周波数帯域、のうちの少なくとも１つとの関連付けをさらに示すことができる。一実施形態によれば、少なくとも１つの論理チャネルまたは少なくとも１つの無線ベアラは、第１のネットワークスライスと関連付けることができる。一実施形態によれば、基地局は、少なくとも無線デバイスがＲＲＣ停止状態である時間中に、無線デバイスの無線デバイスコンテキストを保持することができる。無線デバイスコンテキストは、ベアラ構成情報、論理チャネル構成情報、パケットデータコンバージェンスプロトコル構成情報、セキュリティ情報、および／または同様のもの、のうちの少なくとも１つを含むことができる。一実施形態によれば、第１のセルを選択することは、アップリンクバッファが、少なくとも１つの論理チャネル、または少なくとも１つの無線ベアラ、のうちの少なくとも１つと関連付けられた１つ以上のパケットを含むことに応答することができる。一実施形態によれば、ランダムアクセスプリアンブルメッセージを伝送することは、アップリンクバッファが１つ以上のパケットを含むこと、基地局からのページング表示、第１の無線アクセスネットワーク通知エリアへの移動、または第１のトラッキングエリアへの移動、のうちの少なくとも１つに応答することができる。
【０２７５】
図３７は、本開示の実施形態の態様に基づく、例示的な流れ図である。３７１０で、基地局は、少なくとも１つの第１のメッセージを無線デバイスに伝送することができる。少なくとも１つの第１のメッセージは、少なくとも１つの論理チャネル、または少なくとも１つの無線ベアラ、のうちの少なくとも１の構成パラメータを含むことができる。３７２０で、基地局は、無線リソース制御（ＲＲＣ）接続状態からＲＲＣ停止状態への無線デバイスのＲＲＣ状態遷移を示す第２のメッセージを無線デバイスに伝送することができる。３７３０で、基地局は、無線デバイスから、構成パラメータに基づいて無線デバイスによって選択された第１のセルを介して、ランダムアクセスプリアンブルを受信することができる。無線デバイスは、ＲＲＣ停止状態であり得る。一実施形態によれば、構成パラメータは、第１のセルの第１のセル識別子、少なくとも１つの論理チャネルの少なくとも１つの論理チャネル識別子、または少なくとも１つの無線ベアラの少なくとも１つの無線ベアラ識別子、のうちの少なくとも１つをさらに含むことができる。
【０２７６】
図３８は、本開示の実施形態の態様に基づく、例示的な流れ図である。３８１０で、第１の基地局は、無線リソース制御（ＲＲＣ）接続状態からＲＲＣ停止状態への無線デバイスのＲＲＣ状態遷移を示す少なくとも１つの第１のメッセージを無線デバイスに伝送することができる。少なくとも１つの第１のメッセージは、周期的無線アクセスネットワーク（ＲＡＮ）通知エリア更新プロシージャの無線デバイスＲＡＮ通知エリア更新タイマと関連付けられた値を示すパラメータを含むことができる。３８２０で、第１の基地局は、無線デバイスＲＡＮ通知エリア更新タイマの満了に応答して、無線デバイスによるＲＡＮ通知エリア更新を示す第２のメッセージを受信することができる。３８３０で、第１の基地局は、第２のメッセージを受信することに応答して、ネットワークＲＡＮ通知エリア更新タイマを開始することができる。３８４０で、第１の基地局は、ネットワークＲＡＮ通知エリア更新タイマの満了に応答して、無線デバイスの無線デバイスコンテキスト解放要求を示す第３のメッセージをコアネットワークエンティティに伝送することができる。第３のメッセージは、無線デバイスの識別子を含むことができる。
【０２７７】
一実施形態によれば、少なくとも１つの第１のメッセージは、無線デバイスと関連付けられたＲＡＮ通知エリア情報をさらに含むことができる。ＲＡＮ通知エリア情報は、ＲＡＮエリア識別子、またはセル識別子のうちの少なくとも１つを含むことができる。一実施形態によれば、第１の基地局は、ネットワークＲＡＮ通知エリア更新タイマの満了に基づいて、無線デバイスの無線デバイスコンテキストをさらに解放することができる。一実施形態によれば、第３のメッセージは、無線デバイスが周期ＲＡＮ通知エリア更新に障害が生じたことをさらに示すことができる。一実施形態によれば、コアネットワークエンティティは、第３のメッセージを受信することに応答して、無線デバイスがアイドル状態にあると判定することができる。一実施形態によれば、第１の基地局は、少なくとも無線デバイスがＲＲＣ停止状態である時間中に、無線デバイスの無線デバイスコンテキストを保持することができる。無線デバイスコンテキストは、ベアラ構成情報、論理チャネル構成情報、パケットデータコンバージェンスプロトコル構成情報、セキュリティ情報、および／または同様のもの、のうちの少なくとも１つを含むことができる。一実施形態によれば、無線デバイスＲＡＮ通知エリア更新タイマは、無線デバイスの移動速度、無線デバイスの無線デバイスタイプ、無線デバイスのネットワークスライス、無線デバイスのベアラ、および／または同様のもの、のうちの少なくとも１つに基づいて構成することができる。一実施形態によれば、コアネットワークエンティティは、第３のメッセージに基づいて、無線デバイスのページングメッセージを第２の基地局にさらに伝送することができる。コアネットワークエンティティは、第２の基地局からページングメッセージに対する応答メッセージをさらに受信することができる。一実施形態によれば、無線デバイスは、周期ＲＡＮ通知エリア更新に障害が生じることに応答して、ＲＲＣ停止状態からＲＲＣアイドル状態にＲＲＣ状態を遷移させることができる。一実施形態によれば、第２のメッセージは、ＲＲＣ接続再開要求メッセージを含むことができる。
【０２７８】
図３９は、本開示の実施形態の態様に基づく、例示的な流れ図である。３９１０で、第１の基地局は、無線リソース制御（ＲＲＣ）接続状態からＲＲＣ停止状態への無線デバイスのＲＲＣ状態遷移を示す少なくとも１つの第１のメッセージを無線デバイスに伝送することができる。３９２０で、第１の基地局は、無線デバイスから、無線デバイスによるＲＡＮ通知エリア更新を示す第２のメッセージを受信することができる。３９３０で、第１の基地局は、第２のメッセージを受信することに応答して、ネットワーク無線アクセスネットワーク（ＲＡＮ）通知エリア更新タイマを開始することができる。３９４０で、第１の基地局は、ネットワークＲＡＮ通知エリア更新タイマの満了に応答して、無線デバイスの無線デバイスコンテキスト解放要求を示す第３のメッセージをコアネットワークエンティティに伝送することができる。第３のメッセージは、無線デバイスの識別子を含むことができる。
【０２７９】
図４０は、本開示の実施形態の態様に基づく、例示的な流れ図である。４０１０で、第１の基地局は、無線リソース制御（ＲＲＣ）接続状態からＲＲＣ停止状態への無線デバイスのＲＲＣ状態遷移を示す少なくとも１つの第１のメッセージを無線デバイスに伝送することができる。少なくとも１つの第１のメッセージは、周期的無線アクセスネットワーク（ＲＡＮ）通知エリア更新プロシージャの無線デバイスＲＡＮ通知エリア更新タイマと関連付けられた値を示すパラメータを含むことができる。４０２０で、第１の基地局は、無線デバイスＲＡＮ通知エリア更新タイマの満了に応答して、無線デバイスによるＲＡＮ通知エリア更新を示す第２のメッセージを受信することができる。４０３０で、第１の基地局は、持続時間内にＲＡＮ通知エリア更新を受信しないことに応答して、無線デバイスの無線デバイスコンテキスト解放要求を示す第３のメッセージをコアネットワークエンティティに伝送することができる。期間は、無線デバイスＲＡＮ通知エリア更新タイマと関連付けられた値よりも長くすることができる。一実施形態によれば、第３のメッセージは、無線デバイスの識別子を含むことができる。
【０２８０】
図４１は、本開示の実施形態の態様に基づく、例示的な流れ図である。４１１０で、第１の基地局は、無線リソース制御（ＲＲＣ）接続状態からＲＲＣ停止状態への無線デバイスのＲＲＣ状態遷移を示す少なくとも１つの第１のメッセージを無線デバイスに伝送することができる。少なくとも１つの第１のメッセージは、周期的無線アクセスネットワーク（ＲＡＮ）通知エリア更新プロシージャの無線デバイスＲＡＮ通知エリア更新タイマと関連付けられた第１の値を示すパラメータを含むことができる。４１２０で、無線デバイスは、ＲＲＣ状態遷移に応答して、無線デバイスＲＡＮ通知エリア更新タイマを開始することができる。４１３０で、第１の基地局は、無線デバイスＲＡＮ通知エリア更新タイマの満了に応答して、無線デバイスによる第２の値を有するＲＡＮ通知エリア更新を示す第２のメッセージを受信することができる。４１４０で、第１の基地局は、第２のメッセージを受信することに応答して、ネットワークＲＡＮ通知エリア更新タイマを開始することができる。４１４０で、第１の基地局は、ネットワークＲＡＮ通知エリア更新タイマの満了に応答して、無線デバイスの無線デバイスコンテキスト解放要求を示す第３のメッセージをコアネットワークエンティティに伝送することができる。第３のメッセージは、無線デバイスの識別子を含むことができる。ネットワークＲＡＮ通知エリア更新タイマの第２の値は、無線デバイスＲＡＮ通知エリア更新タイマの第１の値よりも大きくすることができる。
【０２８１】
基地局は、複数の無線デバイスからなる組み合わせと通信することができる。無線デバイスおよび／または基地局は、複数の技術、および／またはその同じ技術の複数の公開をサポートすることができる。無線デバイスは、無線デバイスのカテゴリおよび／または能力（複数可）に応じて、いくつかの特定の能力（複数可）を有することができる。基地局は、複数のセクタを含むことができる。本開示が複数の無線デバイスと通信する基地局を対象とするときに、本開示は、カバレッジ領域内のすべての無線デバイスのうちのサブセットを対象とすることができる。この開示は、例えば、所与の能力を有し、かつ基地局の所与のセクタ内にある、所与のＬＴＥまたは５Ｇリリースの複数の無線デバイスを対象とすることができる。本開示における複数の無線デバイスは、選択された複数の無線デバイス、および／または開示される方法に従って機能する、カバレッジ領域内のすべての無線デバイスのうちのサブセット、および／または同様のものを対象とすることができる。本開示の方法とは適合しない場合があるカバレッジエリア内に複数の基地局または複数の無線デバイスが存在し得るが、それは、例えば、そうした無線デバイスまたは基地局が、より古い公開のＬＴＥまたは５Ｇ技術に基づいて実施されているからである。
【０２８２】
本開示において、「ａ」および「ａｎ」ならびに同様の成句は、「少なくとも１つ」および「１つ以上」と解釈されるべきである。同様に、接尾語「（ｓ）」で終わる任意の用語も、「少なくとも１つ」および「１つ以上」と解釈されるべきである。本開示において、用語「ｍａｙ」は、「場合があり、例えば」と解釈されるべきである。換言すれば、用語「ｍａｙ」は、用語「ｍａｙ」の後に続く成句が、様々な実施形態のうちの１つ以上に用いられるかもしれない、または用いられないかもしれないという多数の好適な可能性のうちの１つの例であることを暗示している。
【０２８３】
ＡおよびＢが集合であり、Ａの各要素もまた、Ｂの要素である場合、Ａは、Ｂの部分集合と呼ばれる。本明細書では、空でない集合および部分集合のみが考慮されている。例えば、Ｂ＝｛セル１、セル２｝の可能な部分集合は、｛セル１｝、｛セル２｝、および｛セル１、セル２｝である。成句「に基づいて」（または、同様に「少なくともに基づいて」）は、用語「に基づいて」の後に続く成句が、様々な実施形態のうちの１つ以上に使用されるかもしれない、または、されないかもしれないという多数の好適な可能性のうちの１つの例であることを暗示している。成句「に応答して」（または、同様に「少なくとも、に応答して」）は、用語「に応答して」の後に続く成句が、様々な実施形態のうちの１つ以上に使用されるかもしれない、または、されないかもしれないという多数の好適な可能性のうちの１つの例であることを暗示している。成句「に応じて」（または、同様に「少なくとも、に応じて」）は、用語「に応じて」の後に続く成句が、様々な実施形態のうちの１つ以上に使用されるかもしれない、または、されないかもしれないという多数の好適な可能性のうちの１つの例であることを暗示している。成句「採用する／使用する」（または、同様に「少なくとも、採用する／使用する」）は、用語「採用する／使用する」の後に続く成句が、様々な実施形態のうちの１つ以上に使用されるかもしれない、または、されないかもしれないという多数の好適な可能性のうちの１つの例であることを暗示している。
【０２８４】
用語「構成される」は、そのデバイスが動作状態にあろうが、または非動作状態にあろうが、デバイスの潜在能力に関係し得る。用語「構成される」は、また、そのデバイスが動作状態にあろうが、または非動作状態にあろうが、そのデバイスの動作特性に影響を及ぼすデバイス内の特定の設定を指し得る。換言すれば、ハードウェア、ソフトウェア、ファームウェア、レジスタ、メモリ値、および／または同様のものは、そのデバイスが動作状態にあろうが、または非動作状態にあろうが、デバイス内部に「構成され」、特定の特性を有するデバイスを提供する。「デバイス内で生じる制御メッセージ」などの用語は、そのデバイスが動作状態にあろうが、または非動作状態にあろうが、制御メッセージが、特定の特性を構成するように使用され得、またはデバイス内で特定の動作を実現するように使用され得るパラメータを有することを意味することがある。
【０２８５】
本開示において、様々な実施形態が開示されている。開示された例示的な実施形態からの制限、特徴、および／または要素を組み合わせて、本開示の範囲内で、さらなる実施形態を作り出すことができる。
【０２８６】
本開示では、パラメータ（または同様に、フィールド、もしくは情報要素：ＩＥと呼ばれる）は、１つ以上の情報オブジェクトを含むことができ、１つの情報オブジェクトは、１つ以上の他のオブジェクトを含むことができる。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的な実施形態において、１つ以上のメッセージが複数のパラメータを含むとき、それは、複数のパラメータのうちの１つのパラメータが、１つ以上のメッセージのうちの少なくとも１つに含まれるが、１つ以上のメッセージの各々に含まれる必要はないことを意味する。
【０２８７】
さらに、上記で提示された多くの特徴は、「ｍａｙ」の使用または括弧の使用を通じて任意選択であると説明されている。簡潔さおよび読みやすさのために、本開示は、１組の任意選択の特徴から選択することによって得ることができるありとあらゆる順列組み合わせを明示的に列挙していない。しかしながら、本開示は、そのような順列組み合わせをすべて明示的に開示していると解釈されるべきである。例えば、３つの任意の特徴を有するものとして記載されたシステムは、７つの異なる方法で、すなわち３つの可能な特徴のうちの１つだけ、３つの可能な特徴のうちの任意の２つ、または３つの可能な特徴のうちの３つすべてで具現化することができる。
【０２８８】
開示された実施形態に記載された要素の多くは、モジュールとして具現化されてもよい。１つのモジュールは、本明細書では、定義された機能を実行し、かつ他の要素に対する定義されたインターフェースを有する１つの要素として定義される。本開示に記載されるモジュールは、ハードウェア、ハードウェアと組み合わせたソフトウェア、ファームウェア、ウェットウェア（すなわち、生物学的要素を有するハードウェア）、またはそれらの組み合わせで具現化され得、それらはすべて動作的に等価である。例えば、モジュールは、ハードウェアマシンよって実行されるように構成されたコンピュータ言語（Ｃ、Ｃ＋＋、Ｆｏｒｔｒａｎ、Ｊａｖａ（登録商標）、Ｂａｓｉｃ、Ｍａｔｌａｂなど）で書かれたソフトウェアルーチン、またはＳｉｍｕｌｉｎｋ、Ｓｔａｔｅｆｌｏｗ、ＧＮＵ  Ｏｃｔａｖｅ、またはＬａｂＶＩＥＷＭａｔｈＳｃｒｉｐｔのようなモデリング／シミュレーションプログラムとして具現化され得る。さらに、個別の、またはプログラム可能なアナログ、デジタルおよび／もしくは量子ハードウェアを組み込んだ物理的ハードウェアを使用してモジュールを具現化することが可能であり得る。プログラム可能なハードウェアの例には、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）が含まれる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、およびＣＰＬＤは、ＶＨＳＩＣハードウェア記述言語（ＶＨＤＬ）またはＶｅｒｉｌｏｇなどのハードウェア記述言語（ＨＤＬ）を使用してプログラムされることが多く、プログラマブルデバイスの機能がより少ない内部ハードウェアモジュール間の接続を構成する。上記の技術は、しばしば機能モジュールの結果を達成するために組み合わせて使用される。
【０２８９】
この特許文書の開示は、著作権保護の対象となる資料を組み込んでいる。著作権所有者は、特許商標庁の特許ファイルまたは記録に記載されているように、法律によって要求される限られた目的のために、誰かによる特許文書または特許開示の複製に反対しないが、それ以外の場合は、すべての著作権を留保する。
【０２９０】
種々の実施形態を上述したが、それらは限定ではなく例として提示されたことを理解されたい。当業者には、趣旨および範囲を逸脱することなく形態および詳細の種々の変更をなし得ることが明らかであろう。実際、上記の説明を読んだ後、代替実施形態をどのように具現化するかは、当業者には明らかであろう。したがって、本実施形態は、上述の例示的な実施形態のいずれによっても限定されるべきではない。
【０２９１】
さらに、機能性および利点を強調する図は、いずれも例示目的のみのために提示されていることを理解されたい。開示されたアーキテクチャは、示されたもの以外の方法で利用され得るように、十分にフレキシブル性があり、かつ構成可能である。例えば、いくつかの実施形態においては、任意のフローチャートに列挙された動作は、並べ替えられてもよく、または単に任意選択で使用されてもよい。
【０２９２】
さらに、開示の要約の目的は、米国特許商標庁および一般大衆、特に特許または法的用語または表現に精通していない当該分野の科学者、技術者および実務家が、一瞥して出願の技術的な開示の性質と本質を迅速に判断できるようにすることである。開示の要約は、いかなる意味においても範囲を限定することを意図するものではない。
【０２９３】
最後に、「する手段」または「するステップ」という明示的な用語を含む請求項のみが、３５Ｕ．Ｓ．Ｃ．１１２の下で解釈されることが出願人の意図である。「する手段」または「するステップ」という語句を明示的に含まない請求項は、３５Ｕ．Ｓ．Ｃ．１１２に基づいて解釈されるべきではない。
【図１】
0006865849.tif 000007
【図２Ａ】
0006865849.tif 000008
【図２Ｂ】
0006865849.tif 000009
【図３】
0006865849.tif 000010
【図４Ａ】
0006865849.tif 000011
【図４Ｂ】
0006865849.tif 000012
【図４Ｃ】
0006865849.tif 000013
【図４Ｄ】
0006865849.tif 000014
【図５Ａ】
0006865849.tif 000015
【図５Ｂ】
0006865849.tif 000016
【図６】
0006865849.tif 000017
【図７Ａ】
0006865849.tif 000018
【図７Ｂ】
0006865849.tif 000019
【図８】
0006865849.tif 000020
【図９Ａ】
0006865849.tif 000021
【図９Ｂ】
0006865849.tif 000022
【図１０】
0006865849.tif 000023
【図１１】
0006865849.tif 000024
【図１２】
0006865849.tif 000025
【図１３】
0006865849.tif 000026
【図１４】
0006865849.tif 000027
【図１５】
0006865849.tif 000028
【図１６】
0006865849.tif 000029
【図１７】
0006865849.tif 000030
【図１８】
0006865849.tif 000031
【図１９】
0006865849.tif 000032
【図２０】
0006865849.tif 000033
【図２１】
0006865849.tif 000034
【図２２】
0006865849.tif 000035
【図２３】
0006865849.tif 000036
【図２４】
0006865849.tif 000037
【図２５】
0006865849.tif 000038
【図２６】
0006865849.tif 000039
【図２７】
0006865849.tif 000040
【図２８】
0006865849.tif 000041
【図２９】
0006865849.tif 000042
【図３０】
0006865849.tif 000043
【図３１】
0006865849.tif 000044
【図３２】
0006865849.tif 000045
【図３３】
0006865849.tif 000046
【図３４】
0006865849.tif 000047
【図３５】
0006865849.tif 000048
【図３６】
0006865849.tif 000049
【図３７】
0006865849.tif 000050
【図３８】
0006865849.tif 000051
【図３９】
0006865849.tif 000052
【図４０】
0006865849.tif 000053
【図４１】
0006865849.tif 000054